(57)【特許請求の範囲】
【請求項１】
圧延装置における所定の組込位置に所定の組込順序で組み込まれる複数のロールが導入されるロールショップを管理装置によって管理するロールショップ管理システムであって、
前記ロールを搭載するためのパレットと、
前記パレットを収容するための倉庫装置と、
前記圧延装置に供給する前記ロールを搭載した前記パレットを一時的に載置するために前記倉庫装置と前記圧延装置との間に設けられた仮置領域と、
前記倉庫装置と前記仮置領域との間で前記パレットを搬送する搬送装置と、
前記仮置領域に載置されたパレットに搭載された要素ロールを取り出して前記圧延装置に組み込むロール組込装置と、を備え、
前記ロールは、前記圧延装置において同時に使用される複数の要素ロールを含み、
前記管理装置は、前記圧延装置に先に組み込まれる前記要素ロールを搭載した前記パレットが、前記圧延装置に後に組み込まれる前記要素ロールを搭載した前記パレットよりも先に前記仮置領域に搬送されるように前記搬送装置を制御し、
前記ロール組込装置は、前記仮置領域に搬送されてきたパレットから順に、当該パレットに搭載された要素ロールの搭載位置に対応付けられた組込順序に従って、パレットに搭載された要素ロールを取り出し、当該搭載位置に対応付けられた圧延装置の組込位置に当該要素ロールを組み込む
ことを特徴とするロールショップ管理システム。
【請求項２】
前記仮置領域は、前記圧延装置から回収した要素ロールを搭載したパレットを一時的に載置するために設けられており、
前記ロール組込装置は、所定の回収順序に従って、前記圧延装置から要素ロールを取り出し、前記仮置領域に載置されたパレットにおける、当該要素ロールの組込位置に対応付けられた搭載位置に移載する
ことを特徴とする請求項１に記載のロールショップ管理システム。
【発明の詳細な説明】
【技術分野】
【０００１】
本発明は、被加工物の圧延を行なう圧延装置に付設されて、当該圧延装置にて使用される多数のロールが導入されるロールショップを管理するためのロールショップ管理システムに関する。
【背景技術】
【０００２】
圧延機において金属などの被加工物を圧延することによってロールの表面が磨耗すると、表面を研磨した新ロールに交換される。圧延機に併設されたロールショップには、購入直後の新規ロールや使用済みの旧ロールなどをオフラインで研磨するロール研磨装置、研磨済みロールにダル加工を施すダル加工装置、ロールの搬送作業及び交換作業を行う種々の装置が設けられている。ロールショップにおける研磨処理やダル加工などの各種作業（以下、ロールショップ作業という）の多くは作業者の手動運転によって行なわれていたため、作業者の労力及び熟練を要していた。
【０００３】
例えば、圧延装置、チョック着脱領域、ロール移替え領域及びロール仮置き領域を有する圧延工場において、パレット搬送台車によりロール仮置き領域からロール移替え領域にパレットを搬送し、ロール搬送台車によりロール仮置き領域からチョック着脱領域に搬送し、ロール組替装置によりチョック着脱領域から圧延装置にロールを移載する圧延ロールの搬送設備が知られている（特許文献１参照）。
【先行技術文献】
【特許文献】
【０００４】
【特許文献１】特開昭６１−８８９０６号公報
【発明の概要】
【発明が解決しようとする課題】
【０００５】
特許文献１に記載の発明では、一度に圧延装置に組み込まれてグループを構成する複数のロールを適切な順序で迅速に組み込む手段について考慮がされていない。圧延装置にはワークロール、中間ロール、バックアップロールなど複数のロールが組み込まれている。被加工物の圧延を均一に加工するなど適切な加工処理を実行するためには、各種ロールを適切な位置に組み込む必要がある。例えば複数の中間ロールが使用される圧延装置では、所定の位置に配設された複数の中間ロール間の径の差が所定の値に収まっていることが要求される。圧延装置へのロールの組込時にロールを識別しながら組込位置を確認していると、迅速な圧延処理が困難となる。
【０００６】
本発明の目的は、圧延装置へのロールの組み込みを迅速に行うことができるロールショップ管理システムを提供することにある。
【課題を解決するための手段】
【０００７】
上記課題を解決する本発明に係る第１のロールショップ管理システムは、圧延装置における所定の組込位置に所定の組込順序で組み込まれる複数のロールが導入されるロールショップを管理装置によって管理するロールショップ管理システムであって、ロールを搭載するためのパレットと、パレットを収容するための倉庫装置と、圧延装置に供給するロールを搭載した前記パレットを一時的に載置するために倉庫装置と圧延装置との間に設けられた仮置領域と、倉庫装置と仮置領域との間でパレットを搬送する搬送装置と、前記仮置領域に載置されたパレットに搭載された要素ロールを取り出して前記圧延装置に組み込むロール組込装置と、を備える。更に、ロールは、圧延装置において同時に使用される複数の要素ロールを含む。管理装置は、圧延装置に先に組み込まれる要素ロールを搭載したパレットが、圧延装置に後に組み込まれる要素ロールを搭載したパレットよりも先に仮置領域に搬送されるように搬送装置を制御する。ロール組込装置は、仮置領域に搬送されてきたパレットから順に、当該パレットに搭載された要素ロールの搭載位置に対応付けられた組込順序に従って、パレットに搭載された要素ロールを取り出し、当該搭載位置に対応付けられた圧延装置の組込位置に当該要素ロールを組み込む。
【０００８】
ロールショップ管理システムは、圧延装置に付設されたロールショップ内に、圧延装置で使用される複数のロール及び管理装置を備えている。ロールショップ管理システムの管理対象であるロールショップは、圧延装置に付設されている概念であってもよいし、圧延装置を含む概念であってもよい。ロールショップには、倉庫装置や搬送装置などの必要な装置が適宜配置されている。ロールショップでは、導入されたロールを使用して被加工物の圧延に付随する一連の作業（ロールショップ作業）が実行される。
【０００９】
圧延装置は、所定のグループを構成する要素ロールを使用して被加工物（所謂、ストリップ）を圧延する圧延機であればよい。圧延装置は、通常よりも圧延処理に使用されるロールが多い圧延機（具体的には、機内に組み込まれるロール本数が多い圧延機や、ロールの交換頻度が高い圧延機など）が好適であり、複数のロールをクラスタ状に多段配置した多段式圧延機（ゼンジミアミル）などが例示される。
【００１０】
ロールは、グループに分類され、各グループ毎に組込順序が定められていることが好ましい。被加工物に接触する複数のワークロールで構成されるグループ、ワークロールに圧力を加えるための複数のバックアップロールで構成されるグループ、及び、ワークロールとバックアップロールとの間に配設される複数の中間ロールで構成されるグループのいずれかが含まれていることが好ましい。要素ロールは、各グループを構成するロールを示す概念であることが好ましい。グループ毎に、当該グループを構成する要素ロールの組込順序が定められている。
【００１１】
圧延装置に組み込むロールを搭載したパレットは、圧延装置に組み込まれる前に仮置領域に一端移載される。仮置領域に移載されたパレット上のロールは、ロール交換手段によって圧延装置に組み込まれる。ロール交換手段は、パレットから自動的にロールを取り出して圧延装置に組み込むものであってもよいし、管理装置からの指示に従って作業者が操作することによって圧延装置に組み込むものであってもよい。ロール交換手段は、ロールを一本ずつ搭載して圧延装置に組み込むものであってもよいし、複数本のロールを同時に搭載して圧延装置に組み込むものであってもよい。
【００１２】
倉庫装置は、圧延装置に供給するロールを出し入れ可能に収容する保管庫である。倉庫装置は、単数又は複数のロールを直接収容する収容部を有するものであってもよく、複数のロールが搭載されるパレットを収容する収容部を有するものであってもよい。
【００１３】
ロールショップには、更にロール加工装置が備えられていることが好ましい。ロール加工装置には、ロール表面を研磨する研磨装置及びロール表面にダル加工処理を施すダル加工装置が含まれていることが好ましい。
【００１４】
搬送装置は、倉庫装置と仮置領域との間でロールを搬送可能な搬送機器であり、クレーン装置やコンベア装置、台車などの各種搬送機器を含む。搬送装置は、新ロールを倉庫装置から圧延装置に供給する一方、旧ロールを圧延装置から倉庫装置に回収するように、ロールを搬送する。搬送装置は、ロールを直接搬送する搬送機器を有するものであってもよく、ロールをパレットに搭載して搬送する搬送機器を有するものであってもよい。
【００１５】
管理装置は、コンピュータを使用してロールショップを管理する機能を実現し、プログラムを実行することによって当該コンピュータによって各種機能を実現することが好ましい。管理装置は、ロールショップに設置された各装置を集中的に管理する構造をもつものであってもよいし、倉庫装置、圧延装置、搬送装置及びロール加工装置に付設された制御装置を有し、制御装置を通じてロールショップに設置された各装置を間接的に制御するものであってもよい。
【００１６】
上記解決手段によれば、組込順序が定められたロールを圧延装置に迅速に搬送することができるため、圧延装置へのロールの組み込みを迅速に行うことができる。
【００１８】
組込順序に応じた搭載位置にロールを搭載することにより、パレットの搬送順序と搭載位置から組込順序を認識することができるため、仮置領域から圧延装置にロールを組み込む際に、パレットから取り出したロールがいずれのロールであるかを外部から入力する必要がなくなり、組込処理を迅速に実行することができる。組込順序と組込位置とを対応させておくことにより搭載位置から組込位置を一意に対応させることができるため、ロールの判別処理を省略して組込処理を迅速に実行することができる。
【００１９】
仮置領域は、圧延装置から回収した要素ロールを搭載したパレットを一時的に載置するために設けられており、ロール組込装置は、所定の回収順序に従って、圧延装置から要素ロールを取り出し、仮置領域に載置されたパレットにおける、当該要素ロールの組込位置に対応付けられた搭載位置に移載することが好ましい。
【００２０】
要素ロールを識別せずにパレット上の要素ロールの組込位置を認識できるため、要素ロールの組込時に当該要素ロールの組込位置を記録しておくことにより、搭載位置から要素ロールを識別することができる。
【発明の効果】
【００２１】
本発明によれば、圧延装置へのロールの組み込みを迅速に行うことができる。
【図面の簡単な説明】
【００２２】
【図１】ロールショップＰの全体構造を概略的に示す平面図である。
【図２】自動倉庫７０を斜め上方からみた外観斜視図である。
【図３】ＺＭ圧延機２の内部構造を模式的に示した正面断面図である。
【図４】規定数のロール１００が搭載されたパレット２００の外観斜視図である。
【図５】ロールエンドカバー１１０及びロール１００の模式的斜視図である。
【図６】ロールエンドカバー１１０を嵌着したロール１００の側面部分断面図である。
【図７】ロールショップ管理システム１を概略的に示すシステム構成図である。
【図８】倉庫管理ＤＢ３１０の詳細を示すデータ構成図である。
【図９】パレット管理ＤＢ３３０の詳細を示すデータ構成図である。
【図１０】ロール管理ＤＢ３５０の詳細を示すデータ構成図である。
【図１１】ロールショップ作業の流れを示すフローチャートである。
【図１２】ロール導入工程で実行されるオペレーションＶの流れを例示する図である。
【図１３】図１２に引き続いてオペレーションＶの流れを例示する図である。
【図１４】新規入庫処理を示すフローチャートである。
【図１５】導入ロール設定処理を示すフローチャートである。
【図１６】ロール研磨工程で実行されるオペレーションＷの流れを例示する図である。
【図１７】図１６に引き続いてオペレーションＷの流れを例示する図である。
【図１８】研磨自動入出庫処理を示すフローチャートである。
【図１９】研磨実行処理を示すフローチャートである。
【図２０】ロール移動処理を示すフローチャートである。
【図２１】ダル加工工程にて実行されるオペレーションＸの流れを例示する図である。
【図２２】ダル自動入出庫処理を示すフローチャートである。
【図２３】ダル加工実行処理を示すフローチャートである。
【図２４】ロール交換工程で実行されるオペレーションＹの流れを例示する図である。
【図２５】図２４に引き続いてオペレーションＹの流れを例示する図である。
【図２６】図２５に引き続いてオペレーションＹの流れを例示する図である。
【図２７】圧延自動入出庫処理を示すフローチャートである。
【図２８】圧延使用前ロール移動処理を示すフローチャートである。
【図２９】圧延使用済ロール移動処理を示すフローチャートである。
【図３０】ロール廃却工程で実行されるオペレーションＺの流れを例示する図である。
【図３１】廃却出庫処理を示すフローチャートである。
【図３２】ロールショップＰの部分的な構成図である。
【図３３】セカンドロールペアテーブルの詳細を示すデータ構成図である。
【発明を実施するための形態】
【００２３】
以下、本発明に係るロールショップ管理システムを実施するための最良の形態について、図面を用いて具体的に説明する。
【００２４】
［ロールショップＰの全体構造］
まず、図１を参照して本実施形態に係るロールショップＰの全体構造について説明する。図１は、本実施形態に係るロールショップＰの全体構造を概略的に示す平面図である。図４は、複数のロール１００を搭載したパレット２００の斜視図である。
【００２５】
ロールショップＰは、難圧延鋼種（例えばステンレス鋼帯）の冷間圧延を行なうＺＭ圧延機２に付設されている。ＺＭ圧延機２では図４に示すような複数のロール１００が使用される。圧延に使用されたロール１００のロール表面は磨耗するため、磨耗した旧ロール１００のロール表面に加工（研磨及び／又はダル加工）を施した新ロール１００に交換する必要がある。ロールショップＰには、ＺＭ圧延機２にて使用される多数のロール１００が導入されており、一連のロールショップ作業（例えば、ロール搬送、ロール研磨、ダル加工、冷間圧延等）を円滑に実行できるように、ロールショップ作業に必要な作業領域や設備機器などが適宜設けられている。
【００２６】
具体的には、図１に示すようにロールショップ作業に必要な作業領域には、ロール１００をロールショップＰに導入するための場外エリア２０、ロール１００を研磨するための研磨エリア３０、ロール１００をダル加工するためのダルエリア４０、ロール１００の搬送を中継する入出庫エリア５０及びＺＭ圧延機２に対してロール１００の供給及び回収を行うための圧延エリア６０が含まれる。ロールショップＰの略中央部には、ロール１００を保管するとともに、場外エリア２０、研磨エリア３０、ダルエリア４０及び入出庫エリア５０に対してロール１００を入出庫するための自動倉庫７０が設置されている。更に、入出庫エリア５０と圧延エリア６０との間でロール１００を搬送するメイントラバーサ９０が設置されている。
【００２７】
［ＺＭ圧延機２で使用されるロール１００の種別］
ロールショップＰは、ＺＭ圧延機２に付設して設けられたロールショップ作業を行うための領域であるが、本実施形態では説明の便宜のため、ＺＭ圧延機２が圧延エリア６０内に配置されているものとして説明する。ＺＭ圧延機２は、複数のロール１００をクラスタ状に多段配置したゼンジミアミルである。ＺＭ圧延機２を使用して本実施形態の被加工物であるステンレス鋼帯の冷間圧延が行なわれる。
【００２８】
図３を参照して、ＺＭ圧延機２の内部構造について説明する。図３は、ＺＭ圧延機２の内部構造を模式的に示した正面断面図である。図３に示すように、ＺＭ圧延機２の内部には、ステンレス鋼帯（ストリップ）の搬送ラインを挟んで対向するように、径の異なる複数種の鉄製ロール１００がクラスタ状に多段配置されている。圧延機上部２ａで１セットをなすロール群と、圧延機下部２ｂで１セットをなすロール群とは、それぞれストリップの搬送ラインを中心に対称となるように配置されている。各ロール群は、それぞれワークロール１００ａ、ファーストロール１００ｂ、セカンドロール１００ｃ及びバッキングロール１００ｄの組み合わせで構成されている。なお、本実施形態では、ワークロール１００ａ、ファーストロール１００ｂ、セカンドロール１００ｃ及びバッキングロール１００ｄを区別しないで説明するときは、単にロール１００と表記する。
【００２９】
ワークロール１００ａは、ストリップに直接当接して外圧を付与する。ワークロール１００ａは、本ロールショップ管理システムにおける管理対象の中心となるロール種別である。本実施形態では、ワークロール１００ａは、２本セットでＺＭ圧延機２に組み込まれ、圧延機上部２ａ及び圧延機下部２ｂにそれぞれ１本ずつ配置される。２本のワークロール１００ａは、ストリップの搬送ラインをはさむように搬送ラインに近接して配置される。ロールショップＰでは、総計１０００本のワークロール１００ａが導入及び管理されている。ワークロール１００ａのロール長は、１６１５ｍｍである。ワークロール１００ａのロール径は、全てのロール種のなかで最も小径の８２ｍｍである。
【００３０】
ファーストロール１００ｂは、ワークロール１００ａに対してストリップ側に向けた外圧を付与するための中間ロールである。本実施形態では、ファーストロール１００ｂは、４本セットでＺＭ圧延機２に組み込まれている。圧延機上部２ａ及び圧延機下部２ｂには、各２本のファーストロール１００ｂが、ストリップの搬送ラインに沿って順に配置されている。ワークロール１００ａは、２本のファーストロール１００ｂとストリップの搬送ラインとの間に配置されている。
【００３１】
セカンドロール１００ｃは、ファーストロール１００ｂに対してストリップ側に向けた外圧を付与するための中間ロールである。本実施形態では、セカンドロール１００ｃは、６本セットでＺＭ圧延機２に組み込まれている。圧延機上部２ａ及び圧延機下部２ｂでは、各３本のセカンドロール１００ｃが、ストリップの搬送ライン方向に順に配置されている。２本のファーストロール１００ｂは、３本のファーストロール１００ｂとワークロール１００ａとの間に配置されている。圧延機上部２ａ及び圧延機下部２ｂに配置される各３本のセカンドロール１００ｃのうちで、両側２本がモータ（図示外）によって回転制御されるドライブロールであり、中央１本がＺＭ圧延機２内でフリーランするアイドルロールである。
【００３２】
バッキングロール１００ｄは、セカンドロール１００ｃに対してストリップ側に向けた外圧を付与するためのロールである。本実施形態では、バッキングロール１００ｄは、８本セットでＺＭ圧延機２に組み込まれている。圧延機上部２ａ及び圧延機下部２ｂでは、各４本のバッキングロール１００ｄが、ストリップの搬送ライン方向に順に配置されている。３本のセカンドロール１００ｃは、４本のバッキングロール１００ｄと２本のファーストロール１００ｂの間に配置されている。バッキングロール１００ｄは、全てのロール種別のなかでストリップ搬送ラインからみて最も離間した位置に配置されている。
【００３３】
ＺＭ圧延機２に配置される複数のロール１００は、ワークロール１００ａ、ファーストロール１００ｂ、セカンドロール１００ｃ、バッキングロール１００ｄの順でロール径が大きくなっている。つまり、圧延機上部２ａ及び圧延機下部２ｂに形成されるロール群は、ストリップの搬送ラインから離間するほど、より径の大きいロール１００が種別ごとに並ぶように構成されている。各ロール群では、バッキングロール１００ｄからの外圧が中間ロール（ファーストロール１００ｂ及びセカンドロール１００ｃ）を介してワークロール１００ａに加えられる。各ワークロール１００ａに加えられる圧力により、ストリップの搬送ラインを挟んで対向する一対のワークロール１００ａの間に高圧力が生じる。モータ（図示外）によりロール１００が回転した状態でストリップがワークロール１００ａ間の高圧力下を搬送されることにより、冷間圧延が行なわれる。
【００３４】
［ロール１００、ロールタグ１５、パレット２００及びパレットタグ１６］
ＺＭ圧延機２で使用される各ロール１００は、ロールショップＰ内に導入されてから廃却されるまでの間に各作業領域で様々な作業工程に用いられる。各ロール１００を１本ずつロール単位で搬送及び保管等を行なうと、作業者の作業負担や管理負荷が大きくなる。そこで、ロールショップＰでは、図４に示すように規定数のロール１００が搭載されたパレット２００を一単位として搬送及び保管等を行う。
【００３５】
図４から図６を参照してロール１００及びパレット２００について説明する。図５は、ロールエンドカバー１１０及びロール１００の外観を説明するための模式的斜視図である。図６は、ロール１００に対してロールエンドカバー１１０を取り付けた状態の側面断面図である。
【００３６】
ロール１００は、図４に示すような略円柱形状の胴部１０１と、胴部１０１の軸方向両端に一体形成された図５に示すような略円柱形状の首部１０２と、胴部１０１と首部１０２とをつなぐ略円柱形状の連結部１０３とにより一体的に構成されている。胴部１０１は、ロール１００ＺＭ圧延機２で使用された場合にストリップ又は他のロール１００に当接して圧延を行なう。図５に示すように、首部１０２の径は、胴部１０１よりも若干小さく、連結部１０３の径は首部１０２よりも若干小さい。首部１０２及び連結部１０３の軸方向の長さは、胴部１０１よりも十分に短い。
【００３７】
図４に示すようにロール１００の両端には、ロールエンドカバー１１０をそれぞれ嵌着することができる。図６に示すように、ロールエンドカバー１１０は、ゴムにより略円筒形状に成型された本体部１１１を有する。なお、本体部１１１は、耐熱性を有する他の非導電性材料によって形成されていてもよい。本体部１１１の軸方向の一方の端面１１１ａには、ロール１００の首部１０２に対して嵌脱自在な凹状の嵌着部１１２が形成されている。嵌着部１１２の開口付近内面には、首部１０２からの脱落を防ぐための突起１１２ａが配設されている。本体部１１１には、本体部１１１の他方の端面１１１ｂから嵌着部１１２内部に貫通した空気逃げ孔１１５が形成されている。空気逃げ孔１１５を通じて空気が移動できるため、首部１０２に嵌着部１１２を円滑に嵌脱できる。本体部１１１の他方の端面１１１ｂには、円形開口を持ち軸方向に凹設された保持部１１３が形成されている。保持部１１３は、他方の端面１１１ｂに近い第１の部位１１３ａと、第１の部位１１３ａより奥に配設され、第１の部位１１３ａよりも径の小さな第２の部位１１３ｂとにより構成されている。第２の部位１１３ｂには、コイン型の無線タグであるロールタグ１５が嵌め込まれている。第１の部位１１３ａには、封止栓１１４が嵌め込まれている。封止栓１１４により、ロールタグ１５が保持部１１３内から取れ落ちることが防止される。
【００３８】
ロールタグ１５は、少なくとも各無線タグに固有のＩＤ情報（タグＩＤ）を記憶している。そして、ロール１００にロールエンドカバー１１０が取り付けられると、当該ロールエンドカバー１１０が有するロールタグ１５のタグＩＤが、当該ロール１００を他のロール１００と区別として一意に識別するための情報として機能する。つまり、ロール１００にロールエンドカバー１１０を取り付けることで、ロール１００とロールタグ１５とのデータ上の関連付け（所謂、紐付け）を行うことが可能になる。なお、ロールエンドカバー１１０は、ロール１００の両端の首部１０２にそれぞれ取り付けられるが、ロールタグ１５は、いずれか一方のロールエンドカバー１１０にのみ収容されている。
【００３９】
ロールタグ１５をロール１００に取り付けことによりロール１００に関する各種情報を効率的かつ正確に管理することができる。ロール１００に付記された識別情報に基づいてロール１００を識別する他に、無線タグに記憶された識別情報を使用してロール１００を識別することにより、作業者による識別情報の読み取りが容易となる。更に、無線タグは取り付けられた方向に無関係に識別情報を読み取れるため、ロール１００のように転がり易い形状を有する部材の識別が文字による識別に比べて容易となる。なお、ロールタグ１５は、ロールエンドカバー１１０に搭載されてロール１００に取り付けられるものであってもよいし、袋に入れて磁石でロール１００の側面に取り付けるものであってもよい。ロールタグ１５をロール１００に取り付ける手段は、ロール１００の種類によって異なっていてもよい。
【００４０】
図４に示すように、パレット２００は、４本の四角柱状鉄筋が額縁状に連接された台座２０１を有している。台座２０１上部は、規定数のワークロール１００ａを並列に載置可能となっている。台座２０１には、パレット２００の搬送時などにワークロール１００ａの落下を防止する複数のロールストッパ２０２を着脱可能である。台座２０１の側面位置には、無線通信によって書き込み及び／又は読み取り可能な非接触型の記憶媒体であるパレットタグ１６が付設されている。
【００４１】
パレットタグ１６は、カード型の外形を有する無線タグであって、少なくとも各無線タグに固有のＩＤ情報（タグＩＤ）を記憶しており、タグＩＤがパレット２００を一意に識別するための情報として機能する。パレット２００にパレットタグ１６を取り付けることで、両者のデータ上の関連付け（所謂、紐付け）を行うことが可能になる。パレットタグ１６をパレット２００に取り付けことによりパレット２００に関する各種情報を効率的かつ正確に管理することができる。
【００４２】
図４に示すように複数のロール１００をパレット２００に搭載する場合には、ロールタグ１５が収容されたロールエンドカバー１１０がパレット２００の一側面側（図４に示すＤＳ面側）に位置するとともに、ロールタグ１５が収容されていないロールエンドカバー１１０がパレット２００の他側面側（図４に示すＷＳ面側）に位置するように、作業者等が各ロール１００をパレット２００上に載置する。ロールタグ１５をパレット２００のＤＳ面側に予め位置決めしておくことで、作業者がロールタグ１５を読み取る際に混乱をきたすことがない。
【００４３】
パレットタグ１６によるパレット２００の管理に加えて、ロールタグ１５によるロール１００の管理を行うことにより、より詳細にロール１００に関する情報を管理することができる。
【００４４】
一台のパレット２００に搭載されるロール１００の規定数はロール径に応じて異なっている。例えば、ワークロール１００ａの規定数は１０本、ファーストロール１００ｂの規定数は４本、セカンドロール１００ｃの規定数は２本である。バッキングロール１００ｄは、全てのロール種別のなかでも最もロール径が及びロール長が大きくロール交換頻度も少ないため、他種ロールとは異なりパレット２００に搭載したり自動倉庫７０で保管したりすることがない。
【００４５】
以下、ロール１００が搭載されているパレット２００を「実パレット」、ロール１００が搭載されていないパレット２００を「空パレット」、として表記上区別することがある。
【００４６】
［各作業領域及び自動倉庫７０］
場外エリア２０では、ロールショップ作業に用いられる各種部材（ここでは、ロール１００やパレット２００）の導入や廃却などが行なわれる。場外エリア２０には、場外エリア２０と自動倉庫７０とを繋いでパレット２００を搬送する搬送機器である場外入出庫台車２１が設けられている。場外入出庫台車２１は、場外エリア２０から自動倉庫７０に進入した位置（倉庫側）と、自動倉庫７０から場外エリア２０に退出した位置（荷捌き側）との間で移動する。場外入出庫台車２１が荷捌き側に位置しているとき、作業者が天井クレーン（図示外）を手動操作することで、場外入出庫台車２１に対するパレット２００の荷積みや荷卸しが行なわれる。場外入出庫台車２１が倉庫側に位置しているとき、場外入出庫台車２１と自動倉庫７０との間でパレット２００の受け渡しが行なわれる。
【００４７】
場外エリア２０には、場外入出庫台車２１の荷捌き側に近接して定置式タグリーダ８０が設置されている。定置式タグリーダ８０は、無線タグからの情報を読み取る位置が固定された据置型読取装置である。場外エリア２０に設置された定置式タグリーダ８０は、場外入出庫台車２１が荷捌き側に位置しているときに、場外入出庫台車２１に搭載されたパレット２００に付設されているパレットタグ１６から無線通信によって自動的にタグＩＤを含む各種情報を読み取り可能に構成されている。パレットタグ１６は、台座２０１の側面位置に設けられているため、定置式タグリーダ８０により側方から容易にパレットタグ１６を読み取ることができる。
【００４８】
研磨エリア３０は、購入直後の新規ロール１００や使用済みの旧ロール１００などを研磨するための作業領域である。研磨エリア３０には、ロール１００の表面に対して研磨処理を施す第一研磨機３１及び第二研磨機３２が設置されている。第一研磨機３１及び第二研磨機３２は、それぞれ１サイクルの研磨作業につき１本のロール１００に対してのみ研磨処理を施すことができる。第一研磨機３１及び第二研磨機３２に近接して、手動操作で昇降可能なクレーン装置（図示外）が各々設けられている。作業者がクレーン装置を操作することにより、第一研磨機３１及び第二研磨機３２に対してロール１００を設置又は取り外すことができる。
【００４９】
研磨エリア３０には、ロール１００やパレット２００が保留状態で仮置きされる仮置きスペース３９が設けられている。更に、研磨エリア３０には、研磨入出庫トラバーサ３３、第一研磨コンベア３４、第二研磨コンベア３５、中央研磨コンベア３６、研磨待リフタ３７及び研磨済リフタ３８、の各種搬送機器が配設されている。
【００５０】
研磨入出庫トラバーサ３３は、研磨エリア３０から自動倉庫７０に進入した位置（倉庫側）と、自動倉庫７０から研磨エリア３０に退出した位置（研磨側）との間で、パレット２００を搭載して移動する。研磨入出庫トラバーサ３３は、パレット２００を搭載して水平面内で旋回可能なターンテーブルで構成された搭載部を有している。研磨入出庫トラバーサ３３は、研磨側に位置しているとき、研磨側に接続された第一研磨コンベア３４、第二研磨コンベア３５又は中央研磨コンベア３６の方向に搭載部を適宜旋回させ、パレット２００の受け渡しを行う。研磨入出庫トラバーサ３３が倉庫側に位置しているときに、自動倉庫７０との間でパレット２００の受け渡しが行われる。
【００５１】
第一研磨コンベア３４は、第一研磨機３１側で研磨入出庫トラバーサ３３とパレット２００の受け渡しを行う。第二研磨コンベア３５は、第二研磨機３２側で研磨入出庫トラバーサ３３とパレット２００の受け渡しを行う。中央研磨コンベア３６は、第一研磨機３１と第二研磨機３２との中間位置で研磨入出庫トラバーサ３３とパレット２００の受け渡しを行う。中央研磨コンベア３６は、第一研磨機３１と第二研磨機３２との略中間位置に延設された搬送ラインを有している。中央研磨コンベア３６の搬送ラインの終端側には、研磨入出庫トラバーサ３３側から順に研磨待リフタ３７及び研磨済リフタ３８が配設されている。
【００５２】
研磨待リフタ３７は、上段位置と下段位置との間でパレット２００を昇降させる。研磨待リフタ３７は、下段位置にて中央研磨コンベア３６とパレット２００の受け渡しを行う。作業者は、クレーン操作によって、上段位置の実パレット２００から第一研磨機３１及び第二研磨機３２へロール１００を移載することができる。
【００５３】
研磨済リフタ３８は、上段位置と下段位置との間でパレット２００を昇降させる。研磨済リフタ３８は、下段位置にて研磨待リフタ３７とパレット２００の受け渡しを行う。作業者は、クレーン操作によって、第一研磨機３１及び第二研磨機３２から上段位置の空パレット２００にロール１００を移載することができる。
【００５４】
第一研磨機３１、第二研磨機３２、第一研磨コンベア３４、第二研磨コンベア３５のそれぞれに近接して定置式タグリーダ８０がそれぞれ設置されている。第一研磨機３１及び第二研磨機３２に付設された定置式タグリーダ８０は、ロールエンドカバー１１０を載置可能に構成されており、載置されたロールエンドカバー１１０に搭載されたロールタグ１５から、無線通信により自動的にタグＩＤを読み取る。第一研磨コンベア３４に付設された定置式タグリーダ８０は、第一研磨コンベア３４に搬送されたパレット２００のパレットタグ１６からタグＩＤを読み取る。第二研磨コンベア３５に付設された定置式タグリーダ８０は、第二研磨コンベア３５に搬送されたパレット２００のパレットタグ１６からタグＩＤを読み取る。
【００５５】
ダルエリア４０は、研磨済みのロール１００にダル加工を施すための作業領域である。ダルエリア４０には、研磨済ロール１００の表面処理（ショットブラスト）を行なうダル加工機４１が配設されている。ダル加工機４１は、１回のダル作業につき１本のロール１００に対してのみダル加工を施すことができる。
【００５６】
ダルエリア４０には、更に、ダル供給台車４２、ダル回収台車４３及びダルロール移載機４４の各種搬送機器が配設されている。ダル供給台車４２及びダル回収台車４３は、ダルエリア４０と自動倉庫７０との間をつないでおり、ダルエリア４０から自動倉庫７０に進入した位置（倉庫側）と、自動倉庫７０からダルエリア４０に退出した位置（ダル側）との間で、パレット２００を搭載して移動する。ダル供給台車４２及びダル回収台車４３が、それぞれ倉庫側に位置しているとき、自動倉庫７０との間でパレット２００の受け渡しが行われる。ダルロール移載機４４は、ロール１００を一本ずつハンドリングして、旋回動作によって移動させるロボットアームである。ダルロール移載機４４は、ダル側に位置しているダル供給台車４２に搭載されたパレット２００からダル加工機４１にロール１００を移載する。更に、ダルロール移載機４４は、ダル加工機４１からロール１００をダル側に位置しているダル回収台車４３に搭載されたパレット２００に移載する。
【００５７】
自動倉庫７０は、複数のパレット２００（実パレット及び空パレット）を収容するとともに、各作業領域との間でパレット２００を入出庫可能に構成されている。自動倉庫７０の詳細を図１及び図２を参照して説明する。図２は、自動倉庫７０を斜め上方からみた外観斜視図である。
【００５８】
図２に示すように、自動倉庫７０は、第一倉庫列７０ａ及び第二倉庫列７０ｂとクレーン７１により構成されている。第一倉庫列７０ａ及び第二倉庫列７０ｂは、それぞれ、壁状の枠状構造体であり、二列に並んで対向配置されている。第一倉庫列７０ａ及び第二倉庫列７０ｂは、それぞれ複数の収容棚（ステーションとも称する。）を長手方向（左右方向）及び短手方向（上下方向）に沿ってマトリクス状に配設することにより構成されている。第一倉庫列７０ａ及び第二倉庫列７０ｂのそれぞれにおいて、収容棚は、長手方向に１５連並び、各連において短手方向（上下方向）に５段積み重ねられた構成をもつ。１台の収容棚には１台のパレット２００を収容することができる。クレーン７１は、第一倉庫列７０ａ及び第二倉庫列７０ｂの間隙を自動制御で移動可能なように構成されている。クレーン７１は、任意の収容棚に隣接する位置まで移動自在であって、各収容棚に対して１パレット単位でパレット２００を格納及び取出を行う。
【００５９】
本実施形態では、第一倉庫列７０ａ及び第二倉庫列７０ｂを、順に１列、２列と数える。第一倉庫列７０ａ及び第二倉庫列７０ｂのそれぞれにおいて、長手方向に沿って端から順に１連、２連、・・・、１５連と数える。１連目の収容棚は、場外エリア２０側に配設されている。１５連目の収容棚は、入出庫エリア５０側に配設されている。各連において、下段から上段に向けて１段、２段、・・・、５段と数える。各収容棚の位置（ロケーション）は、「列―連−段」の順で数字表記される。例えば、収容棚「１−７−５」は、１列目、７連目、５段目の収容棚を示す。
【００６０】
第一倉庫列７０ａ及び第二倉庫列７０ｂは、それぞれ、最大７５箇所（自動倉庫７０全体では最大１５０箇所）の収容棚を有する。収容棚には、パレット２００を実際に保管可能な通常棚と、パレット２００を保管不可能な禁止棚が含まれている。禁止棚は、他の搬送機器が進入してクレーン７１との間でパレット２００の受け渡しが行なわれる位置の収容棚である。具体的には、場外入出庫台車２１が入退出する収容棚「２−１−１」、研磨入出庫トラバーサ３３が入退出する収容棚「１−５−１」及び「１−５−２」、ダル供給台車４２が入退出する収容棚「１−１１−１」、ダル回収台車４３が入退出する収容棚「１−１２−１」、の５箇所が禁止棚である。通常棚は、最大１４５箇所となる。
【００６１】
図１に示すように、入出庫エリア５０は、自動倉庫７０の終端位置（１５連目）に隣接して設けられた中継領域である。入出庫エリア５０は、自動倉庫７０から出庫されて圧延エリア６０へ供給されるパレット２００と、圧延エリア６０から回収されて自動倉庫７０に入庫されるパレット２００とを中継する。入出庫エリア５０には、搬送機器である出庫コンベア５１及び入庫コンベア５２が配設されている。出庫コンベア５１は、自動倉庫７０から荷受したパレット２００をメイントラバーサ９０まで片道搬送する。入庫コンベア５２は、メイントラバーサ９０から荷受したパレット２００を自動倉庫７０まで片道搬送する。
【００６２】
メイントラバーサ９０は、入出庫エリア５０と圧延エリア６０とを繋いでいる。メイントラバーサ９０は、パレット２００を１つずつ搭載可能な２つのバッファ（供給部９１及び回収部９２）を有しているため、最大２つのパレット２００を同時に搬送することができる。供給部９１及び回収部９２は、メイントラバーサ９０の移動方向に沿って、並んで配置されている。供給部９１は、回収部９２よりも圧延エリア６０に近くなるように配設されている。
【００６３】
図１に示す圧延エリア６０では、被加工物の圧延作業が行われる。
【００６４】
圧延エリア６０には、ＺＭ圧延機２及びＺＭ圧延機２で使用されるロール１００を交換するための組替台車（チェンジャー）６９が設けられている。作業者はチェンジャー６９を使用して、ＺＭ圧延機２に形成されたロール交換用開口部（図示外）を介してロール１００を一本ずつ引抜き又は挿入することによりロール交換を行う。図２４のオペレーションＹ５に示すように、チェンジャー６９は、ロール保持台である供給側上段６９ａ、供給側下段６９ｂ、回収側６９ｃ及び再利用部６９ｄと、ロール搬送台である組込部６９ｅとから構成される。再利用部６９ｄは、使用済みの旧ロール１００をＺＭ圧延機２にて再利用するために仮置きするためのロール保持台である。組込部６９ｅは、ＺＭ圧延機２のロール交換用開口部に挿脱される方向（ＺＭ圧延機２に対する前後方向）に移動可能なロール搬送台である。組込部６９ｅは、各ロール保持台との間でロール１００を受け渡し可能に連接されるとともに、ロール１００を搭載して前進することで当該ロール１００をＺＭ圧延機２内に挿入し、ロール１００を搭載して後進することで当該ロール１００をＺＭ圧延機２内から抜脱する。チェンジャー６９には、ロール１００の搭載位置を検出するとともに、検出した位置をＺＭプロコン４に送信する複数のセンサが設けられている。
【００６５】
圧延エリア６０には、更に、チェンジャー６９に新ロール１００を供給するためのＺＭ供給エリア６１、及び、チェンジャー６９から旧ロール１００を回収するためのＺＭ回収エリア６２が作業領域として設けられている。
【００６６】
ＺＭ供給エリア６１には、実ストックコンベア６３、２台の受渡リフタ６４ａ、６４ｂ及びロール供給トラバーサ６５の各種搬送機器が配設されている。
【００６７】
実ストックコンベア６３の上段位置６３ａ、下段位置６３ｂ及び中段位置６３ｃは、１つずつパレット２００を収容可能に構成されている。実ストックコンベア６３は、上段位置６３ａ、下段位置６３ｂ及び中段位置６３ｃの各段において前方位置と後方位置との間でパレット２００を前後方向に搬送する。
【００６８】
実ストックコンベア６３の後方位置には、昇降可能な受渡リフタ６４ａがメイントラバーサ９０に隣接して設けられている。受渡リフタ６４ａは、後方位置の実ストックコンベア６３の各段とメイントラバーサ９０の供給部９１との間でパレット２００の受け渡しを行う。
【００６９】
実ストックコンベア６３の前方位置には、昇降可能な受渡リフタ６４ｂがロール供給トラバーサ６５に隣接して設けられている。受渡リフタ６４ｂは、前方位置の実ストックコンベア６３の各段と後進位置のロール供給トラバーサ６５との間でパレット２００の受け渡しを行う。
【００７０】
ロール供給トラバーサ６５は、受渡リフタ６４ｂに隣接する後進位置と、チェンジャー６９に隣接する前進位置との間で、パレット２００を搭載して移動する。ロール供給トラバーサ６５は、上段位置６５ａ及び下段位置６５ｂにパレット２００の収容部を有しており、最大で２つのパレット２００を同時に搬送することができる。ロール供給トラバーサ６５が前進位置にあるとき、作業者はロール供給トラバーサ６５をチェンジャー６９に連結することが可能となる。ロール供給トラバーサ６５の上段位置６５ａは、チェンジャー６９の供給側上段６９ａと連結される。ロール供給トラバーサ６５の下段位置６５ｂは、チェンジャー６９の供給側下段６９ｂと連結される。
【００７１】
ＺＭ回収エリア６２には、空ストックコンベア６６、２台の受渡リフタ６７ａ、６７ｂ及びロール回収トラバーサ６８の各種搬送機器が配設されている。
【００７２】
空ストックコンベア６６の上段位置６６ａ、下段位置６６ｂ及び中段位置６６ｃは、１つずつパレット２００を収容可能に構成されている。空ストックコンベア６６は、上段位置６６ａ、下段位置６６ｂ及び中段位置６６ｃの各段において前方位置と後方位置との間でパレット２００を前後方向に搬送する。
【００７３】
空ストックコンベア６６の後方位置には、昇降可能な受渡リフタ６７ａがメイントラバーサ９０に隣接して設けられている。受渡リフタ６７ａは、後方位置の空ストックコンベア６６の各段とメイントラバーサ９０の回収部９２との間でパレット２００の受け渡しを行う。
【００７４】
空ストックコンベア６６の前方位置には昇降可能な受渡リフタ６７ｂがロール回収トラバーサ６８に隣接して設けられている。受渡リフタ６７ｂは、前方位置の空ストックコンベア６６の各段と後進位置のロール回収トラバーサ６８との間でパレット２００の受け渡しを行う。
【００７５】
ロール回収トラバーサ６８は、受渡リフタ６７ｂに隣接する後進位置と、チェンジャー６９に隣接する前進位置との間で、パレット２００を搭載して移動する。ロール回収トラバーサ６８は、１つのパレット２００を収容可能な１段の収容部のみを有している。ロール回収トラバーサ６８が前進位置にあるときに、作業者はロール回収トラバーサ６８をチェンジャー６９に連結することが可能となる。チェンジャー６９の回収側６９ｃは、ロール回収トラバーサ６８と連結される。
【００７６】
作業者がロール供給トラバーサ６５からチェンジャー６９に新ロール１００を移載する場合、ロール供給トラバーサ６５とチェンジャー６９が連結状態であることを要する。作業者がチェンジャー６９からロール回収トラバーサ６８に旧ロール１００を移載する場合、ロール回収トラバーサ６８及びチェンジャー６９が連結状態であることを要する。
【００７７】
［ロールショップ管理システム１のシステム構成］
次に、図７を参照して、ロールショップＰを管理するロールショップ管理システム１の全体構成について説明する。図７は、ロールショップ管理システム１の全体構成を概略的に示すシステム構成図である。
【００７８】
図７に示すように、ロールショップ管理システム１は、大容量ハードディスクを複数組み合わせた外部記憶装置（ＲＡＩＤ；ｒｅｄｕｎｄａｎｔ  ａｒｒａｙｓ  ｏｆ  ｉｎｅｘｐｅｎｓｉｖｅ  ｄｉｓｋｓ）３００、ＺＭプロコン４、複数のＰＣ（ｐｅｒｓｏｎａｌ  ｃｏｍｐｕｔｅｒ）５、第一研磨機３１、第二研磨機３２、ダル加工機４１、ダルロール移載機４４、クレーン制御盤７８、周辺制御盤７９、複数の定置式タグリーダ８０、複数の無線ＨＴ（ｈａｎｄｙ  ｔｅｒｍｉｎａｌ）６及び測定器８５などが、複数のＨＵＢ装置８９、無線ＡＰ（ａｃｃｅｓｓ  ｐｏｉｎｔ）７、レシーバ８７及びトランスミッタ８６を介して管理サーバ３に有線通信又は無線通信で接続されたシステム構成をなす。
【００７９】
ロールショップ管理システム１は、ロールショップＰに関する各種情報（ロール１００やパレット２００に関する情報を含む。）の管理機能に加えて、各ロール加工装置（第一研磨機３１、第二研磨機３２及びダル加工機４１）への加工指示、圧延エリア６０に対するロール１００の供給及び回収、各搬送機器の動作制御などの機能を実現している。
【００８０】
管理サーバ３は、ロールショップ管理システム１の全体制御を司るメインサーバである。管理サーバ３は、ＣＰＵ（ｃｅｎｔｒａｌ  ｐｒｏｃｅｓｓｉｎｇ  ｕｎｉｔ）、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、各種入出力装置などを有する。管理サーバ３は、有線通信又は無線通信で接続されている各種機器に指令及び各種情報を送信して動作制御を実行するとともに、有線通信又は無線通信で接続されている各種機器から各種情報を受信する。管理サーバ３は、受信した情報に基づいてロールショップＰに関する各種情報の一元管理（具体的には、各種データの入出力、検索、設定等）している。ロールショップＰに関する情報は、外部記憶装置３００に管理データベース（ＤＢ；ｄａｔａ  ｂａｓｅ）として記憶されている。管理サーバ３は、外部記憶装置３００に記憶された情報に基づいてロールショップ作業に関する各種処理を制御する。本実施形態では、管理サーバ３は、ロールショップＰとは異なる場所（例えば、計算機室）に設置されて電気的及び物理的に保護されている。作業者は、管理サーバ３に近接して設けられた管理ＰＣ（図示外）により、管理サーバ３を直接操作する。
【００８１】
ＺＭプロコン４は、ＺＭ圧延機２の動作制御を司るコントローラであり、圧延エリア６０内でＺＭ圧延機２に併設されている。ＺＭプロコン４は、管理サーバ３との間で各種情報を送受信する。例えば、ＺＭプロコン４は、圧延作業に際してＺＭ圧延機２にて使用されるロール１００に関する情報を管理サーバ３から受信する。更に、ＺＭプロコン４は、圧延作業が終了するとＺＭ圧延機２で使用されたロール１００に関する圧延データ（ロール圧延実績）を管理サーバ３に送信する。
【００８２】
複数のＰＣ５は、作業者が管理サーバ３に対して各種指示の入力を行なったり、管理サーバ３から受信した各種情報の出力を行なったりするためのクライアント端末であり、ＣＰＵ、ＲＯＭ、ＲＡＭ、ディスプレイ、キーボード、プリンタなどを有する汎用のパーソナルコンピュータと同一構成をなす。本実施形態では、ＰＣ５は、ロールショップＰの作業領域ごとに一台ずつ設置されている。複数のＰＣ５は、場外エリア２０に設置された場外エリアＰＣ５ａ、研磨エリア３０の第一研磨機３１及び第二研磨機３２にそれぞれ対応して設置された研磨エリアＰＣ５ｂ及び研磨エリアＰＣ５ｃ、ダルエリア４０に設置されたダルエリアＰＣ５ｄ、及び、圧延エリア６０に設置された圧延エリアＰＣ５ｅの計５台からなる。
【００８３】
第一研磨機３１、第二研磨機３２及びダル加工機４１は、管理サーバ３との間で各種情報を送受信可能に構成されるとともに、管理サーバ３の指令に応じて各々の加工処理を実行する。例えば、第一研磨機３１及び第二研磨機３２は、管理サーバ３から研磨指令を受信すると研磨処理を実行し、研磨処理が終了すると研磨済ロール１００に関する情報（ロール研磨実績）を管理サーバ３に送信する。ダル加工機４１は、管理サーバ３からダル指令を受信するとダル加工処理を実行し、ダル加工処理が終了するとダル済ロール１００に関する情報（ダル加工実績）を管理サーバ３に送信する。
【００８４】
クレーン制御盤７８及び周辺制御盤７９は、ロールショップＰに設置された各種搬送機器を制御するためのプログラマブルロジックコントローラ（ＰＬＣ；ｐｒｏｇｒａｍｍａｂｌｅ  ｌｏｇｉｃ  ｃｏｎｔｒｏｌｌｅｒ）であって、自動倉庫７０に設置されており、管理サーバ３との間で各種情報を送受信可能に構成されている。
【００８５】
クレーン制御盤７８は、自動倉庫７０のクレーン７１、場外入出庫台車２１、研磨入出庫トラバーサ３３、第一研磨コンベア３４、第二研磨コンベア３５、中央研磨コンベア３６、ダル供給台車４２、ダル回収台車４３及びダルロール移載機４４を制御対象とし、管理サーバ３の指令に応じて各々の搬送動作を実行する。例えば、クレーン制御盤７８は、管理サーバ３から作業指示を受信すると制御対象の搬送機器に搬送処理を実行させ、搬送処理が終了すると作業完了応答とともに現在の状態に関する情報（ステータス情報）を管理サーバ３に送信する。ステータス情報には、各搬送機器の位置情報、動作状況、パレット２００の在籍情報が含まれる。
【００８６】
ダルロール移載機４４は、クレーン制御盤７８と専用のネットワークによって接続されており、クレーン制御盤７８を介して管理サーバ３と情報を送受信する。ダルロール移載機４４とダル加工機４１は接点取り合いの構成となっており、一方が動作中のときは他方が停止することで誤動作が防止されるようになっている（いわゆる、インターロック）。
【００８７】
周辺制御盤７９は、出庫コンベア５１、入庫コンベア５２、実ストックコンベア６３、空ストックコンベア６６及びメイントラバーサ９０の搬送機器を制御対象とし、管理サーバ３の指令に応じて各々の搬送動作を実行する。例えば、周辺制御盤７９は、管理サーバ３から作業指示を受信すると制御対象の搬送機器に搬送処理を実行させ、搬送処理が終了すると作業完了応答とともに現在の状態に関する情報（ステータス情報）を管理サーバ３に送信する。ステータス情報には、各搬送機器の位置情報、動作状況、パレット２００の在籍情報が含まれる。
【００８８】
複数の無線ＨＴ６は、無線タグに対して無線通信で各種情報の読み取り又は／及び書き込みを行う。無線ＨＴ６は、作業者が携行可能な小型軽量の端末装置である。無線ＨＴ６は、作業者によって直接作業が行われる場外エリア２０、研磨エリア３０、ダルエリア４０及び圧延エリア６０にそれぞれ１台ずつ設置されている。無線ＨＴ６は、ロールショップＰに適宜配置されている無線ＡＰ７と無線通信が可能である。各無線ＡＰ７はＨＵＢ装置８９を介して管理サーバ３と有線接続されている。各無線ＨＴ６は、いずれかの無線ＡＰ７を介して、管理サーバ３との間で各種情報を送受信することができる。更に、無線ＨＴ６は、各種情報を表示するディスプレイを有している。
【００８９】
無線ＨＴ６は、ロール１００のタグＩＤを読み取るとともに、タグＩＤを管理サーバ３に送信するタグ読取処理機能を有している。作業領域には、管理サーバ３に送信するためのコマンドを記憶した無線タグ（アクションタグ１７）が適宜設置されている。無線ＨＴ６は、アクションタグ１７のコマンドを読み取るとともに、コマンドを管理サーバ３に送信するコマンド受付処理機能を有している。無線ＨＴ６は、印刷されたバーコード情報を読み取るとともに、バーコード情報を管理サーバ３に送信する機能を有している。無線ＨＴ６は、管理サーバ３から情報を受信して表示する機能を有する。
【００９０】
ロールショップＰの各作業領域には、作業者が直接人手で行なう作業（人介作業）に対応して、コマンドを付記したアクションタグ１７が付設されている。アクションタグ１７は、パレットタグ１６と同様のカード型無線タグであり、各無線タグに固有のタグＩＤが記憶されている。外部記憶装置３００は、各アクションタグ１７のタグＩＤを、アクションタグ１７に表記されているコマンドと対応付けて記憶している。例えば、作業者が無線ＨＴ６にて「ロール購入」のアクションタグ１７が読み取ることにより、無線ＨＴ６にて「ロール購入」コマンドが直接入力されなくても、管理サーバ３で自動的に「ロール購入」コマンドが入力されたものと判断される。場外エリア２０には、「ロール購入」、「入庫設定（場外）」及び「ロール廃却」のアクションタグ１７が付設されている。研磨エリア３０には、「ロール移動（ＴＯ研磨済リフタ）」のアクションタグ１７が付設されている。圧延エリア６０には、「圧延使用前ロール移動」及び「圧延使用済ロール移動」のアクションタグ１７が付記されている。
【００９１】
研磨エリア３０には、測定器８５、トランスミッタ８６及びレシーバ８７から構成される無線式マイクロメータが設けられている。測定器８５は、作業者がロール径を実測するための小型マイクロメータである。トランスミッタ８６は、測定器８５に一体に取り付けられた小型の無線送信機である。レシーバ８７は、ＨＵＢ装置８９を介して管理サーバ３と有線接続されるとともに、トランスミッタ８６との間でＶＨＳ帯での無線通信を行なう無線受信機である。測定器８５は、研磨エリア３０の第一研磨機３１及び第二研磨機３２の近傍に置かれており、作業者が測定器８５で研磨済ロール１００のロール径を計測すると、そのロール径情報がトランスミッタ８６からレシーバ８７に自動送信され、レシーバ８７によって受信されたロール径情報は管理サーバ３に送信される。
【００９２】
複数の定置式タグリーダ８０は、場外エリア２０に１台及び研磨エリア３０に４台設置されている。各定置式タグリーダ８０は、ＨＵＢ装置８９を介して管理サーバ３と有線接続されており、各定置式タグリーダ８０で読み取られたロールタグ１５のタグＩＤ及びパレットタグ１６のタグＩＤが自動的に管理サーバ３に送信される。場外エリア２０に設置された定置式タグリーダ８０は、場外入出庫台車２１が荷捌き側に位置しているときに、場外入出庫台車２１に搭載されたパレット２００に付設されているパレットタグ１６からタグＩＤを読み取り、当該タグＩＤを管理サーバ３に送信する。第一研磨機３１及び第二研磨機３２のそれぞれに付設された各定置式タグリーダ８０は、ロールタグ１５から無線通信により自動的にタグＩＤを読み取り、当該タグＩＤを管理サーバ３に送信する。第一研磨コンベア３４及び第二研磨コンベア３５のそれぞれに付設された定置式タグリーダ８０は、パレットタグ１６から、無線通信により自動的にタグＩＤを読み取り、当該タグＩＤを管理サーバ３に送信する。
【００９３】
複数種のロール１００のうちで、ストリップに直接当接して圧延するワークロール１００ａは、他種ロールと比較してロール交換頻度が極めて高く、かつ、ロールショップＰに導入されるロール本数も他種ロールと比較して格段に多い。以下の説明では、管理サーバ３にてワークロール１００ａに関する各種情報が管理される流れ、及び、ワークロール１００ａがロールショップＰに導入されてから廃棄されるまでの流れを中心に説明する。以下、ロール種別を限定することなく単に「ロール１００」と称する場合は、原則としてワークロール１００ａを指すものとする。
【００９４】
外部記憶装置３００に構築された管理ＤＢには、図８のデータ構成図に示された倉庫管理ＤＢ３１０、図９のデータ構成図に示されたパレット管理ＤＢ３３０及び図１０のデータ構成図に示されたロール管理ＤＢ３５０が含まれている。
【００９５】
図８に示すように、倉庫管理ＤＢ３１０は、自動倉庫７０内に設けられた複数の収容棚を管理するためのデータベースである。倉庫管理ＤＢ３１０は、複数のレコードで構成されている。倉庫管理ＤＢ３１０の各レコードは、ロケーション３１１、棚状態３１２、予約状態３１３、禁止状態３１４、パレットＮｏ３１５をデータ項目として有する。ロケーション３１１は、自動倉庫７０内における収容棚の位置を「列―連−段」の形式で示すデータであり、各レコードに対応する収容棚を一意に識別するためのキーとなる。棚状態３１２は、ロケーション３１１で示された収容棚にパレット２００が収容されているか否かを示すデータである。予約状態３１３は、ロケーション３１１で示された収容棚に対してパレット２００の入庫予約又は出庫予約がなされているかを示すデータである。禁止状態３１４は、ロケーション３１１で示された収容棚が禁止棚と通常棚との何れであるかを示すデータである。パレットＮｏ３１５は、ロケーション３１１で示された収容棚に収容されているパレット２００に固有の識別番号である。
【００９６】
図９に示すように、パレット管理ＤＢ３３０は、ロールショップＰに導入されるパレット２００を管理するためのデータベースである。パレット管理ＤＢ３３０は、複数のレコードで構成されている。パレット管理ＤＢ３３０の各レコードは、パレットＮｏ３３１、パレットタグＩＤ３３２、パレット区分３３３、パレット状態３３４、パレット種類３３５、使用禁止区分３３６、在籍位置３３７、ロール径区分３３８、ロール本数３３９及びロールＮｏ３４０の各データ項目で構成されている。データ項目はこれより多くてもよいし、少なくてもよい。
【００９７】
パレットＮｏ３３１は、パレットＮｏ３１５と同じくパレット２００に固有の識別番号であり、各レコードに対応するパレット２００を一意に識別するためのキーとなる。パレットタグＩＤ３３２は、パレットＮｏ３３１で示されるパレット２００とデータ上の関連付け（紐付け）がなされたパレットタグ１６に記憶されている固有のＩＤ情報である。パレット区分３３３は、パレットＮｏ３３１で示されたパレット２００に搭載するのに適したロール１００の種別を示すデータである。パレット状態３３４は、パレットＮｏ３３１で示されたパレット２００のロールショップ作業における現在の進捗状態を示すデータである。パレット種類３３５は、パレットＮｏ３３１で示されたパレット２００にロール１００が搭載されているか否かを示すデータである。使用禁止区分３３６は、パレットＮｏ３３１で示されたパレット２００の使用可否や使用保留などを示すデータである。在籍位置３３７は、パレットＮｏ３３１で示されたパレット２００の現在位置を示すデータである。ロール径区分３３８は、パレットＮｏ３３１で示されたパレット２００に搭載されている複数のロール１００が予め定められたロール径に応じた区分の何れに属しているかを示すデータである。ロール本数３３９は、パレットＮｏ３３１で示されたパレット２００に搭載されているロール１００の本数を示すデータである。ロールＮｏ３４０は、パレットＮｏ３３１で示されたパレット２００に搭載されている各ロール１００に固有の識別番号であり、パレット２００上の搭載位置とともに、各ロール１００の識別番号が１本目から順に最大１０本目まで設定される。
【００９８】
図１０に示すように、ロール管理ＤＢ３５０は、ロールショップＰに導入されるロール１００を管理するためのデータベースである。ロール管理ＤＢ３５０は、複数のレコードで構成されている。ロール管理ＤＢ３５０の各レコードは、ロールＮｏ３５１、ロールタグＩＤ３５２、ロール区分３５３、ロール径区分３５４、在籍位置３５５、ロール加工状態３５６、ロール管理状態３５７、パレットＮｏ３５８、パレット内位置３５９、圧延関連情報３６０、研磨関連情報３６１及びダル関連情報３６２の各データ項目で構成されている。データ項目はこれより多くてもよいし、少なくてもよい。
【００９９】
ロールＮｏ３５１は、ロールＮｏ３４０と同じくロール１００に固有の識別番号であり、各レコードに対応するロール１００を一意に識別するためのキーとなる。ロールタグＩＤ３５２は、ロールＮｏ３４０で示されたロール１００にデータ上の関連付け（紐付け）がなされたロールタグ１５に記憶されているユニークなＩＤ情報である。ロール区分３５３は、ロールＮｏ３４０で示されたロール１００の種別を示すデータである。ロール径区分３５４は、ロール径区分３３８と同じくロールＮｏ３４０で示されたロール１００が属するロール径区分を示すデータである。在籍位置３５５は、ロールＮｏ３４０で示されたロール１００の現在位置を示すデータである。ロール加工状態３５６は、ロールＮｏ３４０で示されたロール１００の現在の加工状態を示すデータである。ロール管理状態３５７は、ロールＮｏ３４０で示されたロール１００のロールショップ作業における現在の進捗状態を示すデータである。パレットＮｏ３５８は、パレットＮｏ３３１と同じくロールＮｏ３４０で示されたロール１００が搭載されているパレット２００に固有の識別番号である。パレット内位置３５９は、ロールＮｏ３４０で示されたロール１００がパレット２００内における何れの位置に搭載されているかを示すデータである。圧延関連情報３６０は、ＺＭ圧延機２で使用されたロールＮｏ３４０で示されたロール１００に関する各種情報（ロール圧延実績など）である。研磨関連情報３６１は、第一研磨機３１及び第二研磨機３２で使用されたロールＮｏ３４０で示されたロール１００に関する各種情報（ロール研磨実績など）である。ダル関連情報３６２は、ダル加工機４１で使用されたロールＮｏ３４０で示されたロール１００に関する各種情報（例えば、ダル加工実績など）である。
【０１００】
外部記憶装置３００には、ロール１００やパレット２００の位置データ（トラッキング情報）が記憶されている。トラッキング情報は、各設備機器から管理サーバ３に出力されるステータス情報に応じて更新される。管理サーバ３は、ロール１００やパレット２００の詳細な現在位置を、トラッキング情報に基づいてトラッキング（追跡）する。
【０１０１】
[ロールショップ管理システムの運用制御について]
以下では、上記説明したロールショップ管理システム１（特に、管理サーバ３）にて実行される運用制御について、図１１〜図３１を参照して説明する。図１１は、ロールショップ作業の流れを示すフローチャートである。図１２は、ロール導入工程にて実行されるオペレーションＶの流れを例示する図である。図１３は、図１２に引き続いてオペレーションＶの流れを例示する図である。図１４は、「新規入庫処理」を示すフローチャートである。図１５は、「導入ロール設定処理」を示すフローチャートである。図１６は、ロール研磨工程にて実行されるオペレーションＷの流れを例示する図である。図１７は、図１６に引き続いてオペレーションＷの流れを例示する図である。図１８は、「研磨自動入出庫処理」を示すフローチャートである。図１９は、「研磨実行処理」を示すフローチャートである。図２０は、「ロール移動処理」を示すフローチャートである。図２１は、ダル加工工程にて実行されるオペレーションＸの流れを例示する図である。図２２は、「ダル自動入出庫処理」を示すフローチャートである。図２３は、「ダル加工実行処理」を示すフローチャートである。図２４は、ロール交換工程にて実行されるオペレーションＹの流れを例示する図である。図２５は、図２４に引き続いてオペレーションＹの流れを例示する図である。図２６は、図２５に引き続いてオペレーションＹの流れを例示する図である。図２７は、圧延自動入出庫処理を示すフローチャートである。図２８は、「圧延使用前ロール移動処理」を示すフローチャートである。図２９は、「圧延使用済ロール移動処理」を示すフローチャートである。図３０は、ロール廃却工程にて実行されるオペレーションＺの流れを例示する図である。図３１は、廃却出庫処理を示すフローチャートである。
【０１０２】
まず、図１１を参照して、ロールショップ管理システム１にて実行される運用制御の概要について説明する。図１１に示すように、本実施形態のロールショップ作業は、主として、ロール導入工程、ロール研磨工程、ダル加工工程、ロール交換工程及びロール廃却工程という５つの作業工程（プロセスＴと表記する。）で構成され、各作業工程はロールショップ管理システム１の運用制御のもとで実行される。
【０１０３】
本実施形態のロールショップ作業の流れを説明すると、まずロール導入工程（プロセスＴ１）にてロール１００がロールショップＰに導入される。次に、ロール研磨工程（プロセスＴ２）にて、第一研磨機３１及び第二研磨機３２を用いてロール１００のロール表面に研磨処理が施される。次に、必要に応じて、ダル加工工程（プロセスＴ３）にて、ダル加工機４１で研磨済みのロール１００のロール表面にダル加工が施される。次に、ロール交換工程（プロセスＴ４）にて、ＺＭ圧延機２に組み込まれている使用済みの旧ロール１００が、研磨済み又はダル済みの新ロール（新ロール）１００に交換される。次に、ＺＭ圧延機２から交換された旧ロール１００が、ロール研磨工程（プロセスＴ２）にて再び研磨処理が行なわれて再利用され、又は、ロール廃却工程（プロセスＴ５）にてロールショップＰから廃却される。
【０１０４】
以下では、ロールショップ管理システム１における各作業工程（プロセスＴ１〜Ｔ５）の運用制御を、作業者や各種機器が実行する一連の動作（オペレーションＶ、Ｗ、Ｘ、Ｙ、Ｚと表記する。）と、管理サーバ３（詳細には、ＣＰＵ）が実行する一連の内部的処理（Ｓと表記する。）と、を対比しつつ説明する。また、本実施形態では、１０本のロール１００（ロールＮｏ「ＡＢ３４０」〜「ＡＢ３４９」）をロールショップ作業に適用した場合を例示して、ロール１００がロールショップＰに導入されてから廃却されるまでの一連の流れを具体的に説明する。
【０１０５】
ロール管理ＤＢ３５０には、新規購入したロール１００に関する情報が、あらかじめレコードとして記憶されているものとする。ここでは、ロール管理ＤＢ３５０に、１０本の新規ロール１００に対応して、ロールＮｏ３５１「ＡＢ３４０」〜「ＡＢ３４９」が各々設定された１０レコードが記憶されている。各レコードのロール区分３５３は「ＷＲ」に設定されている。ロール径区分３５４は「Ａ」に設定されている。在籍位置３５５は「場外」に設定されている。ロール加工状態３５６は「購入」に設定されている。ロール管理状態３５７は「購入作業中」に設定されている。他のデータ項目は空欄である。
【０１０６】
パレット管理ＤＢ３３０には、４つのパレットＮｏ３３１「Ｗ００１」〜「Ｗ００４」が各々設定された４レコードが記憶されており、各レコードにはパレットタグＩＤ３３２「９０００１」〜「９０００４」がそれぞれ設定されている。各レコードのパレット区分３３３は「ＷＲ」に設定されている。パレット種類３３５は「空パレット」に設定されている。使用禁止区分３３６は「使用可」に設定されている。ロール本数３３９は「０」に設定されている。パレットＮｏ３３１が「Ｗ００１」であるパレット２００のパレット状態３３４は「在庫（場外）」に設定され、在籍位置３３７は「場外」に設定されている。パレット２００「Ｗ００２」〜「Ｗ００３」のパレット状態３３４は「在庫（自動倉庫）」に設定され、在籍位置３３７は「倉庫内」に設定されている。他のデータ項目が空欄である。
【０１０７】
［ロール導入工程］
図１２〜図１５を参照して、ロールショップ管理システム１におけるロール導入工程（プロセスＴ１）の運用制御を説明する。本実施形態のロール導入工程では、新規ロール１００「ＡＢ３４０」〜「ＡＢ３４９」がパレット２００「Ｗ００１」に搭載されて場外エリア２０から自動倉庫７０に搬入される場合を例示する。
【０１０８】
まず、図１２及び図１３を参照して、ロール導入工程において、場外エリア２０を中心に作業者や各種機器が実行する一連の動作（オペレーションＶ（Ｖ１〜Ｖ２０））について説明する。
【０１０９】
まず、作業者は、図１２に示すようにＰＣ５（例えば、場外エリアＰＣ５ａ）にて購入ロールリストＬＡを印刷する（Ｖ１）。詳細には、ＰＣ５から購入ロールリストの印刷指示を受信すると、管理サーバ３にてロール管理ＤＢ３５０を参照してロール管理状態３５７「購入作業中」となっているロールＮｏ３５１の一覧リスト（購入ロールリストＬＡ）が作成され、ＰＣ５側にて購入ロールリストＬＡが印刷される。購入ロールリストＬＡには、ロール導入工程でロールショップＰに導入される新規ロール（導入待ロール）１００に刻印されているロールＮｏ（ここでは、「ＡＢ３４０」〜「ＡＢ３４９」）とともに、各ロールＮｏに対応するバーコード情報が示される。
【０１１０】
次に、作業者は、導入待ロール１００に取り付けるロールエンドカバー１１０を用意する（Ｖ２）。１本のロール１００に対して２つのロールエンドカバー１１０を用意する。２つのロールエンドカバー１１０のうち１つのロールエンドカバー１１０にのみロールタグ１５が収容されている。
【０１１１】
次に、作業者は、場外エリア２０に設置された「ロール購入」と表記されたアクションタグ１７を無線ＨＴ６で読み取る（Ｖ３）。無線ＨＴ６は、読み取った「ロール購入」コマンドを自動的に管理サーバ３に送信する。
【０１１２】
次に、作業者は、導入待ロール１００に刻印されているロールＮｏを確認し、購入ロールリストＬＡにて当該ロールＮｏに対応するバーコード情報を無線ＨＴ６で読み取る（Ｖ４）。無線ＨＴ６は、読み取ったバーコード情報に対応するロールＮｏを自動的に管理サーバ３に送信する。
【０１１３】
次に、作業者は、導入待ロール１００の両端部にロールエンドカバー１１０をそれぞれ取り付ける（Ｖ５）。
【０１１４】
次に、作業者は、取り付けられたロールエンドカバー１１０に収容されているロールタグ１５のタグＩＤを読み取る（Ｖ６）。無線ＨＴ６は、読み取ったタグＩＤを自動的に管理サーバ３に送信する。管理サーバ３は、「ロール購入」コマンド、ロールＮｏ、タグＩＤを受信すると、ロール管理ＤＢ３５０を更新する。具体的には、受信したロールＮｏ３５１に対応するロールタグＩＤ３５２に、受信したタグＩＤを設定し、ロール管理状態３５７を「購入作業中」から「初回研磨待」に更新する。
【０１１５】
作業者は、全ての導入待ロール１００について、オペレーションＶ４〜Ｖ６を繰り返し実行する（Ｖ７）。
【０１１６】
次に、作業者は、パレット２００（ここでは、パレットＮｏ「Ｗ００１」）上に導入待ロール１００を荷積みする（Ｖ８）。パレット２００上には、導入待ロール１００が１０本並んで配置される。ロール１００は、ロールタグ１５がパレット２００のＤＳ面側に位置するように荷積みされる。
【０１１７】
次に、作業者は、図１３に示すように導入待ロール１００が搭載されたパレット２００を、場外エリア２０に配設された天井クレーンを用いて場外入出庫台車２１上に荷置する（Ｖ９）。
【０１１８】
場外入出庫台車２１上にパレット２００が荷置きされると、定置式タグリーダ８０が当該パレット２００に付設されたパレットタグ１６を自動的に読み取る（Ｖ１０）。
【０１１９】
なお、場外入出庫台車２１が「搬送中」でない場合、場外入出庫台車２１は「入庫モード」又は「出庫モード」に制御される。「入庫モード」では、場外入出庫台車２１が荷捌き側に位置しており、パレット２００を倉庫側に搬送可能である。「出庫モード」では、場外入出庫台車２１が倉庫側に位置しており、パレット２００を荷捌き側に搬送可能である。ロール導入工程では「入庫モード」であることを要する。場外入出庫台車２１が「出庫モード」のときは、作業者が「入庫モード」に切り換える必要がある。場外エリア２０には操作盤２８が設けられており、作業者が操作盤２８の入庫ＰＢＬを押下すると、場外入出庫台車２１が倉庫側から荷捌き側に移動して「入庫モード」に切り換えられる。
【０１２０】
次に、作業者が無線ＨＴ６で「入庫設定（場外）」と表記されたアクションタグ１７を読み取る（Ｖ１１）。
【０１２１】
「入庫設定（場外）」のアクションタグ１７が読み取られると、無線ＨＴ６にロール一覧画面Ｑ１が表示される（Ｖ１２）。ロール一覧画面Ｑ１には、場外入出庫台車２１上のパレット２００のパレットＮｏが表示されるとともに、導入対象ロールの登録欄が設けられている。
【０１２２】
次に、作業者は、無線ＨＴ６でパレット２００に搭載された導入待ロール１００のロールタグ１５を、所定のタグ読取順に従って１本ずつ読み取る（Ｖ１３）。パレット２００には、ＤＳ面側の左端位置から右側に向けてロール位置が昇順に定められている。つまり、ＤＳ面左側から順に１本目、２本目・・・１０本目と数えられる。作業者は、ロール位置順をタグ読取順として導入待ロール１００のロールタグ１５を読み取る。
【０１２３】
作業者が無線ＨＴ６でロールタグ１５を読み取るごとに、当該ロールタグ１５に紐付けられている導入待ロール１００の詳細情報を示すロール詳細画面Ｑ２が無線ＨＴ６に表示される（Ｖ１４）。作業者がロール詳細画面Ｑ２で「ＥＮＴＥＲ」を入力すると、当該ロール１００のロールＮｏ及びロール位置がロール一覧画面Ｑ１に追加される。
【０１２４】
作業者が１０本目までロールタグ１５を順に読み取ると、オペレーションＶ１３〜Ｖ１４の繰り返しによりロール一覧画面Ｑ１に１０本分の導入待ロール１００が登録される（Ｖ１５）。
【０１２５】
次に、作業者がロール一覧画面Ｑ１で「ＥＮＴＥＲ」を入力すると、無線ＨＴ６に登録確認画面Ｑ３が表示される（Ｖ１６）。作業者が登録確認画面Ｑ３で「ＥＮＴＥＲ」を入力すると、登録完了となる。
【０１２６】
導入待ロール１００の登録が完了すると、場外エリア２０に設けられた完了ＰＢＬが点滅する。作業者は、点滅した完了ＰＢＬを押下する（Ｖ１７）。
【０１２７】
完了ＰＢＬが押下されると、場外入出庫台車２１が荷捌き側から倉庫側に移動する（Ｖ１８）。
【０１２８】
自動倉庫７０に到着した場外入出庫台車２１上のパレット２００をクレーン７１が荷取りする（Ｖ１９）。
【０１２９】
クレーン７１は、荷取りしたパレット２００を空き状態の収容棚まで搬送及び格納する（Ｖ２０）。
【０１３０】
以上により、ロール１００「ＡＢ３４０」〜「ＡＢ３４９」が順にパレット２００「Ｗ００１」に搭載されたうえで場外エリア２０から自動倉庫７０に入庫されて、ロールショップＰへの導入が実現される。
【０１３１】
なお、オペレーションＶ１〜Ｖ７では、導入待ロール１００とロールタグ１５とを紐付ける場合を説明したが、導入待パレット２００とパレットタグ１６とを紐付けする作業も同様にして行なう。
【０１３２】
次に、図１４及び図１５を参照して、ロール導入工程（プロセスＴ１）において管理サーバ３が実行する一連の内部的処理として、場外エリア２０から導入待ロール１００を入庫させるための「新規入庫処理」、及び、導入待ロール１００をパレット２００に搭載させるための「導入ロール設定処理」、をそれぞれ説明する。
【０１３３】
なお、「新規入庫処理」が実行される前提として、オペレーションＶ１〜Ｖ７により導入待ロール１００とロールタグ１５との紐付けが実行されているものとする。本実施形態では、ロールＮｏ「ＡＢ３４０」〜「ＡＢ３４９」の導入待ロール１００が、順に、タグＩＤ「１００００」〜「１０００９」のロールタグ１５に紐付けされている。更に、パレットＮｏ「Ｗ００１］のパレット２００は、タグＩＤ「９０００１」のパレットタグ１６に紐付けされている。
【０１３４】
図１４に示す「新規入庫処理」では、まず場外入出庫台車２１が「入庫モード」であるか否かが、操作盤２８と接続されるクレーン制御盤７８からの情報に基づいて判定される（Ｓ１０１）。
【０１３５】
場外入出庫台車２１が「入庫モード」である場合（Ｓ１０１：ＹＥＳ）、場外入出庫台車２１上にパレット２００が在席しているか否かが判定される（Ｓ１０３）。場外入出庫台車２１にはパレット在席を検出するセンサ（図示外）が設けられており、当該センサの検出信号はクレーン制御盤７８に入力される。そのため、作業者が場外入出庫台車２１上にパレット２００を荷置きすると（Ｖ９）、管理サーバ３はクレーン制御盤７８からの情報に基づいてパレット在席が「ＯＦＦ」から「ＯＮ」になったことを特定することができる。
【０１３６】
場外入出庫台車２１が「入庫モード」ではなく、「搬送中」又は「出庫モード」である場合（Ｓ１０１：ＮＯ）、又は、場外入出庫台車２１上にパレット２００が在席していない場合（Ｓ１０３：ＮＯ）は、ステップＳ１０１に戻る。
【０１３７】
場外入出庫台車２１上にパレット２００が在席している場合（Ｓ１０３：ＹＥＳ）、場外エリア２０の定置式タグリーダ８０に対して当該パレット（導入待パレット）２００に付設されたパレットタグ１６の読み取りが指示され（Ｓ１０５）、当該定置式タグリーダ８０がパレットタグ１６の読み取りを実行する（Ｖ１０）。
【０１３８】
パレットタグ１６から正常にタグＩＤが読み取られると、読み取られたタグＩＤに対応するパレットＮｏがパレット管理ＤＢ３３０を参照して取得される（Ｓ１０７）。例えば、定置式タグリーダ８０から読み取られたタグＩＤが「９０００１」であれば、パレット管理ＤＢ３３０からパレットタグＩＤ３３２「９０００１」に対応するパレットＮｏ３３１「Ｗ００１」が取得される。
【０１３９】
次に、自動倉庫７０でパレット２００を収容可能な収容棚に対して入庫予約を行なう「入庫引当処理」が実行される（Ｓ１０９）。「入庫引当処理」では、管理サーバ３は、倉庫管理ＤＢ３１０にて棚状態３１２「空棚」、予約状態３１３「未引当」、禁止状態３１４「通常棚」の全てに該当する収容棚のロケーション３１１を検索する。管理サーバ３は、検索でヒットした何れかのロケーション３１１の収容棚を予約状態３１３「入庫予約」に更新するとともに、パレットＮｏ３１５に導入待パレット２００を設定する。例えば、ロケーション３１１が「１−１−１」の収容棚の予約状態３１３を「入庫予約」に更新するとともに、パレットＮｏ３１５に「Ｗ００１」が設定される。
【０１４０】
次に、管理サーバ３は、所定の「入庫設定完了条件」が満たされているか判定する（Ｓ１１１）。
【０１４１】
所定の「入庫設定完了条件」が満たされている場合、管理サーバ３は、図１５に示す後述の「導入ロール設定処理」を実行する（Ｓ１１３）。
【０１４２】
次に、管理サーバ３は、完了指示要求をクレーン制御盤７８に対して発行する（Ｓ１１５）。完了指示要求が発行されると、クレーン制御盤７８は、場外エリア２０に設けられた完了ＰＢＬを点滅させて、作業者に対して導入待パレット２００導入待ロール１００の入庫搬送が可能である旨を報知する。
【０１４３】
作業者は、任意のタイミングで点滅した完了ＰＢＬを押下して（Ｖ１７）、クレーン制御盤７８が管理サーバ３に完了通知を発行する。管理サーバ３は、クレーン制御盤７８から完了通知が発行されたか判定する（Ｓ１１７）。
【０１４４】
完了通知がない場合は（Ｓ１１７：ＮＯ）、ステップＳ１１７に戻って待ち状態となる。
【０１４５】
クレーン制御盤７８から完了通知が発行されると（Ｓ１１７：ＹＥＳ）、管理サーバ３は、場外入出庫台車２１の制御指示をクレーン制御盤７８に対して発行する（Ｓ１１９）。管理サーバ３から場外入出庫台車２１の制御指示が発行されると、クレーン制御盤７８は、場外入出庫台車２１を制御して導入待パレット２００を荷捌き側から倉庫側に搬送させる。管理サーバ３から各種搬送機器の制御指示がクレーン制御盤７８又は周辺制御盤７９に対して発行されたときは、搬送対象のパレット２００のパレット状態３３４が「搬送中」に更新される。以下、他の入出庫処理においても同様である。
【０１４６】
管理サーバ３は、クレーン制御盤７８から場外入出庫台車２１の搬送動作完了信号を受信すると、クレーン７１の制御指示をクレーン制御盤７８に対して発行する（Ｓ１２１）。クレーン７１の制御指示が発行されると、クレーン制御盤７８は、クレーン７１を制御して場外入出庫台車２１に搭載された導入待パレット２００を入庫予約された収容棚に格納する。
【０１４７】
最後に、新規「入庫完了設定」として各種ＤＢが更新される（Ｓ１２３）。具体的には、「入庫完了設定」では、倉庫管理ＤＢ３１０において、導入済パレット２００が収容された収容棚のレコードの棚状態３１２が「実棚」に更新され、予約状態３１３が「未引当」に更新され、当該収容棚に収容された導入済パレット２００のパレットＮｏがパレットＮｏ３１５に設定される。更に、パレット管理ＤＢ３３０において、導入済パレット２００のレコードのパレット状態３３４が「在庫（自動倉庫）」に更新され、在籍位置３３７が「倉庫内」に更新される。更に、ロール管理ＤＢ３５０において、各導入済ロール１００のレコードの在籍位置３５５が「倉庫内」に更新され、ロール加工状態３５６が「検収待」に更新される。例えば、倉庫管理ＤＢ３１０では、導入済パレット２００が収容された収容棚「１−１−１」のレコードが、棚状態３１２「実棚」、予約状態３１３「未引当」、パレットＮｏ３１５「Ｗ００１」に更新される。パレット管理ＤＢ３３０では、導入済パレット２００「Ｗ００１」のレコードが、パレット状態３３４「在庫（自動倉庫）」、在籍位置３３７「倉庫内」に更新される。ロール管理ＤＢ３５０では、導入済ロール１００「ＡＢ３４０」〜「ＡＢ３４９」のレコードが、それぞれ、在籍位置３５５「倉庫内」、ロール加工状態３５６「検収待」に更新される。
【０１４８】
「新規入庫処理」では、作業者が場外入出庫台車２１上に導入待ロール１００を搭載した導入待パレット２００を荷置きして完了ＰＢＬを押下するだけで、導入待パレット２００が自動搬送されて場外エリア２０から自動倉庫７０に入庫される。そのため、ロール導入工程における作業者の負担を極力低減しつつ、導入待ロール１００をロールショップＰに迅速且つ正確に導入することができる。
【０１４９】
図１５に示す「導入ロール設定処理」は、「入庫設定（場外）」コマンドが受け付けられたことを契機として開始される（Ｓ１３１）。すなわち、作業者が無線ＨＴ６で「入庫設定（場外）」と表記されたアクションタグ１７を読み取ると（Ｖ１１）、管理サーバ３では「入庫設定（場外）」コマンドの受付ありと判定されて、以下の処理が実行される。
【０１５０】
「入庫設定（場外）」コマンドが受け付けられると、無線ＨＴ６にロールＮｏが未入力の導入対象ロール一覧Ｑ１が表示される（Ｓ１３３、Ｖ１２）。
【０１５１】
次に、ロールタグ１５のタグＩＤを受け付けたか否かが判定される（Ｓ１３５）。
【０１５２】
作業者が無線ＨＴ６でロールタグ１５を読み取ることにより（Ｖ１３）、ロールタグＩＤが受け付けられると（Ｓ１３５：ＹＥＳ）、「パレット搭載条件」を満たしているか否かが判定される（Ｓ１３７）。「パレット搭載条件」は、導入待ロール（搭載対象ロール）１００を導入待パレット２００に搭載するための条件である。「パレット搭載条件」は、各管理ＤＢやトラッキング情報等を参照して判定される。具体的には、「パレット搭載条件」には、導入待パレット２００に搭載対象ロール１００を搭載可能なスペース（空き）があること、搭載対象ロール１００が場外エリア２０に存在していること、及び、搭載対象ロール１００が導入待パレット２００に搭載済みの他ロール１００と均等であること、などが含まれる。
【０１５３】
搭載対象ロール１００のロール区分３５３、ロール径区分３５４及びロール加工状態３５６が、導入待パレット２００に搭載済みの他ロール１００と同じであれば均等であると判定される。なお、ロール１００の均等の判断には他の条件が含まれていてもよい。搭載対象ロール１００が導入待パレット２００上の他ロール１００と均等であるか否かは、当該パレット２００に搭載された１本目のロール１００を基準に判断するものとし、搭載対象ロール１００が１本目に相当するときは本判断が行われない。搭載対象ロール１００が搭載済みの他ロール１００と均等であることを「パレット搭載条件」とすることで、ほぼ均一な複数の導入待ロール１００のみを導入待パレット２００に搭載することができる。
【０１５４】
「パレット搭載条件」を満たさない場合（Ｓ１３７：ＮＯ）、管理サーバ３は、無線ＨＴ６にエラーを出力させる（Ｓ１３９）。
【０１５５】
「パレット搭載条件」を満たす場合（Ｓ１３７：ＹＥＳ）、管理サーバ３は、ロール管理ＤＢ３５０から搭載対象ロール１００の詳細情報を取得して無線ＨＴ６に送信し、無線ＨＴ６に当該詳細情報を示すロール詳細画面Ｑ２（Ｖ１４）を表示させる（Ｓ１４１）。
【０１５６】
作業者がロール詳細画面Ｑ２にて「ＥＮＴＥＲ」を入力すると、ロール詳細画面Ｑ２に示された搭載対象ロール１００が、ロール一覧画面Ｑ１の導入対象ロールの登録欄に追加される（Ｓ１４３）。
【０１５７】
次に、追加された導入対象ロール１００の総計が１０本以上であるか否かが判定される（Ｓ１４５）。
【０１５８】
導入対象ロール１００の総計が１０本未満であれば（Ｓ１４５：ＮＯ）、ステップＳ１３１に戻る。無線ＨＴ６には、作業者がそれまでに追加した１０本未満の導入対象ロールが示されたロール一覧画面Ｑ１が表示される。
【０１５９】
追加された導入対象ロールの総計が１０本以上であれば（Ｓ１４５：ＹＥＳ）、無線ＨＴ６に登録確認が表示される（Ｓ１４７）。作業者が１０本分の導入待ロール１００のロールタグ１５を読み取り、導入待ロール１００をロール一覧画面Ｑ１に導入対象ロールとして追加すると、無線ＨＴ６に登録確認画面Ｑ３が表示される（Ｖ１５〜Ｖ１６）。
【０１６０】
次に、作業者が登録確認画面Ｑ３にて「ＥＮＴＥＲ」を入力すると、パレット管理ＤＢ３３０及びロール管理ＤＢ３５０に対するデータ登録が実行されて、複数の導入待ロール１００と導入待パレット２００との紐付けが実行されるとともに、無線ＨＴ６に「入庫設定（場外）」が完了した旨を出力させて「導入ロール設定処理」を終了する（Ｓ１４９）。例えば、パレット管理ＤＢ３３０では、導入待パレット２００「Ｗ００１」について、パレット種類３３５「実パレット」、ロール本数３３９「１０」、ロールＮｏ３４０「１本目：ＡＢ３４０」〜「１０本目：ＡＢ３４９」が設定される。ロール管理ＤＢ３５０では、導入待ロール１００「ＡＢ３４０」〜「ＡＢ３４９」について、パレットＮｏ３５８「Ｗ００１」及びパレット内位置３５９「１」〜「１０」がそれぞれ設定される。
【０１６１】
「導入ロール設定処理」では、作業者が場外入出庫台車２１上のパレット２００に搭載されたロール１００のロールタグ１５を順に無線ＨＴ６で読み取るだけで、導入待パレット２００と導入待ロール１００とのデータ上の関連付けが実現される。「導入ロール設定処理」後、管理サーバ３では、パレット２００上に何れのロール１００が搭載されているか、及び、各ロール１００が何れのパレット２００に搭載されているか、などを管理することができる。
【０１６２】
なお、ロール一覧画面Ｑ１にて作業者が「ＥＮＴＥＲ」を入力すると、作業者が追加した導入対象ロールの総計が１０本未満であっても登録確認画面Ｑ３が表示され（Ｓ１４７）、ロール本数が端数状態でも登録実行（Ｓ１４９）が可能となる。ロール一覧画面Ｑ１及び登録確認画面Ｑ３にて作業者が「ＣＡＮＣＥＬ」を入力すると、登録実行（Ｓ１４９）が行なわれることなく、「導入ロール設定処理」が終了する。ロール詳細画面Ｑ２にて作業者が「ＥＮＴＥＲ」を入力すると、導入対象ロールの追加（Ｓ１４３）が行なわれることなく、ステップＳ１３３に戻ってロール一覧画面Ｑ１が表示される。
【０１６３】
［ロール研磨工程］
図１６〜図２０を参照して、ロールショップ管理システム１におけるロール研磨工程（プロセスＴ２）の運用制御を説明する。なお、本実施形態のロール導入工程では、パレット２００「Ｗ００１」に搭載された検収待ロール１００「ＡＢ３４０」〜「ＡＢ３４９」が、第一研磨機３１を用いてロール表面が研磨処理される場合を例示する。
【０１６４】
まず、図１６及び図１７を参照して、ロール研磨工程において、研磨エリア３０を中心に作業者や各種機器が実行する一連の動作（オペレーションＷ）について説明する。
【０１６５】
ロール研磨工程では、研磨エリア３０に設けられた各搬送機器が「搬送中」でなく、研磨入出庫トラバーサ３３が倉庫側に位置し、研磨待リフタ３７が下段位置３７ａに位置し、かつ、研磨済リフタ３８が下段位置３８ａに位置している設備状態を初期状態とする。初期状態では、第一研磨機３１が未使用状態であり、第一研磨機３１及び各搬送機器のいずれにもロール１００及びパレット２００が存在していないものとする（Ｗ１）。
【０１６６】
なお、ロール研磨工程に際して、管理サーバ３ではロール管理ＤＢ３５０を参照して、研磨待ロールリストが作成される。研磨待ロールリストは、在籍位置３５５「倉庫内」かつロール管理状態３５７「研磨待」（初回研磨待を含む。）のレコードに対応するロール（研磨待ロール）１００の一覧である。ロール研磨工程では、研磨待ロールリストにおける登録順に、研磨待ロール１００が研磨エリア３０に供給される。
【０１６７】
なお、ネック研磨加工を実行する場合は、管理サーバ３ではロール管理ＤＢ３５０を参照して、ネック研磨待ロールリストが作成される。ネック研磨待ロールリストは、在籍位置３５５「倉庫内」かつロール管理状態３５７「ネック研磨待」のレコードに対応するロール（ネック研磨待ロール）１００の一覧である。
【０１６８】
初期状態（Ｗ１）において、自動倉庫７０では、クレーン７１が研磨待ロールリストに登録された研磨待ロール１００（ここでは、ロールＮｏ「ＡＢ３４０」〜「ＡＢ３４９」）を搭載したパレット（研磨待パレット）２００（ここでは、パレットＮｏ「Ｗ００１」）を収容棚から研磨入出庫トラバーサ３３まで搬送する。研磨入出庫トラバーサ３３上に研磨待パレット２００が荷置きされると、研磨入出庫トラバーサ３３が倉庫側から研磨側に向けて移動する。研磨入出庫トラバーサ３３が研磨側に到着すると、研磨入出庫トラバーサ３３は中央研磨コンベア３６上に研磨待パレット２００を荷渡しする。中央研磨コンベア３６は、研磨待リフタ３７の下段位置３７ａに研磨待パレット２００を荷渡しする。研磨待リフタ３７は、下段位置３７ａに置かれた研磨待パレット２００を上段位置３７ｂまで上昇させる（Ｗ２）。
【０１６９】
次に、自動倉庫７０では、クレーン７１が空パレット２００（ここでは、パレットＮｏ「Ｗ００２」とする。）を収容棚から研磨入出庫トラバーサ３３まで搬送する。研磨入出庫トラバーサ３３及び中央研磨コンベア３６は、空パレット２００を研磨待リフタ３７の下段位置３７ａまで搬送する。研磨待リフタ３７は、下段位置３７ａから研磨済リフタ３８の下段位置３８ａに空パレット２００を荷渡しする。研磨済リフタ３８は、下段位置３８ａに置かれた空パレット２００を上段位置３８ｂまで上昇させる（Ｗ３）。
【０１７０】
次に、作業者は、クレーン操作によって研磨待リフタ３７上の研磨待パレット２００から１本の研磨待ロール１００を第一研磨機３１に移載する。作業者は、移載する研磨待ロール１００からロールエンドカバー１１０を取り外し、第一研磨機３１に併設された定置式タグリーダ８０の上に載置する。定置式タグリーダ８０は、載置されたロールエンドカバー１１０のロールタグ１５からタグＩＤを自動的に読み取る（Ｗ４）。
【０１７１】
なお、ネック研磨加工の場合、定置式タグリーダ８０で読み取られたタグＩＤに対応するロール１００が、ネック研磨待ロール１００であれば、ロールエンドカバー１１０の交換が必要な場合があることを報知するランプが点灯する。
【０１７２】
第一研磨機３１に研磨待ロール１００を設置したのち、作業者が研磨エリア３０に設けられた研磨実行ＰＢＬを押下する（Ｗ５）。
【０１７３】
研磨実行ＰＢＬが押下されると、第一研磨機３１は研磨待ロール１００のロール表面に対して１サイクルの研磨処理を実行する（Ｗ６）。
【０１７４】
研磨処理が終了すると、作業者は第一研磨機３１にて研磨処理が施されたロール（研磨済ロール）１００のロール径を、測定器８５を用いて計測する（Ｗ７）。
【０１７５】
ロール径測定が終了すると、作業者は研磨済ロール１００に定置式タグリーダ８０上のロールエンドカバー１１０を再び取り付ける（Ｗ８）。ロールタグ１５は、ロール１００から取り外し可能なロールエンドカバー１１０に収容されているため、研磨工程のようにロールエンドカバー１１０を取り外して加工処理しなければならない工程がロールショップ作業に含まれていても、工程の前後でロールエンドカバー１１０を着脱することにより、ロール１００に関する情報を管理することができる。ロールエンドカバー１１０を載置可能な定置式タグリーダ８０を研磨エリア３０に設置することにより、作業者がロールエンドカバー１１０の取り外しとロールタグ１５の読み取りを一度に行うことができるため、作業が簡略化される。
【０１７６】
なお、ネック研磨加工の場合は、首部１０２の径を計測する。ロールエンドカバー１１０は、首部１０２の径に応じて形成されているため、管理サーバ３は、首部１０２の径に応じて作業者にロールエンドカバー１１０の交換を指示するランプを点灯させる。
【０１７７】
次に、作業者は、無線ＨＴ６で「ロール移動（ＴＯ研磨済リフタ）」と表記されたアクションタグ１７を読み取ったうえで（Ｗ９）、無線ＨＴ６でロールエンドカバー１１０のロールタグ１５を読み取る。
【０１７８】
次に、作業者のクレーン操作によって、第一研磨機３１から研磨済リフタ３８上の空パレット２００に研磨済ロール１００を移載する（Ｗ１０）。研磨済リフタ３８上の空パレット２００に研磨済ロール１００を移載する際には、研磨済ロール１００を空パレット２００のＤＳ面側からみて左詰め（すなわち、所定のロール位置順）となるように、当該パレット２００上に隙間無く搭載させる。作業者は、研磨待パレット２００に搭載された全ての研磨待ロール１００について、オペレーションＷ４〜Ｗ１０を１本ずつ繰り返し実行する。
【０１７９】
研磨待リフタ３７上の研磨待パレット２００が空になると（つまり、空パレット２００が発生すると）（Ｗ１１）、研磨エリア３０に設けられた研磨待完了ＰＢＬが点滅する。
【０１８０】
作業者は、点滅した研磨待完了ＰＢＬを任意のタイミングで押下する（Ｗ１２）。
【０１８１】
研磨待完了ＰＢＬが押下されると、研磨待リフタ３７は上段位置３７ｂに置かれた空パレット２００を下段位置３７ａまで下降させる。研磨待リフタ３７は、下段位置３７ａから中央研磨コンベア３６に空パレット２００を荷渡しする。中央研磨コンベア３６は、研磨入出庫トラバーサ３３上に空パレット２００を荷渡しする。研磨入出庫トラバーサ３３上に空パレット２００が荷置きされると、研磨入出庫トラバーサ３３が研磨側から倉庫側に向けて移動する。研磨入出庫トラバーサ３３が倉庫側に到着すると、クレーン７１が空パレット２００を荷取りして収容棚に格納する（Ｗ１３）。
【０１８２】
研磨済リフタ３８上の空パレット２００に研磨済ロール１００が満載されると（つまり、研磨済ロール１００が１０本搭載された研磨済パレット２００が発生すると）（Ｗ１４）、研磨エリア３０に設けられた研磨済完了ＰＢＬが点滅する。
【０１８３】
作業者は、点滅した研磨済完了ＰＢＬを任意のタイミングで押下する（Ｗ１５）。
【０１８４】
研磨済完了ＰＢＬが押下されると、研磨済リフタ３８は上段位置３８ｂに置かれた研磨済パレット２００を下段位置３８ａまで下降させる。研磨済リフタ３８は、下段位置３８ａから研磨待リフタ３７の下段位置３７ａに研磨済パレット２００を荷渡しする。空パレット２００と同様に、研磨待リフタ３７、中央研磨コンベア３６及び研磨入出庫トラバーサ３３が、研磨済パレット２００を自動倉庫７０まで搬送し、クレーン７１が当該研磨済パレット２００を荷取りして収容棚に格納する（Ｗ１６）。
【０１８５】
以上により、パレット２００「Ｗ００１」に搭載されたロール１００「ＡＢ３４０」〜「ＡＢ３４９」が自動倉庫７０から研磨エリア３０に供給され、当該ロール１００が第一研磨機３１にて研磨処理が施されたのちにパレット２００「Ｗ００２」に搭載されて研磨エリア３０から自動倉庫７０に回収される。
【０１８６】
次に、図１８〜図２０を参照して、ロール研磨工程（プロセスＴ２）において管理サーバ３が実行する一連の内部的処理として、研磨エリア３０に対する研磨待ロール１００の供給及び研磨済ロール１００の回収を自動運行するための「研磨自動入出庫処理」、研磨待ロール１００に対して研磨処理を施すための「研磨実行処理」、及び、研磨済ロール１００を研磨前とは異なるパレット２００に搭載するための「ロール移動処理」、をそれぞれ説明する。
【０１８７】
図１８に示す「研磨自動入出庫処理」では、まず研磨待リフタ３７に研磨待パレット２００を出庫すべき条件（「研磨待パレット出庫条件」）を満たすか否かが、各管理ＤＢやトラッキング情報等を参照して判定される（Ｓ２０１）。具体的には、「研磨待パレット出庫条件」として、自動倉庫７０内に研磨待パレット２００が存在していること、及び、研磨待リフタ３７にパレット２００の在席がないこと、などを満たしているか判定される。例えば、初期状態（Ｗ１）であれば「研磨待パレット出庫条件」が満たされる（Ｓ２０１：ＹＥＳ）。
【０１８８】
「研磨待パレット出庫条件」を満たす場合（Ｓ２０１：ＹＥＳ）、研磨待リフタ３７に研磨待パレット２００を自動出庫するための「研磨待リフタ出庫処理」が実行される（Ｓ２０３）。「研磨待リフタ出庫処理」では、まず研磨待パレット２００の「出庫引当処理」が実行される。例えば、管理サーバ３では、出庫対象の研磨待ロール１００（ここでは、ロールＮｏ「ＡＢ３４０」〜「ＡＢ３４９」とする。）を搭載した研磨待パレット２００（すなわち、パレットＮｏ「Ｗ００１」）が、ロール管理ＤＢ３５０を参照して特定される。次に、倉庫管理ＤＢ３１０にて当該研磨待パレット２００が格納された収容棚の予約状態３１３が「出庫予約」に更新されるとともに、パレット管理ＤＢ３３０にて当該研磨待パレット２００のパレット状態３３４が「出庫引当済」に更新される。研磨待パレット２００の「出庫引当処理」が完了すると、クレーン７１、研磨入出庫トラバーサ３３、中央研磨コンベア３６及び研磨待リフタ３７の各制御指示が、クレーン制御盤７８に対して順次発行される。発行された制御指示に応じて各搬送機器が連動して、自動倉庫７０内の研磨待パレット２００（ここでは、パレットＮｏ「Ｗ００１」）を研磨待リフタ３７の上段位置３７ｂまで搬送する（Ｗ２）。
【０１８９】
「研磨待パレット出庫条件」を満たさない場合（Ｓ２０１：ＮＯ）、研磨済リフタ３８に空パレット２００を出庫すべき条件（「空パレット出庫条件」）を満たすか否かが、各管理ＤＢやトラッキング情報等を参照して判定される（Ｓ２０５）。具体的には、「空パレット出庫条件」として、自動倉庫７０内に空パレット２００が存在していること、及び、研磨済リフタ３８にパレット２００の在席がないこと、などを満たしているか判定される。例えば、オペレーションＷ２の実行後は「空パレット出庫条件」が満たされる（Ｓ２０５：ＹＥＳ）。
【０１９０】
「空パレット出庫条件」を満たす場合（Ｓ２０５：ＹＥＳ）、研磨済リフタ３８に空パレット２００を自動出庫するための「研磨済リフタ出庫処理」が実行される（Ｓ２０７）。「研磨済リフタ出庫処理」では、まず空パレット２００の「出庫引当処理」が実行される。具体的には、管理サーバ３では、倉庫管理ＤＢ３１０にて出庫可能な空パレット２００（ここでは、パレットＮｏ「Ｗ００２」とする。）が棚状態３１２「実棚」及び予約状態３１３「未引当」をキーとして検索される。次に、検索された空パレット２００が格納された収容棚の予約状態３１３が「出庫予約」に更新されるとともに、パレット管理ＤＢ３３０にて当該空パレット２００のパレット状態３３４が「出庫引当済」に更新される。空パレット２００の「出庫引当処理」が完了すると、クレーン７１、研磨入出庫トラバーサ３３、中央研磨コンベア３６、研磨待リフタ３７及び研磨済リフタ３８の各制御指示が、クレーン制御盤７８に対して順次発行される。発行された制御指示に応じて各搬送機器が連動して、自動倉庫７０内の空パレット２００（ここでは、パレットＮｏ「Ｗ００２」）を研磨済リフタ３８の上段位置３８ｂまで搬送する（Ｗ３）。
【０１９１】
「空パレット出庫条件」を満たさない場合（Ｓ２０５：ＮＯ）、研磨待リフタ３７から空パレット２００を入庫すべき条件（「空パレット入庫条件」）を満たすか否かが、各管理ＤＢやトラッキング情報等を参照して判定される（Ｓ２０９）。具体的には、「空パレット入庫条件」として、研磨待リフタ３７上に空パレット２００が在席していること、及び、自動倉庫７０内にパレット２００を収容可能な空きスペースがあること、などを満たしているか判定される。例えば、作業者が研磨待ロール１００「ＡＢ３４０」〜「ＡＢ３４９」を研磨待リフタ３７から第一研磨機３１に移載する作業を繰り返して研磨待パレット２００「Ｗ００１」が空になると、後述する「ロール移動処理」（図２０）によって当該パレット２００のロール本数が「０」に設定されて、「空パレット入庫条件」が満たされる（Ｗ４、Ｗ１１）（Ｓ２０９：ＹＥＳ）。
【０１９２】
「空パレット入庫条件」を満たす場合（Ｓ２０９：ＹＥＳ）、研磨待リフタ３７から空パレット２００を自動入庫するための「研磨待リフタ入庫処理」が実行される（Ｓ２１１）。「研磨待リフタ入庫処理」では、まず空パレット２００の「入庫引当処理」が実行される。具体的には、管理サーバ３では、先述の「入庫引当処理」（Ｓ１０９）と同様に、自動倉庫７０の空き収容棚に対して空パレット２００（ここでは、パレットＮｏ「Ｗ００１」）の入庫予約がなされる。空パレット２００の「入庫引当処理」が完了すると、クレーン制御盤７８に対して完了指示要求が発行される。完了指示要求が発行されると、クレーン制御盤７８が研磨エリア３０に設けられた研磨待完了ＰＢＬを点滅させて、作業者に対して空パレット２００の入庫搬送が可能である旨を報知する。作業者が研磨待完了ＰＢＬを押下すると、研磨待リフタ３７、中央研磨コンベア３６、研磨入出庫トラバーサ３３、クレーン７１の各制御指示が、クレーン制御盤７８に対して順次発行される。発行された制御指示に応じて各搬送機器が連動して、研磨待リフタ３７の上段位置３７ｂに在席する空パレット２００を自動倉庫７０まで搬送して入庫予約済の収容棚に格納する（Ｗ１２、１３）。「研磨待リフタ入庫処理」が終了すると、「入庫完了設定」が実行されて各種ＤＢが更新される。
【０１９３】
次に、「空パレット入庫条件」を満たさない場合（Ｓ２０９：ＮＯ）、研磨済リフタ３８から研磨済パレット２００を入庫すべき条件（「研磨済パレット入庫条件」）を満たすか否かが、各管理ＤＢやトラッキング情報等を参照して判定される（Ｓ２１３）。具体的には、「研磨済パレット入庫条件」として、研磨済リフタ３８上に研磨済ロール１００を満載した実パレット２００が在席していること、及び、自動倉庫７０内にパレット２００を収容可能な空きスペースがあること、などを満たしているか判定される。例えば、作業者が研磨済ロール１００「ＡＢ３４０」〜「ＡＢ３４９」を第一研磨機３１から研磨済リフタ３８に移載する作業を繰り返して空パレット２００「Ｗ００２」が満載になると、後述する「ロール移動処理」（図２０）によって当該パレット２００のロール本数が「１０」に設定されて、「研磨済パレット入庫条件」が満たされる（Ｗ１０、Ｗ１４）（Ｓ２１３：ＹＥＳ）。
【０１９４】
「研磨済パレット入庫条件」を満たさない場合は（Ｓ２１３：ＮＯ）、ステップＳ２０１に戻る。
【０１９５】
「研磨済パレット入庫条件」を満たす場合（Ｓ２１３：ＹＥＳ）、研磨済リフタ３８から研磨済パレット２００を自動入庫するための「研磨済リフタ入庫処理」が実行される（Ｓ２１５）。「研磨済リフタ入庫処理」では、まず研磨済パレット２００の「入庫引当処理」が実行される。具体的には、管理サーバ３では、先述の「入庫引当処理」（Ｓ１０９）と同様に、自動倉庫７０の空き収容棚に対して研磨済パレット２００（ここでは、パレットＮｏ「Ｗ００２」）の入庫予約がなされる。研磨済パレット２００の「入庫引当処理」が完了すると、クレーン制御盤７８に対して完了指示要求が発行される。完了指示要求が発行されると、クレーン制御盤７８が研磨エリア３０に設けられた研磨済完了ＰＢＬを点滅させて、作業者に対して研磨済パレット２００の入庫搬送が可能である旨を報知する。作業者が研磨済完了ＰＢＬを押下すると、研磨済リフタ３８、研磨待リフタ３７、中央研磨コンベア３６、研磨入出庫トラバーサ３３、クレーン７１の各制御指示が、クレーン制御盤７８に対して順次発行される。発行された制御指示に応じて各搬送機器が連動して、研磨済リフタ３８の上段位置３８ｂに在席する研磨済パレット２００を自動倉庫７０まで搬送して入庫予約済の収容棚に格納する（Ｗ１５、Ｗ１６）。「研磨済リフタ入庫処理」が終了すると、「入庫完了設定」が実行されて各種ＤＢが更新される。
【０１９６】
作業者は、あらかじめＰＣ５（例えば、研磨エリアＰＣ５ｂ）にて、ロール１００が圧延エリア６０に自動供給されるロール供給パターンを任意に設定する。ロール供給パターンは、外部記憶装置３００に記憶される。ロール供給パターンは、例えば、「スムースのみ」、「ダルのみ」及び「交互」に設定される。ロール供給パターンが「スムースのみ」の場合、研磨処理のみが施された「スムース」ロール１００が、圧延エリア６０に自動供給される。ロール供給パターンが「ダルのみ」の場合、研磨処理及びダル加工処理が施された「ダル」ロール１００が、圧延エリア６０に自動供給される。ロール供給パターンが「交互」に設定されている場合、ダル加工なしの研磨済ロール１００とダル加工ありの研磨済ロール１００とを交互に圧延エリア６０に供給する。
【０１９７】
「研磨済リフタ入庫処理」が終了した研磨済ロール１００のロール管理ＤＢ３５０は、ロール供給パターンに応じて更新される。具体的には、ロール供給パターンが「スムースのみ」に設定されている場合、ロール管理状態３５７が後述する「初回研磨済（研磨済）」から「圧延待」に更新される。ロール供給パターンが「ダルのみ」に設定されている場合、ロール管理状態３５７が後述する「初回研磨済（研磨済）」から「ダル待」に更新される。ロール供給パターンが「交互」に設定されている場合は、ロール管理状態３５７に「ダル待」及び「圧延待」が交互に設定される。
【０１９８】
このように、「研磨自動入出庫処理」では、研磨待リフタ３７に対する研磨待パレット２００の供給及び空パレット２００の回収と、研磨済リフタ３８に対する空パレット２００の供給及び研磨済パレット２００の回収とが、ほぼ自動運行される。そのため、作業者が研磨待ロール１００を出庫させたり研磨済ロール１００を入庫させたりする手間が省かれて、ロール研磨工程における研磨待ロール１００の供給及び研磨済ロール１００の回収を迅速且つ正確に行うことができる。
【０１９９】
図１９に示す「研磨実行処理」は、第一研磨機３１及び第二研磨機３２のそれぞれに併設された定置式タグリーダ８０で読み取られたタグＩＤが管理サーバ３で受け付けられたことを契機として開始される（Ｓ２３１）。具体的には、作業者は、第一研磨機３１又は第二研磨機３２に研磨待ロール１００を移載するに際して、第一研磨機３１又は第二研磨機３２に併設された定置式タグリーダ８０上に当該ロール１００から取り外したロールエンドカバー１１０を載置する（Ｗ４）。定置式タグリーダ８０は、載置されたロールエンドカバー１１０に収容されたロールタグ１５からタグＩＤを自動的に読み取って管理サーバ３に送信する。管理サーバ３にて当該タグＩＤの読み取りが受け付けられると、以下の処理が実行される。
【０２００】
まず、第一研磨機３１又は第二研磨機３２に設置された研磨待ロール１００を特定する「研磨ロール認識処理」が実行される（Ｓ２３３）。具体的には、ロール管理ＤＢ３５０を参照して、ステップＳ２３１で受け付けられたタグＩＤに対応する研磨待ロール１００が特定される。なお、ネック研磨加工ではネック研磨待ロール１００が特定される。
【０２０１】
次に、研磨待ロール１００が設置された研磨機を特定する「研磨機認識処理」が実行される（Ｓ２３５）。具体的には、管理サーバ３は、タグＩＤを読み取った定置式タグリーダ８０の識別ＩＤによって、第一研磨機３１と第二研磨機３２との何れに研磨待ロール１００が設置されたかを特定する。例えば、第一研磨機３１に併設された定置式タグリーダ８０に、タグＩＤ「１００００」のロールタグ１５を搭載したロールエンドカバー１１０が載置されると、定置式タグリーダ８０の識別ＩＤから研磨待ロール１００が第一研磨機３１に設置されたことが特定され、ロール管理ＤＢ３５０を参照して研磨待ロール１００のロールＮｏ「ＡＢ３４０」が特定される。
【０２０２】
次に、研磨待ロール１００に対して研磨処理が実行される前処理として、ロール管理ＤＢ３５０にて各種データが更新される（Ｓ２３７）。具体的には、移動元パレット２００「Ｗ００１」について、ロール本数３３９が「１」減算され（ここでは「９」）、ロールＮｏ３４０から「ＡＢ３４０」が削除されて他ロール１００のロール位置が更新される（ここでは、「１本目：ＡＢ３４１」〜「９本目：ＡＢ３４９」）。研磨待ロール１００について、在籍位置３５５が「その他」に更新されるとともに、ロール管理状態３５７が「初回研磨待（研磨待）」から「初回研磨中（研磨中）」に更新される。
【０２０３】
次に、第一研磨機３１による研磨処理を実行制御するためのプログラムであるロール研磨制御指示が作成されるとともに、第一研磨機３１に対して当該ロール研磨制御指示が発行される（Ｓ２３９）。ステップＳ２３９では、ロール管理ＤＢ３５０に設定されている研磨待ロール１００の詳細情報や、あらかじめ作業者によって設定された研磨内容などに応じて、各研磨待ロール１００に応じた最適なプログラム（ロール研磨制御指示）が自動的に作成及び発行される。定置式タグリーダ８０によりタグＩＤを読み取った後に、ロール研磨制御指示が発行されるため、作業者によるロールエンドカバー１１０の取り外しミスを防止することができる。
【０２０４】
ロール研磨制御指示が発行されると、研磨エリア３０では第一研磨機３１が研磨実行ＰＢＬを点滅させて、作業者に対して１サイクルの研磨処理が実行可能となった旨を報知する。作業者が任意のタイミングで研磨実行ＰＢＬを押下すると、第一研磨機３１はロール研磨制御指示に基づいて研磨待ロール１００のロール表面に対して１サイクルの研磨処理を実行する（Ｗ５〜Ｗ６）。１サイクルの研磨処理が終了すると研磨実行ＰＢＬが再び点滅するため、作業者は研磨実行ＰＢＬを押下することで一のロール１００に対して複数サイクルの研磨処理を施すことができる（再研磨）。ロール１００に対する研磨処理が終了すると、第一研磨機３１はロール１００に対する研磨処理の実績データ（ロール研磨実績）を管理サーバ３に発行する。
【０２０５】
管理サーバ３では、第一研磨機３１から発行されたロール研磨実績が受け付けられると（Ｓ２４１：ＹＥＳ）、ロール研磨実績が「研磨実績情報」としてロール管理ＤＢ３５０の研磨関連情報３６１などに設定される。
【０２０６】
次に、管理サーバ３は、第一研磨機３１から発行されたロール研磨実績を受け付けると、無線式マイクロメータでのロール径測定を完了したか否か判定する（Ｓ２４３）。ロール１００に対して研磨処理を行なってロール径が小さくなると、ロール管理ＤＢ３５０に登録されている当該ロール１００のロール径区分３５４を研磨前とは変更しなくてはならないことがあるためロール径の管理が必要となる。管理サーバ３のロール研磨制御指示にて予定されていた研削量と、第一研磨機３１での実際の研削量とは、必ずしも一致しない場合があるため、実際のロール径が測定される。作業者は、研磨処理が終了すると研磨済ロール１００のロール径を測定器８５で規定回数を満たすように測定する（Ｗ７）。ワークロール１００ａの場合、３点においてロール径を測定する。測定器８５は、測定したロール径データを自動的に管理サーバ３に送信する。管理サーバ３は、測定器８５で計測されたロール径データを規定回数分受信したら、無線式マイクロメータでのロール径測定が完了したと判定する。
【０２０７】
管理サーバ３は、ロール径測定が完了済みであれば（Ｓ２４３：ＹＥＳ）、第一研磨機３１で発行されたロール研磨実績よりも優先して、測定器８５で測定されたロール径データを「ロール径情報」として採用する（Ｓ２４５）。
【０２０８】
測定器８５でのロール径測定が行なわれない場合、あるいは、測定器８５から受信したロール径測定データが異常であった場合は（Ｓ２４３：ＮＯ）、第一研磨機３１で発行されたロール研磨実績のロール径データを「ロール径情報」として採用する（Ｓ２４７）。
【０２０９】
管理サーバ３は、「ロール径情報」に基づいて研磨済ロール１００のロール径区分の変更要否が判断する。ロール径区分の変更が必要であれば、管理サーバ３は、ロール管理ＤＢ３５０にて現在のロール径に最適なロール径区分３５４を設定する（Ｓ２４９）。
【０２１０】
このように、「研磨実行処理」（図１９）では、作業者が第一研磨機３１に研磨待ロール１００を設置してサイクル開始ＰＢＬを押下するだけで、研磨待ロール１００に対して最適な研磨処理が実行されるとともに、管理サーバ３にて自動的に当該研磨処理に関する情報が記録される。そのため、作業者が研磨内容を指示したり研磨処理に関する情報を入力したりする手間が省かれて、ロール１００に対する研磨処理を迅速且つ正確に行うことができる。
【０２１１】
図２０に示す「ロール移動処理」は、「ロール移動（ＴＯ研磨済リフタ）」コマンドが受け付けられたことを契機として開始される（Ｓ２５１）。すなわち、作業者が無線ＨＴ６で「ロール移動（ＴＯ研磨済リフタ）」と表記されたアクションタグ１７を読み取ると（Ｗ９）、管理サーバ３では「ロール移動（ＴＯ研磨済リフタ）」コマンドの受付ありと判定されて、以下の処理が実行される。
【０２１２】
まず、研磨済ロール１００を第一研磨機３１から研磨済リフタ３８に移動させる前に、ロール移動先の研磨済リフタ３８の状況チェックが行なわれる（Ｓ２５３）。具体的には、パレット管理ＤＢ３３０やトラッキング情報を参照して、研磨済リフタ３８上にパレット２００が在席しており、かつ、当該パレット２００に研磨済ロール１００を載置可能な空きスペースがあれば、移動先状況に問題なしと判定される。移動先状況に問題がある場合は、管理サーバ３は、無線ＨＴ６にエラーを出力させる。
【０２１３】
移動先状況に問題がない場合は、パレット管理ＤＢ３３０を参照して、ロール移動先となる研磨済リフタ３８上に在席するパレット２００（ここでは、パレットＮｏ「Ｗ００２」）の詳細情報が無線ＨＴ６に表示される（Ｓ２５５）。
【０２１４】
次に、管理サーバ３では、タグＩＤを受け付けたか否かが判定される（Ｓ２５７）。作業者は、無線ＨＴ６でロール移動先となるパレット２００の状況を確認したうえで、研磨済ロール１００を第一研磨機３１から研磨済リフタ３８に移載する作業を開始する（Ｗ１０）。作業者が研磨済ロール１００を移載する際にロールエンドカバー１１０のロールタグ１５を無線ＨＴ６で読み取ると、管理サーバ３ではタグＩＤの受付ありと判定される。ここでは、ステップＳ２５７において、研磨済ロール１００「ＡＢ３４０」に対応するタグＩＤ「１００００」が受け付けられる。
【０２１５】
タグＩＤの受付がない場合（Ｓ２５７：ＮＯ）、ステップＳ２５７に戻って待ち状態となる。
【０２１６】
タグＩＤが受け付けられると（Ｓ２５７：ＹＥＳ）、当該タグＩＤに対応する研磨済ロール（移動対象ロール）１００を研磨済リフタ３８上のパレット（移動先パレット）２００に移載するための条件（「パレット移動条件」）を満たすか否かが、各管理ＤＢやトラッキング情報等を参照して判定される（Ｓ２５９）。具体的には、「パレット移動条件」として、移動対象ロール１００が移動先パレット２００に搭載済みの他のロール１００と均等であることが、ロール管理ＤＢ３５０を参照して判定される。移動対象ロール１００が移動先パレット２００上の他ロール１００と均等であるか否かは、当該パレット２００に搭載された１本目のロール１００を基準に判断するものとし、移動対象ロール１００が１本目に相当するときは本判断を行なわない。移動対象ロール１００が搭載済みの他ロール１００と均等であることを「パレット移動条件」とすることで、ほぼ均一な複数の研磨済ロール１００のみを移動先パレット２００に搭載することができる。
【０２１７】
「パレット移動条件」を満たさない場合（Ｓ２５９：ＮＯ）、管理サーバ３は、無線ＨＴ６にエラーを出力させる（Ｓ２６１）。
【０２１８】
「パレット移動条件」を満たす場合（Ｓ２５９：ＹＥＳ）、ロール管理ＤＢ３５０を参照して、移動対象ロール１００の詳細情報が無線ＨＴ６に表示される（Ｓ２６３）。
【０２１９】
作業者が、無線ＨＴ６にて移動対象ロール１００の詳細情報を確認したうえで移動実行を指示すると、移動実行設定として各種ＤＢが更新される（Ｓ２６５）。例えば、ロール管理ＤＢ３５０では、移動対象ロール１００「ＡＢ３４０」について、ロール加工状態３５６が「研磨済」に更新され、パレットＮｏ３５８が「Ｗ００２」に更新され、ロール管理状態３５７が「初回研磨中（研磨中）」から「初回研磨済（研磨済）」に更新され、パレット内位置３５９がパレット２００「Ｗ００２」でのロール位置（ここでは、「１」）に応じて更新される。パレット管理ＤＢ３３０では、移動先パレット２００「Ｗ００２」について、ロール本数３３９が「１」加算され、ロールＮｏ３４０「ＡＢ３４０」がロール位置（ここでは「１」）に応じて設定される。移動元パレット２００「Ｗ００１」について、ロール本数３３９が「１」減算され（ここでは「９」）、ロールＮｏ３４０から「ＡＢ３４０」が削除されて他ロール１００のロール位置が更新される（ここでは、「１本目：ＡＢ３４１」〜「９本目：ＡＢ３４９」）。
【０２２０】
このように、「研磨実行処理」(図１９）において作業者が無線ＨＴ６で研磨待ロール１００からロールタグ１５を読み取った後に、「ロール移動処理」（図２０）において、作業者が無線ＨＴ６で移動対象の研磨済ロール１００からロールタグ１５を読み取ることにより、当該ロール１００について移動元パレット（研磨待パレット）２００から移動先パレット（空パレット）２００に紐付けが更新される。そのため、ロール１００が搭載されるパレット２００が研磨処理の前後で変化しても、作業者がロール１００とパレット２００との紐付けをその都度更新するような手間を生じることがなく、第一研磨機３１に対するロール１００の移載作業を迅速且つ正確に行うことができる。
【０２２１】
［ダル加工工程］
図２１〜図２３を参照して、ロールショップ管理システム１におけるダル加工工程（プロセスＴ３）の運用制御を説明する。なお、本実施形態のダル加工工程では、パレット２００「Ｗ００２」に搭載された研磨済ロール１００「ＡＢ３４０」〜「ＡＢ３４９」が、ダル加工機４１を用いてロール表面にダル加工が施される場合を例示する。
【０２２２】
まず、図２１を参照して、ダル加工工程において、ダルエリア４０を中心に作業者や各種機器が実行する一連の動作（オペレーションＸ）について説明する。ダル加工工程では、ダルエリア４０に設けられた各搬送機器が「搬送中」でなく、ダル供給台車４２及びダル回収台車４３が倉庫側に位置している設備状態を初期状態とする。初期状態では、ダル加工機４１が未使用状態であり、ダル加工機４１及び各搬送機器のいずれにもロール１００及びパレット２００が存在していないものとする（Ｘ１）。
【０２２３】
なお、ダル加工工程に際して、管理サーバ３ではロール管理ＤＢ３５０を参照して、在籍位置３５５「倉庫内」かつロール管理状態３５７「ダル待」のレコードに対応するロール（ダル待ロール）１００の一覧であるダル待ロールリストが作成される。ダル加工工程では、ダル待ロールリストへの登録順に基づいて、ダル待ロール１００がダルエリア４０に順次供給される。
【０２２４】
初期状態において、自動倉庫７０のクレーン７１は、ダル待ロールリストに登録されたダル待ロール１００（ここでは、ロールＮｏ「ＡＢ３４０」〜「ＡＢ３４９」）を搭載したパレット（ダル待パレット）２００（ここでは、パレットＮｏ「Ｗ００２」）を収容棚からダル供給台車４２に搬送する。ダル供給台車４２上にダル待パレット２００が荷置きされると、ダル供給台車４２が倉庫側からダル側に移動する（Ｘ２）。
【０２２５】
次に、クレーン７１は、空パレット２００（ここでは、パレットＮｏ「Ｗ００３」）を収容棚からダル回収台車４３に搬送する。ダル回収台車４３上に空パレット２００が荷置きされると、ダル回収台車４３が倉庫側からダル側に移動する（Ｘ３）。
【０２２６】
ダルエリア４０のダルロール移載機４４は、ダル供給台車４２上のダル待パレット２００から１本のダル待ロール１００を荷取りする（Ｘ４）。ダルロール移載機４４は、ダル待パレット２００のＤＳ面右側（１０本目のロール位置）から順に、ダル待ロール１００を荷取りする。
【０２２７】
ダルロール移載機４４は旋回動作によってダル待ロール１００を搬送して、ダル加工機４１上に設置する（Ｘ５）。
【０２２８】
ダル加工機４１にダル待ロール１００が供給されると、ダル加工機４１は当該ロール１００に対してショットブラストを行なってロール表面にダル加工を施す（Ｘ６）。
【０２２９】
ダル加工機４１でのダル加工処理が終了すると、ダルロール移載機４４はダル加工機４１からダル済ロール１００を荷取りし、旋回動作によってダル済ロール１００を搬送してダル回収台車４３上の空パレット２００に荷置きする（Ｘ７）。ダルロール移載機４４は、空パレット２００のＤＳ面左側（１本目のロール位置）から順に、ダル済ロール１００を荷置きする。
【０２３０】
ダル加工機４１及びダルロール移載機４４は、ダル待パレット２００に搭載された全てのダル待ロール１００について、オペレーションＸ４〜Ｘ７を１本ずつ繰り返し実行する。
【０２３１】
ダル待パレット２００に搭載された全てのダル待ロール１００が荷取りされると、ダル供給台車４２上のダル待パレット２００が空になる（空パレット２００が発生する。）（Ｘ８）。
【０２３２】
ダル供給台車４２上に空パレット２００が発生すると、ダル供給台車４２はダル側から倉庫側に移動する。自動倉庫７０のクレーン７１は、倉庫側に到着したダル供給台車４２から空パレット２００を荷取りして収容棚に格納する（Ｘ９）。
【０２３３】
ダル回収台車４３上の空パレット２００にダル済ロール１００が満載されると、ダル済ロール１００が１０本搭載されたダル済パレット２００が発生する（Ｘ１０）。
【０２３４】
ダル済パレット２００が発生すると、ダル回収台車４３は、ダル側から倉庫側に移動する。クレーン７１は、倉庫側に到着したダル回収台車４３からダル済パレット２００を荷取りして収容棚に格納する（Ｘ１１）。
【０２３５】
以上により、パレット２００「Ｗ００２」に搭載されたロール１００「ＡＢ３４０」〜「ＡＢ３４９」が自動倉庫７０からダルエリア４０に供給され、当該ロール１００がダル加工機４１にてダル加工処理が施されたのちに、ロール１００「ＡＢ３４９」〜「ＡＢ３４０」がパレット２００「Ｗ００３」に搭載されてダルエリア４０から自動倉庫７０に回収される。
【０２３６】
ダルロール移載機４４が、パレット２００「Ｗ００２」のＤＳ面右側（１０本目位置）から順に荷取する一方、パレット２００「Ｗ００３」のＤＳ面左側（１本目位置）から順に荷置するため、パレット２００「Ｗ００２」及び「Ｗ００３」でロール１００「ＡＢ３４９」〜「ＡＢ３４０」の積載順が逆になる。
【０２３７】
次に、図２２及び図２３を参照して、ダル加工工程において管理サーバ３が実行する一連の内部的処理として、ダルエリア４０に対するダル待ロール１００の供給及びダル済ロール１００の回収を自動運行するための「ダル自動入出庫処理」、及び、ダル待ロール１００に対してダル加工処理を施すための「ダル加工実行処理」、をそれぞれ説明する。
【０２３８】
図２２に示す「ダル自動入出庫処理」では、まずダル供給台車４２にダル待パレット２００を出庫すべき条件（「ダル待パレット出庫条件」）を満たすか否かが、各管理ＤＢやトラッキング情報等を参照して判定される（Ｓ３０１）。具体的には、「ダル待パレット出庫条件」として、自動倉庫７０内にダル待パレット２００が存在していること、及び、ダル供給台車４２にパレット２００の在席がないこと、などを満たしているか判定される。例えば、初期状態（Ｘ１）であれば「ダル待パレット出庫条件」が満たされる（Ｓ３０１：ＹＥＳ）。
【０２３９】
「ダル待パレット出庫条件」を満たす場合（Ｓ３０１：ＹＥＳ）、ダル供給台車４２にダル待パレット２００を自動出庫するための「ダル供給台車出庫処理」が実行される（Ｓ３０３）。「ダル供給台車出庫処理」では、まずダル待パレット２００の「出庫引当処理」が実行される。具体的には、管理サーバ３では、先述の「研磨待リフタ出庫処理」における「出庫引当処理」（Ｓ２０３）と同様に、出庫対象のダル待ロール１００を搭載したダル待パレット２００の出庫予約がなされる。ダル待パレット２００の「出庫引当処理」が完了すると、クレーン７１及びダル供給台車４２の各制御指示が、クレーン制御盤７８に対して順次発行される。制御指示に応じて各搬送機器が連動して、自動倉庫７０内のダル待パレット２００をダル供給台車４２に搭載してダル側に搬送する（Ｘ２）。ここでは、ロールＮｏ「ＡＢ３４０」〜「ＡＢ３４９」のダル待ロール１００を搭載したパレットＮｏ「Ｗ００２」のダル待パレット２００が出庫予約され、当該ダル待パレット２００がダル供給台車４２のダル側に搬送される。
【０２４０】
次に、「ダル待パレット出庫条件」を満たさない場合（Ｓ３０１：ＮＯ）、ダル回収台車４３に空パレット２００を出庫すべき条件（「空パレット出庫条件」）を満たすか否かが、各管理ＤＢやトラッキング情報等を参照して判定される（Ｓ３０５）。具体的には、「空パレット出庫条件」として、自動倉庫７０内に空パレット２００が存在していること、及び、ダル回収台車４３にパレット２００の在席がないこと、などを満たしているか判定される。例えば、オペレーションＸ２の実行後は「空パレット出庫条件」が満たされる（Ｓ３０５：ＹＥＳ）。
【０２４１】
「空パレット出庫条件」を満たす場合（Ｓ３０５：ＹＥＳ）、ダル回収台車４３に空パレット２００を自動出庫するための「ダル回収台車出庫処理」が実行される（Ｓ３０７）。「ダル回収台車出庫処理」では、まず空パレット２００の「出庫引当処理」が実行される。具体的には、先述の「研磨済リフタ出庫処理」における「出庫引当処理」（Ｓ２０７）と同様に、空パレット２００の「出庫引当処理」が実行される。空パレット２００の「出庫引当処理」が完了すると、クレーン７１及びダル回収台車４３の各制御指示が、クレーン制御盤７８に対して順次発行される。制御指示に応じて各搬送機器が連動して、自動倉庫７０内の空パレット２００をダル回収台車４３に搭載してダル側に搬送する（Ｘ３）。ここでは、パレットＮｏ「Ｗ００３」の空パレット２００の「出庫引当処理」が実行され、当該空パレット２００がダル回収台車４３のダル側に搬送される。
【０２４２】
次に、「空パレット出庫条件」を満たさない場合（Ｓ３０５：ＮＯ）、ダル供給台車４２から空パレット２００を入庫すべき条件（「空パレット入庫条件」）を満たすか否かが、各管理ＤＢやトラッキング情報等を参照して判定される（Ｓ３０９）。具体的には、「空パレット入庫条件」として、ダル供給台車４２上に空パレット２００が在席していること、及び、自動倉庫７０内にパレット２００を収容可能な空きスペースがあること、などを満たしているか判定される。例えば、ダルロール移載機４４がダル待ロール１００「ＡＢ３４９」〜「ＡＢ３４０」をダル供給台車４２からダル加工機４１に供給する動作を繰り返してダル待パレット２００「Ｗ００２」が空になると、後述する「ダル加工実行処理」（図２３）によって当該パレット２００のロール本数が「０」に設定されて、「空パレット入庫条件」が満たされる（Ｘ４、Ｘ５、Ｘ８）（Ｓ３０９：ＹＥＳ）。
【０２４３】
「空パレット入庫条件」を満たす場合（Ｓ３０９：ＹＥＳ）、ダル供給台車４２から空パレット２００を自動入庫するための「ダル供給台車入庫処理」が実行される（Ｓ３１１）。ステップＳ３１１の「ダル供給台車入庫処理」では、まず空パレット２００の「入庫引当処理」が実行される。具体的には、管理サーバ３では、ステップＳ２１１での「入庫引当処理」と同様に、自動倉庫７０の空き収容棚に対して空パレット２００（ここでは、パレットＮｏ「Ｗ００２」）の入庫予約がなされる。空パレット２００の「入庫引当処理」が完了すると、ダル供給台車４２及びクレーン７１の各制御指示が、クレーン制御盤７８に対して順次発行される。制御指示に応じて各搬送機器が連動して、ダル供給台車４２に搭載された空パレット２００を自動倉庫７０まで搬送して入庫予約済の収容棚に格納する（Ｘ９）。「ダル供給台車入庫処理」が終了すると、「入庫完了設定」が実行されて各種ＤＢが更新される。
【０２４４】
次に、「空パレット入庫条件」を満たさない場合（Ｓ３０９：ＮＯ）、ダル回収台車４３からダル済パレット２００を入庫すべき条件（「ダル済パレット入庫条件」）を満たすか否かが、各管理ＤＢやトラッキング情報等を参照して判定される（Ｓ３１３）。具体的には、「ダル済パレット入庫条件」として、ダル回収台車４３上にダル済ロール１００を１０本搭載した実パレット２００が在席していること、及び、自動倉庫７０内にパレット２００を収容可能な空きスペースがあること、などを満たしているか判定される。例えば、ダルロール移載機４４がダル済ロール１００「ＡＢ３４９」〜「ＡＢ３４０」をダル加工機４１からダル回収台車４３に移載する動作を繰り返してダル済パレット２００「Ｗ００３」が満載になると、後述する「ダル加工実行処理」（図２３）によって当該パレット２００のロール本数が「０」に設定されて、「ダル済パレット入庫条件」が満たされる（Ｘ７、Ｘ１０）（Ｓ３１３：ＹＥＳ）。
【０２４５】
「ダル済パレット入庫条件」を満たさない場合は（Ｓ３１３：ＮＯ）、ステップＳ３０１に戻る。
【０２４６】
「ダル済パレット入庫条件」を満たす場合（Ｓ３１３：ＹＥＳ）、ダル回収台車４３からダル済パレット２００を自動入庫するための「ダル回収台車入庫処理」が実行される（Ｓ３１５）。「ダル回収台車入庫処理」では、まずダル済パレット２００の「入庫引当処理」が実行される。具体的には、ステップＳ２１５での「入庫引当処理」（Ｓ２１５）と同様に、自動倉庫７０の空き収容棚に対してダル済パレット２００（ここでは、パレットＮｏ「Ｗ００３」）の入庫予約がなされる。そして、ダル済パレット２００の「入庫引当処理」が完了すると、ダル回収台車４３及びクレーン７１の各制御指示が、クレーン制御盤７８に対して順次発行される。制御指示に応じて各搬送機器が連動して、ダル回収台車４３に搭載されたダル済パレット２００を自動倉庫７０まで搬送して入庫予約済の収容棚に格納する（Ｘ１１）。「ダル回収台車入庫処理」が終了すると、「入庫完了設定」が実行されて各種ＤＢが更新される。
【０２４７】
このように、「ダル自動入出庫処理」（図２２）では、ダル供給台車４２に対するダル待パレット２００の供給及び空パレット２００の回収と、ダル回収台車４３に対する空パレット２００の供給及びダル済パレット２００の回収とが、ほぼ自動運行される。そのため、作業者がダル待ロール１００を出庫させたりダル済ロール１００を入庫させたりする手間が省かれて、ダル加工工程におけるダル待ロール１００の供給及びダル済ロール１００の回収を迅速且つ正確に行うことができる。
【０２４８】
図２３に示す「ダル加工実行処理」は、まずダル加工機４１にてダル加工処理を実行すべき条件（「ダル加工実行条件」）が成立したことを契機に開始される（Ｓ３３１）。具体的には、ダル供給台車４２上にダル待ロール１００を搭載したパレット２００が在席すること、ダル回収台車４３上にダル済ロール１００を搭載可能な空スペースを有するパレット２００が存在すること、ダルエリア４０の各設備機器がダウンしていないこと、などを満たしていれば「ダル加工実行条件」が成立したものとして、以下の処理が実行される。
【０２４９】
まず、ダル加工機４１にてショットブラスト部での目詰まりを防止するためのシェーキング処理が実行されているか否かが判定される（Ｓ３３３）。
【０２５０】
ダル加工機４１にてシェーキング処理が実行中である場合（Ｓ３３３：ＹＥＳ）、シェーキング処理が終了するまでステップＳ３３３にて待ち状態となる。
【０２５１】
ダル加工機４１にてシェーキング処理が実行されていない場合（Ｓ３３３：ＮＯ）、ダルロール移載機４４の制御指示がクレーン制御盤７８に対して発行されるともに（Ｓ３３５）、ロール管理ＤＢ３５０では移載対象のダル待ロール１００について各種データが更新される。例えば、移載対象のダル済ロール１００（ここでは、ロールＮｏ「ＡＢ３４９」とする。）のロール管理状態３５７が「ダル待」から「ダル中」に更新される。パレット管理ＤＢ３３０では、ダル待パレット２００（すなわち、パレットＮｏ「Ｗ００２」）について、ロール本数３３９が「１」減算され（ここでは、「９」）、１０本目のロールＮｏ３４０「ＡＢ３４９」が削除される。
【０２５２】
ダルエリア４０では、ステップＳ３３５で発行された制御指示に応じてダルロール移載機４４がハンドリング動作を行って、ダル待パレット２００のＤＳ面右側に位置するダル待ロール１００をダル供給台車４２からダル加工機４１に供給する（Ｘ５）。ダル加工機４１にダルロール移載機４４が設置されると、ダル加工機４１は管理サーバ３に対して１サイクルのダル加工処理の指令要求を発行する。
【０２５３】
管理サーバ３では、ダル加工処理の指令要求ありと判定されると（Ｓ３３７：ＹＥＳ）、ダル加工機４１によるダル加工処理を実行制御するためのプログラムであるダル加工制御指示が作成されるとともに、ダル加工機４１に対してダル加工制御指示が発行される（Ｓ３３９）。ステップＳ３３９では、ロール管理ＤＢ３５０に設定されているダル待ロール１００の詳細情報や、あらかじめ作業者によって設定されたダル加工内容などに応じて、各ダル待ロール１００に応じた最適なプログラム（ダル加工制御指示）が自動的に作成及び発行される。
【０２５４】
ダル加工機４１は、ダル加工制御指示に基づいてダル待ロール１００に対して１サイクルのショットブラストを実行してロール表面にダル加工を施す。ダル待ロール１００に対するダル加工処理が終了すると、ダルロール移載機４４のハンドリング動作によって、ダル済ロール１００がダル回収台車４３上の空パレット（ダル済パレット）２００のＤＳ面左側に位置するようにダル加工機４１からダル回収台車４３に回収される（Ｘ６、Ｘ７）。ダル加工機４１は、ダル加工処理が完了すると、ロール１００に対するダル加工処理の実績データ（ダル加工実績）を管理サーバ３に発行する。
【０２５５】
管理サーバ３では、ダル加工機４１から発行されたダル加工実績が受け付けられると（Ｓ３４１）、ダル加工完了設定として各種ＤＢが更新されるとともに、ダル加工実績が「ダル実績情報」としてロール管理ＤＢ３５０のダル関連情報３６２などに設定される（Ｓ３４３）。例えば、ロール管理ＤＢ３５０では、ダル済ロール１００「ＡＢ３４９」について、ロール加工状態３５６「ダル済」、パレットＮｏ３５８「Ｗ００３」に更新され、ロール管理状態３５７が「ダル中」から「ダル済」に更新され、パレット内位置３５９がパレット２００「Ｗ００３」でのロール位置（ここでは「１」）に更新される。パレット管理ＤＢ３３０では、ダル済パレット２００「Ｗ００３」について、ロール本数３３９が「１」加算され、ロールＮｏ３４０「ＡＢ３４９」がロール位置（ここでは「１」）に応じて設定される。
【０２５６】
ダルロール移載機４４は、パレット２００「Ｗ００２」のＤＳ面右側（１０本目位置）から順に荷取する一方、パレット２００「Ｗ００３」のＤＳ面左側（１本目位置）から順に荷置する。「ダル加工実行処理」を実行することにより管理サーバ３では、自動的にパレット２００「Ｗ００２」及び「Ｗ００３」でロール１００「ＡＢ３４９」〜「ＡＢ３４０」の積載順が逆になるようにパレット内位置３５９が設定される。ダル待パレット２００内におけるダル待ロール１００のパレット内位置３５９と、ダル済パレット２００内におけるダル済ロール１００のパレット内位置３５９とが異なっていても、「ダル加工実行処理」を実行することにより正確にパレット内位置３５９を管理することができる。
【０２５７】
このように、「ダル加工実行処理」（図２３）では、ダル加工機４１に対するロール１００の供給及び回収がダルロール移載機４４によって自動運行されるとともに、ダル加工機４１ではダル待ロール１００に対して最適なダル加工処理が自動実行される。また、管理サーバ３では、研磨済ロール１００について、当該ダル加工処理に関する情報が自動的に記録されるとともに、移動元パレット（ダル待パレット）２００から移動先パレット（空パレット）２００に紐付けが更新される。そのため、作業者がダル加工機４１に対するロール１００の移載作業を行う必要がなく、ダル加工内容を指示したりロール１００とパレット２００との紐付けを更新したりする手間が省かれて、ロール１００に対するダル加工処理を迅速且つ正確に行うことができる。
【０２５８】
［ロール交換工程］
図２４〜図２９を参照して、ロールショップ管理システム１におけるロール交換工程（プロセスＴ４）の運用制御を説明する。なお、本実施形態のロール交換工程では、パレット２００「Ｗ００３」に搭載されたダル済ロール１００「ＡＢ３４９」〜「ＡＢ３４０」が、ＺＭ圧延機２の旧ロール１００に代えて組み込まれ、更に、圧延作業にて使用済みの圧延済ロール１００「ＡＢ３４９」〜「ＡＢ３４０」が新ロール１００に代えてＺＭ圧延機２から取り外される場合を例示する。
【０２５９】
まず、図２４〜図２６を参照して、ロール交換工程において、圧延エリア６０を中心に作業者や各種機器が実行する一連の動作（オペレーションＹ）について、ＺＭ供給エリア６１に関連するオペレーションと、ＺＭ回収エリア６２に関連するオペレーションと、を分けて説明する。
【０２６０】
ロール交換工程に際して、管理サーバ３ではロール管理ＤＢ３５０を参照して、在籍位置３５５「倉庫内」かつロール管理状態３５７「圧延待」のレコードに対応するロール（圧延待ロール）１００の一覧である圧延エリア出庫リストが作成される。
【０２６１】
圧延エリア出庫リストには、先述のロール供給パターンに基づいて、「スムース」ロール１００（ロール加工状態３５６「研磨済」の圧延待ロール１００）又は「ダル」ロール１００（ロール加工状態３５６「ダル済」の圧延待ロール１００）が設定される。ロール供給パターンが「スムースのみ」であれば、圧延エリア出庫リストに「スムース」ロール１００のみが順に登録される。ロール供給パターンが「ダルのみ」であれば、圧延エリア出庫リストに「ダル」ロール１００のみが順に登録される。ロール供給パターンが「交互」であれば、圧延エリア出庫リストに「スムース」ロール１００及び「ダル」ロール１００が交互順に登録される。
【０２６２】
ロール交換工程では、圧延エリア出庫リストへの登録順に基づいて、圧延待ロール１００が圧延エリア６０に順次供給される。
【０２６３】
まず、ロール交換工程では、ＺＭ供給エリア６１に設けられた各搬送機器が「搬送中」でなく、ロール供給トラバーサ６５が後進位置にあり、受渡リフタ６４ａ、６４ｂがそれぞれ実ストックコンベア６３の中段位置６３ｃでパレット２００を受け渡し可能な高さ位置にあるときの設備状態を、ＺＭ供給エリア６１の初期状態とする（Ｙ１）。
【０２６４】
ＺＭ供給エリア６１の初期状態では、実ストックコンベア６３の上段位置６３ａ及びロール供給トラバーサ６５の上段位置６５ａにダル済パレット２００がそれぞれ圧延待パレット２００として収容され、かつ、実ストックコンベア６３の下段位置６３ｂ及びロール供給トラバーサ６５の下段位置６５ｂに研磨済パレット２００がそれぞれ圧延待パレット２００として収容されているものとする。ここでは、理解を容易にするために、ダル済ロール１００「ＡＢ３４９」〜「ＡＢ３４０」を搭載したダル済パレット２００「Ｗ００３」が、後述するように自動倉庫７０から実ストックコンベア６３への供給を経て、ロール供給トラバーサ６５の上段位置６５ａに既に搭載されているものとする。
【０２６５】
ＺＭ供給エリア６１の初期状態（Ｙ１）で、作業者は、任意のタイミングでＺＭ供給エリア６１に設けられた供給トラバーサ前進ＰＢＬを押下する（Ｙ２）。
【０２６６】
供給トラバーサ前進ＰＢＬが押下されると、圧延待パレット２００を搭載したロール供給トラバーサ６５が後進位置から前進位置まで移動する（Ｙ３）。
【０２６７】
ロール供給トラバーサ６５が前進位置に到達すると、作業者はロール供給トラバーサ６５とチェンジャー６９とを連結させる。そして、作業者は、無線ＨＴ６で「圧延使用前ロール移動」と表記されたアクションタグ１７を読み取る（Ｙ４）。
【０２６８】
次に、作業者は、圧延待ロール１００を転動させてロール供給トラバーサ６５からチェンジャー６９に移載する作業を開始する。作業者は、圧延待パレット２００のＤＳ面の左側に位置する圧延待ロール１００から順に一本ずつチェンジャー６９上に移載する。圧延待ロール１００を移載するに際して、無線ＨＴ６で当該圧延済ロール１００のロールタグ１５を読み取ったうえでロールエンドカバー１１０を取り外す（Ｙ５）。ここでは、作業者が、ロール供給トラバーサ６５の上段位置６５ａ（すなわち、ダル済パレット２００「Ｗ００３」）からチェンジャー６９の供給側上段６９ａに、圧延済ロール１００（すなわち、ダル済ロール１００「ＡＢ３４９」〜「ＡＢ３４０」）を移載する場合を例示している。
【０２６９】
作業者がオペレーションＹ５を繰り返すことでロール供給トラバーサ６５上の圧延待パレット２００が空になると（つまり、空パレット２００が発生すると）（Ｙ６）、ＺＭ供給エリア６１に設けられた供給トラバーサ後進ＰＢＬが点滅する。
【０２７０】
次に、作業者は、ロール供給トラバーサ６５とチェンジャー６９との連結を解除したうえで点滅した供給トラバーサ後進ＰＢＬを押下する（Ｙ７）。
【０２７１】
供給トラバーサ後進ＰＢＬが押下されると、ロール供給トラバーサ６５が前進位置から後進位置に移動する（Ｙ８）。
【０２７２】
ロール供給トラバーサ６５が後進位置に到着すると、受渡リフタ６４ｂが上昇してロール供給トラバーサ６５の上段位置６５ａから空パレット２００を荷受する。次に、受渡リフタ６４ｂが下降して実ストックコンベア６３の中段位置６３ｃに空パレット２００を荷渡する（Ｙ９）。
【０２７３】
次に、受渡リフタ６４ａが実ストックコンベア６３の中段位置６３ｃから空パレット２００を荷受する。次に、受渡リフタ６４ｂが上昇して実ストックコンベア６３の上段位置６３ａから圧延待パレット２００を荷受する（Ｙ１０）。
【０２７４】
次に、受渡リフタ６４ａが空パレット２００をメイントラバーサ９０の供給部９１に荷渡する。次に、受渡リフタ６４ｂが圧延待パレット２００をロール供給トラバーサ６５の上段位置６５ａに荷渡する（Ｙ１１）。
【０２７５】
なお、ＺＭ供給エリア６１から空パレット２００（ここでは、パレットＮｏ「Ｗ００３」）が回収されると、後述するように空ストックコンベア６６に供給されるものを除いて、当該パレット２００は自動倉庫７０に入庫される。詳細には、空パレット２００がメイントラバーサ９０の供給部９１に荷渡されると、メイントラバーサ９０が圧延エリア６０側から入出庫エリア５０側に移動して、供給部９１が空パレット２００を入庫コンベア５２上に荷置する。入庫コンベア５２が空パレット２００を自動倉庫７０側に搬送すると、クレーン７１が当該パレット２００を入庫コンベア５２から荷取して収容棚に格納する。以上により、ロール供給トラバーサ６５に対する圧延待パレット２００の供給及び空パレット２００の回収が完了する。
【０２７６】
上記のオペレーションＹ１〜Ｙ１１によって、実ストックコンベア６３の上段位置６３ａが空き状態となる。先述の圧延エリア出庫リストへの登録順に基づいて、空き状態の上段位置６３ａに圧延待パレット２００が自動供給される。詳細には、自動倉庫７０にてクレーン７１が出庫対象の圧延待パレット２００を出庫コンベア５１に荷置きすると、出庫コンベア５１は圧延待パレット２００をメイントラバーサ９０側に搬送して供給部９１に荷渡する。メイントラバーサ９０が入出庫エリア５０側から圧延エリア６０側に移動すると、供給部９１が受渡リフタ６４ａに圧延待パレット２００を荷渡する。受渡リフタ６４ａは、圧延待パレット２００が荷置されると上昇して、実ストックコンベア６３の上段位置６３ａに圧延待パレット２００を荷渡する。これにより、実ストックコンベア６３に圧延待パレット２００が供給されるとともに、ＺＭ供給エリア６１は初期状態（Ｙ１）となる。
【０２７７】
ところで、作業者は、チェンジャー６９を使用してＺＭ圧延機２に使用されるロール１００の交換作業を、以下のように行う。
【０２７８】
まず、作業者は、チェンジャー６９の組込部６９ｅをＺＭ圧延機２側に前進させてロール交換用開口部に挿入し、ＺＭ圧延機２内にて交換対象の圧延済ロール（旧ロール）１００を取り外して組込部６９ｅ上に設置する。次に、組込部６９ｅをＺＭ圧延機２側から後進させてロール交換用開口部から抜き出す（Ｙ１２）。
【０２７９】
抜き出された組込部６９ｅ上の旧ロール１００をロール回収トラバーサ６８上に移載する（Ｙ１３）。
【０２８０】
次に、作業者は、チェンジャー６９にて供給側上段６９ａ上の交換対象の圧延待ロール（新ロール）１００を組込部６９ｅ上に搭載する（Ｙ１４）。
【０２８１】
次に、組込部６９ｅをＺＭ圧延機２側に前進させてロール交換用開口部に挿入し、ＺＭ圧延機２内にて新ロール１００を旧ロール１００に代えて取り付ける（Ｙ１５）。
【０２８２】
作業者は、ＺＭ圧延機２における全ての交換対象ロール１００について、オペレーションＹ１２〜Ｙ１５を１本ずつ実行する。
【０２８３】
次に、ロール交換工程では、ＺＭ回収エリア６２に設けられた各搬送機器が「搬送中」でなく、ロール回収トラバーサ６８が後進位置にあり、受渡リフタ６７ａ、６７ｂがそれぞれ空ストックコンベア６６の中段位置６６ｃでパレット２００を受け渡し可能な高さ位置にあるときの設備状態を、ＺＭ回収エリア６２の初期状態とする（Ｙ１６）。
【０２８４】
ＺＭ回収エリア６２の初期状態では、空ストックコンベア６６の下段位置６６ｂ及びロール回収トラバーサ６８に空パレット２００がそれぞれ収容されているものとする。ここでは、理解を容易にするために、空パレット２００「Ｗ００４」が、後述するように自動倉庫７０から空ストックコンベア６６への供給を経て、ロール回収トラバーサ６８に既に搭載されているものとする。
【０２８５】
ＺＭ回収エリア６２の初期状態（Ｙ１６）で、作業者は、任意のタイミングでＺＭ回収エリア６２に設けられた回収トラバーサ前進ＰＢＬを押下する（Ｙ１７）。
【０２８６】
回収トラバーサ前進ＰＢＬが押下されると、ロール回収トラバーサ６８が後進位置から前進位置まで移動する（Ｙ１８）。ロール回収トラバーサ６８が前進位置に到達すると、作業者はロール回収トラバーサ６８とチェンジャー６９とを連結させる。
【０２８７】
次に、作業者は、無線ＨＴ６で「圧延使用後ロール移動」と表記されたアクションタグ１７を読み取る（Ｙ１９）。
【０２８８】
次に、作業者は、圧延済ロール１００（ここでは、圧延済ロール１００「ＡＢ３４９」〜「ＡＢ３４０」）をチェンジャー６９からロール回収トラバーサ６８に転動させて移載する作業を開始する。作業者は、チェンジャー６９上の圧延済ロール１００をロール回収トラバーサ６８上の空パレット２００（ここでは、パレットＮｏ「Ｗ００４」）のＤＳ面左側から順に移載する。作業者は、各圧延済ロール１００を移載するに際して、当該圧延済ロール１００に新たなロールエンドカバー１１０を取り付けたうえで、無線ＨＴ６で当該ロールエンドカバー１１０のロールタグ１５を読み取る（Ｙ２０）。
【０２８９】
作業者がオペレーションＹ２０を繰り返すことでロール回収トラバーサ６８上の空パレット２００に圧延済ロール１００が満載されると（つまり、圧延済ロール１００が１０本搭載された圧延済パレット２００が発生すると）（Ｙ２１）、ＺＭ回収エリア６２に設けられた回収トラバーサ後進ＰＢＬが点滅する。
【０２９０】
作業者は、ロール回収トラバーサ６８及びチェンジャー６９の連結を解除したうえで点滅した回収トラバーサ後進ＰＢＬを押下する（Ｙ２２）。
【０２９１】
回収トラバーサ後進ＰＢＬが押下されると、ロール回収トラバーサ６８が前進位置から後進位置に移動する（Ｙ２３）。
【０２９２】
ロール回収トラバーサ６８が後進位置に到着すると、受渡リフタ６７ｂがロール回収トラバーサ６８から圧延済パレット２００を荷受して、空ストックコンベア６６の中段位置６６ｃに圧延済パレット２００を荷渡する（Ｙ２４）。
【０２９３】
次に、受渡リフタ６７ａが空ストックコンベア６６の中段位置６６ｃから圧延済パレット２００を荷受するとともに、受渡リフタ６７ｂが下降して空ストックコンベア６６の下段位置６６ｂから空パレット２００を荷受する（Ｙ２５）。
【０２９４】
次に、受渡リフタ６７ａが圧延済パレット２００をメイントラバーサ９０の回収部９２に荷渡するとともに、受渡リフタ６７ｂが空パレット２００をロール回収トラバーサ６８に荷渡する（Ｙ２６）。
【０２９５】
ＺＭ回収エリア６２から圧延済パレット２００（ここでは、パレットＮｏ「Ｗ００４」）が回収されると、当該パレット２００は自動倉庫７０に入庫される。詳細には、圧延済パレット２００がメイントラバーサ９０の回収部９２に荷渡されると、メイントラバーサ９０が圧延エリア６０側から入出庫エリア５０側に移動して、回収部９２が圧延済パレット２００を入庫コンベア５２上に荷置する。入庫コンベア５２が圧延済パレット２００を自動倉庫７０側に搬送すると、クレーン７１が当該パレット２００を入庫コンベア５２から荷取して収容棚に格納する。以上により、ロール回収トラバーサ６８に対する空パレット２００の供給及び圧延済パレット２００の回収が完了する。
【０２９６】
上記のオペレーションＹ１６〜Ｙ２６によって、空ストックコンベア６６の下段位置６６ｂが空き状態となるが、ＺＭ供給エリア６１から回収される空パレット２００がある場合は、当該空パレット２００が下段位置６６ｂに自動供給される。詳細には、ＺＭ供給エリア６１から空パレット２００が回収されると（Ｙ１１参照）、メイントラバーサ９０はＺＭ供給エリア６１からＺＭ回収エリア６２に移動して、受渡リフタ６７ａに空パレット２００を荷渡する。受渡リフタ６７ａは、空パレット２００が荷置されると下降して、空ストックコンベア６６の下段位置６６ｂに空パレット２００を荷渡する。これにより、空ストックコンベア６６に空パレット２００が供給されるとともに、ＺＭ回収エリア６２は初期状態（Ｙ１６）となる。一方、ＺＭ供給エリア６１から回収される空パレット２００がない場合、クレーン７１、出庫コンベア５１、メイントラバーサ９０の搬送動作によって、自動倉庫７０内の空パレット２００がＺＭ回収エリア６２に供給される。
【０２９７】
以上により、パレット２００「Ｗ００３」に搭載されたロール１００「ＡＢ３４９」〜「ＡＢ３４０」が自動倉庫７０から圧延エリア６０に供給され、ＺＭ圧延機２に新ロールとして取り付けられる。一方、ＺＭ圧延機２にてロール１００「ＡＢ３４９」〜「ＡＢ３４０」が使用されたのちは、旧ロールとしてパレット２００「Ｗ００４」に搭載されて圧延エリア６０から自動倉庫７０に回収される。
【０２９８】
次に、図２７〜図２９を参照して、ロール交換工程（プロセスＴ４）において管理サーバ３が実行する一連の内部的処理として、圧延エリア６０に対する圧延待ロール１００の供給及び圧延済ロール１００の回収を自動運行するための「圧延自動入出庫処理」、圧延待ロール１００をＺＭ圧延機２に供給するための「圧延使用前ロール移動処理」、及び、圧延済ロール１００をＺＭ圧延機２から回収するための「「圧延使用済ロール移動処理」、をそれぞれ説明する。
【０２９９】
図２７に示す「圧延自動入出庫処理」では、まずロール供給トラバーサ６５を前進させるための条件（「供給トラバーサ前進可能条件」）を満たすか否かが、ロール供給トラバーサ６５からのステータス情報に基づいて判定される（Ｓ４０１）。具体的には「供給トラバーサ前進可能条件」として、ロール供給トラバーサ６５が後進位置にあること、及び、ロール供給トラバーサ６５が「搬送中」でないこと、を満たしているか判定される。例えば、初期状態（Ｙ１）であれば、「供給トラバーサ前進可能条件」が満たされる（Ｓ４０１：ＹＥＳ）。
【０３００】
「供給トラバーサ前進可能条件」が満たされた場合（Ｓ４０１：ＹＥＳ）、供給トラバーサ前進指示要求がクレーン制御盤７８に対して発行される（Ｓ４０３）。供給トラバーサ前進指示要求が発せられると、クレーン制御盤７８がＺＭ供給エリア６１に設けられた供給トラバーサ前進ＰＢＬを点滅させて、作業者に対してロール供給トラバーサ６５が前進可能である旨を報知する。作業者が任意のタイミングで供給トラバーサ前進ＰＢＬを押下すると、クレーン制御盤７８がロール供給トラバーサ６５を後進位置から前進位置まで移動させる（Ｙ２、Ｙ３）。
【０３０１】
「供給トラバーサ前進可能条件」を満たさない場合（Ｓ４０１：ＮＯ）、又は、供給トラバーサ前進指示要求が発行された場合、ロール供給トラバーサ６５を後進させるための条件（「供給トラバーサ後進可能条件」）を満たすか否かが、各管理ＤＢやトラッキング情報等を参照して判定される（Ｓ４０５）。具体的には、「供給トラバーサ後進可能条件」として、ロール供給トラバーサ６５が前進位置にあること、ロール供給トラバーサ６５が「搬送中」でないこと、及び、ロール供給トラバーサ６５に空パレット２００が在席していること、を満たしているか判定される。例えば、作業者が圧延待ロール１００「ＡＢ３４９」〜「ＡＢ３４０」をロール供給トラバーサ６５からチェンジャー６９に移載する動作を繰り返して圧延待パレット２００「Ｗ００３」が空になると、後述する「圧延使用前ロール移動処理」（図２８）によって当該パレット２００のロール本数が「０」に設定されて、「供給トラバーサ後進可能条件」が満たされる（Ｙ５、Ｙ６）（Ｓ４０５：ＹＥＳ）。
【０３０２】
「供給トラバーサ後進可能条件」を満たす場合（Ｓ４０５：ＹＥＳ）、供給トラバーサ後進指示要求がクレーン制御盤７８に対して発行される（Ｓ４０７）。供給トラバーサ後進指示要求が発せられると、クレーン制御盤７８がＺＭ供給エリア６１に設けられた供給トラバーサ後進ＰＢＬを点滅させて、作業者に対してロール供給トラバーサ６５が後進可能である旨を報知する。作業者が任意のタイミングで供給トラバーサ後進ＰＢＬを押下すると、クレーン制御盤７８がロール供給トラバーサ６５を前進位置から後進位置まで移動させる（Ｙ７、Ｙ８）。
【０３０３】
次に、ロール供給トラバーサ６５が後進位置にあり、かつ、パレット２００を搭載しているか否かが、各管理ＤＢやトラッキング情報等を参照して判定される（Ｓ４０９）。
【０３０４】
ロール供給トラバーサ６５が後進位置に到着した場合（Ｓ４０９：ＹＥＳ）、ロール供給トラバーサ６５から空パレット２００を自動回収するための「空パレット回収処理」が開始される（Ｓ４１１）。「空パレット回収処理」は、空ストックコンベア６６に空パレット２００を収容可能な空スペースが有るか否かによって、以下のように処理内容が異なっている。
【０３０５】
空ストックコンベア６６に空パレット２００を収容可能な空スペースがない場合、ステップＳ２１１及びステップＳ３１１などと同様に、まず空パレット２００の「入庫引当処理」が実行される。空パレット２００の「入庫引当処理」が完了すると、ロール供給トラバーサ６５、受渡リフタ６４ｂ、実ストックコンベア６３、受渡リフタ６４ａ、メイントラバーサ９０、入庫コンベア５２、クレーン７１の各制御指示が、クレーン制御盤７８又は周辺制御盤７９に対して順次発行される。制御指示に応じて各搬送機器が連動して、ロール供給トラバーサ６５の上段位置６５ａに在席する空パレット２００を自動倉庫７０まで搬送して入庫予約済の収容棚に格納する（Ｙ９〜Ｙ１１）。管理サーバ３では、「入庫完了設定」が実行されて各種ＤＢが更新される。
【０３０６】
空ストックコンベア６６に空パレット２００を収容可能な空スペースがある場合、ロール供給トラバーサ６５、受渡リフタ６４ｂ、実ストックコンベア６３、受渡リフタ６４ａ、メイントラバーサ９０、受渡リフタ６７ａ、空ストックコンベア６６の各制御指示が、クレーン制御盤７８又は周辺制御盤７９に対して順次発行される。制御指示に応じて各搬送機器が連動して、ロール供給トラバーサ６５の上段位置６５ａに在席する空パレット２００を、自動倉庫７０を経由することなく空ストックコンベア６６に直接搬送する（Ｙ９〜Ｙ１１）。
【０３０７】
「空パレット回収処理」によりロール供給トラバーサ６５及び受渡リフタ６４ｂから空パレット２００の在席がなくなった時点で、ロール供給トラバーサ６５に圧延待パレット２００を自動補充するための「実パレット補充処理」が開始される（Ｓ４１３）。「実パレット補充処理」では、実ストックコンベア６３、受渡リフタ６４ｂ、ロール供給トラバーサ６５の各制御指示が、クレーン制御盤７８又は周辺制御盤７９に対して順次発行される。制御指示に応じて各搬送機器が連動して、実ストックコンベア６３の上段位置６３ａに在席する圧延待パレット２００をロール供給トラバーサ６５の上段位置６５ａまで搬送する（Ｙ９〜Ｙ１１）。
【０３０８】
次に、実ストックコンベア６３に圧延待パレット２００を収容可能な空スペースが発生した時点で、実ストックコンベア６３に圧延待パレット２００を自動供給するための「実パレット供給処理」が開始される（Ｓ４１５）。「実パレット供給処理」では、「研磨待リフタ出庫処理」における「出庫引当処理」（Ｓ２０３）及び「ダル供給台車出庫処理」における「出庫引当処理」（Ｓ３０３）などと同様に、まず圧延待パレット２００の「出庫引当処理」が実行される。そして、圧延待パレット２００の「出庫引当処理」が完了すると、クレーン７１、出庫コンベア５１、メイントラバーサ９０、受渡リフタ６４ａ、実ストックコンベア６３の各制御指示が、クレーン制御盤７８又は周辺制御盤７９に対して順次発行される。制御指示に応じて各搬送機器が連動して、自動倉庫７０内に収容された圧延待パレット２００を実ストックコンベア６３の上段位置６３ａまで搬送する（Ｙ９〜Ｙ１１）。
【０３０９】
ステップＳ４０５で「供給トラバーサ後進可能条件」を満たさない場合（Ｓ４０５：ＮＯ）、又は、ステップＳ４０９でロール供給トラバーサ６５が後進位置にない場合（Ｓ４０９：ＮＯ）、ロール回収トラバーサ６８を前進させるための条件（回収トラバーサ前進可能条件）を満たすか否かが、ロール回収トラバーサ６８からのステータス情報に基づいて判定される（Ｓ４１７）。具体的には、「回収トラバーサ前進可能条件」として、ロール回収トラバーサ６８が後進位置にあること、及び、ロール回収トラバーサ６８が「搬送中」でないこと、を満たしているか判定される。例えば、初期状態（Ｙ１６）であれば、「回収トラバーサ前進可能条件」が満たされる（Ｓ４１７：ＹＥＳ）。
【０３１０】
「回収トラバーサ前進可能条件」が満たされると（Ｓ４１７：ＹＥＳ）、回収トラバーサ前進指示要求がクレーン制御盤７８に対して発行される（Ｓ４１９）。回収トラバーサ前進指示要求が発せられると、クレーン制御盤７８がＺＭ回収エリア６２に設けられた回収トラバーサ前進ＰＢＬを点滅させて、作業者に対してロール回収トラバーサ６８が前進可能である旨を報知する。作業者が任意のタイミングで回収トラバーサ前進ＰＢＬを押下すると、クレーン制御盤７８がロール回収トラバーサ６８を後進位置から前進位置まで移動させる（Ｙ１８、Ｙ１９）。
【０３１１】
「回収トラバーサ前進可能条件」を満たさない場合（Ｓ４１７：ＮＯ）、ステップＳ４２１が実行される。
【０３１２】
次に、ロール回収トラバーサ６８を後進させるための条件（「回収トラバーサ後進可能条件」）を満たすか否かが、各管理ＤＢやトラッキング情報等を参照して判定される（Ｓ４２１）。具体的には、「回収トラバーサ後進可能条件」として、ロール回収トラバーサ６８が前進位置にあること、ロール回収トラバーサ６８が「搬送中」でないこと、及び、ロール回収トラバーサ６８に圧延済ロール１００を１０本搭載した実パレット２００が在席していること、を満たしているか判定される。
【０３１３】
「回収トラバーサ後進可能条件」を満たす場合（Ｓ４２１：ＹＥＳ）、回収トラバーサ後進指示要求がクレーン制御盤７８に対して発行される（Ｓ４２３）。例えば、作業者が圧延済ロール１００「ＡＢ３４９」〜「ＡＢ３４０」をチェンジャー６９からロール回収トラバーサ６８に移載する動作を繰り返して空パレット２００「Ｗ００４」が満載になると、後述する「圧延使用済ロール移動処理」（図２９）によって当該パレット２００のロール本数が「１０」に設定されて、「回収トラバーサ後進可能条件」が満たされる（Ｙ２０、Ｙ２１）。
【０３１４】
ステップＳ４２３にて回収トラバーサ後進指示要求が発せられると、クレーン制御盤７８がＺＭ回収エリア６２に設けられた回収トラバーサ後進ＰＢＬを点滅させて、作業者に対してロール回収トラバーサ６８が後進可能である旨を報知する。作業者が任意のタイミングで回収トラバーサ後進ＰＢＬを押下すると、クレーン制御盤７８がロール回収トラバーサ６８を前進位置から後進位置まで移動させる（Ｙ２２、Ｙ２３）。
【０３１５】
「回収トラバーサ後進可能条件」を満たさない場合（Ｓ４２１：ＮＯ）、ステップＳ４０１に戻る。
【０３１６】
ロール回収トラバーサ６８が後進位置にあり、かつ、パレット２００を搭載しているか否かが、各管理ＤＢやトラッキング情報等を参照して判定される（Ｓ４２５）。
【０３１７】
ロール回収トラバーサ６８が後進位置に到着した場合（Ｓ４２５：ＹＥＳ）、ロール回収トラバーサ６８から圧延済パレット２００を自動回収するための「実パレット回収処理」が開始される（Ｓ４２７）。「実パレット回収処理」では、「研磨済リフタ入庫処理」における「入庫引当処理」（Ｓ２１５）及び「ダル回収台車入庫処理」における「入庫引当処理」（Ｓ３１５）などと同様に、まず圧延済パレット２００の「入庫引当処理」が実行される。圧延済パレット２００の「入庫引当処理」が完了すると、ロール回収トラバーサ６８、受渡リフタ６７ｂ、実ストックコンベア６３、受渡リフタ６７ａ、メイントラバーサ９０、入庫コンベア５２、クレーン７１の各制御指示が、クレーン制御盤７８又は周辺制御盤７９に対して順次発行される。制御指示に応じて各搬送機器が連動して、ロール回収トラバーサ６８に在席する圧延済パレット２００「Ｗ００４」を自動倉庫７０まで搬送して入庫予約済の収容棚に格納する（Ｙ２４〜Ｙ２６）。管理サーバ３では、「入庫完了設定」が実行されて各種ＤＢが更新される。
【０３１８】
ロール回収トラバーサ６８が後退位置にない場合（Ｓ４２５：ＮＯ）、ステップＳ４０１に戻る。
【０３１９】
次に、ロール回収トラバーサ６８及び受渡リフタ６７ｂから圧延済パレット２００の在席がなくなった時点で、ロール回収トラバーサ６８に空パレット２００を自動補充するための「空パレット補充処理」が開始される（Ｓ４２９）。「空パレット補充処理」では、空ストックコンベア６６、受渡リフタ６７ｂ、ロール回収トラバーサ６８の各制御指示が、クレーン制御盤７８又は周辺制御盤７９に対して順次発行される。制御指示に応じて各搬送機器が連動して、空ストックコンベア６６の上段位置６６ａに在席する空パレット２００をロール回収トラバーサ６８まで搬送する（Ｙ２４〜Ｙ２６）。
【０３２０】
次に、空ストックコンベア６６に空パレット２００を収容可能な空スペースが発生した時点で、空ストックコンベア６６に空パレット２００を自動供給するための「空パレット供給処理」が開始され（Ｓ４３１）、ステップＳ４０１に戻る。「空パレット供給処理」では、「研磨済リフタ出庫処理」における「出庫引当処理」（Ｓ２０７）及び「ダル回収台車出庫処理」における「出庫引当処理」（Ｓ３０７）などと同様に、まず空パレット２００の「出庫引当処理」が実行される。空パレット２００の「出庫引当処理」が完了すると、クレーン７１、出庫コンベア５１、メイントラバーサ９０、受渡リフタ６７ａ、空ストックコンベア６６の各制御指示が、クレーン制御盤７８又は周辺制御盤７９に対して順次発行される。制御指示に応じて各搬送機器が連動して、自動倉庫７０内に収容された空パレット２００を空ストックコンベア６６の上段位置６６ａまで搬送する（Ｙ２４〜Ｙ２６）。ただし、先述の「空パレット回収処理」（Ｓ４１１）にて、空ストックコンベア６６に空パレット２００が供給されて空スペースが存在しないときは、「空パレット供給処理」は実行されない。
【０３２１】
このように、圧延自動入出庫処理（図２７）では、ＺＭ供給エリア６１（詳細には、ロール供給トラバーサ６５）に対する圧延待パレット２００の供給及び空パレット２００の回収と、ＺＭ回収エリア６２（詳細には、ロール回収トラバーサ６８）に対する空パレット２００の供給及びダル済パレット２００の回収とが、ほぼ自動運行される。そのため、作業者が圧延待ロール１００を出庫させたり圧延済ロール１００を入庫させたりする手間が省かれて、ロール交換工程における圧延待ロール１００の供給及び圧延済ロール１００の回収を迅速且つ正確に行うことができる。
【０３２２】
図２８に示す「圧延使用前ロール移動処理」は、「圧延使用前ロール移動」コマンドが受け付けられたことを契機として開始される（Ｓ４５１）。すなわち、作業者が無線ＨＴ６で「圧延使用前ロール移動」と表記されたアクションタグ１７を読み取ると（Ｙ４）、管理サーバ３では「圧延使用前ロール移動」コマンドの受付ありと判定されて、以下の処理が実行される。
【０３２３】
「圧延使用前ロール移動」コマンドが受け付けられると、ロール供給トラバーサ６５の圧延待パレット２００に搭載された圧延待ロール１００が、無線ＨＴ６に一覧表示される（Ｓ４５３）。
【０３２４】
次に、ロール供給トラバーサ６５からチェンジャー６９への圧延待ロール１００の移載作業が完了するための条件（移載完了条件）を満たすか否かが、各管理ＤＢやトラッキング情報等を参照して判定される（Ｓ４５５）。具体的には、「移載完了条件」として、ロール供給トラバーサ６５上に圧延待ロール１００がないこと、及び、チェンジャー６９上に圧延待ロール１００を搭載可能な空きスペースがないこと、の何れかを満たしているか判定される。
【０３２５】
「移載完了条件」を満たしていない場合（Ｓ４５５：ＮＯ）、ロール供給トラバーサ６５上の圧延待ロール１００の詳細情報が、無線ＨＴ６に表示される（Ｓ４５７）。詳細には、無線ＨＴ６には、ロール供給トラバーサ６５上の圧延待ロール１００のうちで、圧延待パレット２００のＤＳ面左側（つまり、チェンジャー６９側）に位置する圧延待ロール１００の詳細情報が表示される。
【０３２６】
次に、ロールタグ１５のタグＩＤを受け付けたか否かが判定される（Ｓ４５９）。先述のように、作業者は無線ＨＴ６にてロール詳細情報を確認しつつ、ロール供給トラバーサ６５上の圧延待パレット２００のＤＳ面左側に位置する圧延待ロール１００を、ロール供給トラバーサ６５からチェンジャー６９上に移載する（Ｙ５）。作業者が移載対象の圧延待ロール１００から取り外されるロールエンドカバー１１０のロールタグ１５を読み取ると、管理サーバ３ではタグＩＤの受付ありと判定される（Ｓ４５９：ＹＥＳ）。
【０３２７】
ステップＳ４５９にてタグＩＤが受け付けられると（Ｓ４５９：ＹＥＳ）、当該タグＩＤに対応する圧延待ロール（移載対象ロール）１００をチェンジャー６９に移載するための条件（チェンジャー移載条件）を満たすか否かが、各管理ＤＢやトラッキング情報等を参照して判定される（Ｓ４６１）。具体的には、「チェンジャー移載条件」として、移載対象ロール１００がロール供給トラバーサ６５上に位置していること、及び、移載対象ロール１００が圧延待パレット２００のＤＳ面左側（チェンジャー側）から取り出されること、を満たしているか判定される。
【０３２８】
「チェンジャー移載条件」を満たさない場合（Ｓ４６１：ＮＯ）、管理サーバ３は、無線ＨＴ６にエラーを出力させる（Ｓ４６３）。
【０３２９】
「チェンジャー移載条件」を満たす場合（Ｓ４６１：ＹＥＳ）、ロール供給トラバーサ６５からチェンジャー６９への移載設定として各種ＤＢが更新される（Ｓ４６５）。例えば、パレット管理ＤＢ３３０では、圧延待パレット２００「Ｗ００３」について、ロール本数３３９が「１」減算され（ここでは、「９」）、ロールＮｏ３４０から「ＡＢ３４９」が削除されて他ロール１００のロール位置が更新される（ここでは、「１本目：ＡＢ３４８」〜「９本目：ＡＢ３４２」）。ロール管理ＤＢ３５０では、移載対象ロール１００「ＡＢ３４９」について、ロールタグ１５との紐付けが解除され（つまり、ロールタグＩＤ３５２が「空欄」に設定され）、パレット２００との紐付けが解除され（つまり、パレットＮｏ３５８及びパレット内位置３５９が「空欄」に設定され）、ロール管理状態３５７が「圧延待」から「圧延中」に更新される。
【０３３０】
ステップＳ４６５にて移載設定が完了すると、ステップＳ４５５に戻って「移載完了条件」を満たすか否かが判定される（Ｓ４５５）。「移載完了条件」を満たすまで（つまり、ロール供給トラバーサ６５上に圧延待ロール１００がなくなるか、又は、チェンジャー６９上に圧延済ロール１００を搭載可能なスペース（空き）がなくなるまで）、ステップＳ４５７〜ステップＳ４６５が繰り返し実行される。
【０３３１】
「移載完了条件」を満たされると（Ｓ４５５：ＹＥＳ）、管理サーバ３は、無線ＨＴ６に「圧延使用前ロール移動」が完了した旨を出力させて本処理を終了する（Ｓ４８７）。
【０３３２】
このように、「圧延使用前ロール移動処理」（図２８）では、作業者が無線ＨＴ６で移動対象の圧延待ロール１００からロールタグ１５を読み取るだけで、当該ロールタグ１５及び移動元パレット（圧延待パレット）２００との紐付けが解除される。そのため、チェンジャー６９に搭載される圧延待ロール１００がロールタグ１５及びパレット２００と物理的に切り離されても、作業者が当該ロール１００についてロールタグ１５及びパレット２００との紐付けをその都度解除するような手間を生じることがなく、ＺＭ供給エリア６１からチェンジャー６９への研磨待ロール１００の移載作業を迅速且つ正確に行うことができる。
【０３３３】
図２９に示す「「圧延使用済ロール移動処理」は、「圧延使用済ロール移動」コマンドが受け付けられたことを契機として開始される（Ｓ４７１）。すなわち、作業者が無線ＨＴ６で「圧延使用済ロール移動」と表記されたアクションタグ１７を読み取ると（Ｙ１９）、管理サーバ３では「圧延使用済ロール移動」コマンドの受付ありと判定されて、以下の処理が実行される。
【０３３４】
「圧延使用済ロール移動」コマンドが受け付けられると、チェンジャー６９上に搭載された圧延済ロール１００が、無線ＨＴ６に一覧表示される（Ｓ４７３）。
【０３３５】
次に、チャンジャー６９からロール回収トラバーサ６８への圧延済ロール１００の移載作業が完了するための条件（「移載完了条件」）を満たすか否かが、各管理ＤＢやトラッキング情報等を参照して判定される（Ｓ４７５）。具体的には、「移載完了条件」として、チェンジャー６９上に圧延済ロール１００がないこと、及び、ロール回収トラバーサ６８上に圧延済ロール１００を搭載可能な空きスペースがないこと、の何れかを満たしているか判定される。
【０３３６】
「移載完了条件」を満たしていない場合（Ｓ４７５：ＮＯ）、チェンジャー６９上の圧延済ロール１００の詳細情報が、無線ＨＴ６に表示される（Ｓ４７７）。詳細には、無線ＨＴ６には、チェンジャー６９の回収側６９ｃ上に搭載された圧延済ロール１００のうちで、ロール回収トラバーサ６８側に位置する圧延済ロール１００の詳細情報が表示される。
【０３３７】
次に、ロールタグ１５のタグＩＤを受け付けたか否かが判定される（Ｓ４７９）。作業者は、無線ＨＴ６にてロール詳細情報を確認しつつ、チェンジャー６９上のロール回収トラバーサ６８側に位置する圧延済ロール１００を、ロール回収トラバーサ６８上の空パレット２００のＤＳ面左側（ロール１本目位置）に移載する（Ｙ２０）。移載時に作業者が移載対象の圧延待ロール１００に新たなロールエンドカバー１１０を取り付けてロールタグ１５を読み取ると、管理サーバ３ではタグＩＤの受付ありと判定される（Ｓ４７９：ＹＥＳ）。
【０３３８】
ステップＳ４７９にてタグＩＤ（ここでは、「１１１１１」とする。）が受け付けられると、当該タグＩＤを圧延済ロール（移載対象ロール）１００と紐付けするための条件（「タグ紐付条件」）を満たすか否かが、各管理ＤＢやトラッキング情報等を参照して判定される（Ｓ４８１）。具体的には、「タグ紐付条件」として、ステップＳ４７９にて読み取られたタグＩＤがデータ形式に問題がないこと、及び、当該タグＩＤが他ロール１００に紐付けられていないこと、を満たすか判定される。
【０３３９】
「タグ紐付条件」を満たさない場合（Ｓ４８１：ＮＯ）、管理サーバ３は、無線ＨＴ６にエラーを出力させる（Ｓ４８３）。
【０３４０】
「タグ紐付条件」を満たす場合（Ｓ４８１：ＹＥＳ）、チェンジャー６９からロール回収トラバーサ６８への移載設定として各種ＤＢが更新される（Ｓ４８５）。例えば、ロール管理ＤＢ３５０では、移載対象ロール１００「ＡＢ３４９」について、ロール加工状態３５６「圧延済」に更新され、ロール管理状態３５７が「圧延中」から「圧延済」に更新され、ロールタグ１５との再紐付けが行なわれてロールタグＩＤ３５２「１１１１１」が設定され、パレット２００との再紐付けが行なわれてパレットＮｏ３５８「Ｗ００４」が設定され、パレット内位置３５９にパレット２００「Ｗ００４」でのロール位置（ここでは、「１」）が設定される。パレット管理ＤＢ３３０では、移動先パレット２００「Ｗ００４」について、ロール本数３３９が「１」加算され、ロールＮｏ３４０「ＡＢ３４９」がロール位置（ここでは「１本目」）に応じて設定される。
【０３４１】
ステップＳ４８５にて移載設定が完了すると、ステップＳ４７５に戻って「移載完了条件」を満たすか否かが判定される（Ｓ４７５）。「移載完了条件」を満たすまで（つまり、チェンジャー６９上に圧延済ロール１００がなくなるか、又はロール回収トラバーサ６８上に圧延済ロール１００を搭載可能なスペース（空き）がなくなるまで）、ステップＳ４７７〜ステップＳ４８５が繰り返し実行される。
【０３４２】
「移載完了条件」を満たされると（Ｓ４７５：ＹＥＳ）、無線ＨＴ６に「圧延使用済ロール移動」が完了した旨を出力させて本処理を終了する（Ｓ４８７）。
【０３４３】
このように、「圧延使用済ロール移動処理」（図２９）では、作業者が無線ＨＴ６で移動対象の圧延済ロール１００に取り付けたロールエンドカバー１１０からロールタグ１５を読み取るだけで、当該ロールタグ１５及び移動先パレット（空パレット）２００との再紐付けが実行される。そのため、チェンジャー６９に搭載される圧延済ロール１００がロールタグ１５及びパレット２００と物理的に取り付けられても、作業者が当該ロール１００についてロールタグ１５及びパレット２００との再紐付けを設定するような手間を生じることがなく、チェンジャー６９からＺＭ回収エリア６２への研磨済ロール１００の移載作業を迅速且つ正確に行うことができる。
【０３４４】
なお、「圧延使用前ロール移動処理」（図２８）が実行されてから「圧延使用済ロール移動処理」（図２９）が実行されるまでの間、各ロール１００はロールタグ１５との紐付けが解除された状態でチェンジャー６９上に搭載される。ＺＭプロコン４は、当該チェンジャー６９上に搭載された各ロール１００の位置を検出する複数のセンサからの出力信号に基づいて、チェンジャー６９上における各ロール１００の位置追跡（トラッキング）を行なう。管理サーバ３は、ロールタグ１５との紐付けがなくても、ＺＭプロコン４からのトラッキング情報に基づいて、各ロール１００のチェンジャー６９上でのロール位置を特定し、ＺＭ圧延機２にて使用中のロール（圧延中ロール）１００を特定する。ＺＭプロコン４は、例えば、１サイクルの圧延処理が終了するごとに、圧延中ロール１００についての圧延データ（ロール圧延実績）を管理サーバ３に送信する。管理サーバ３では、ＺＭプロコン４から発行されたロール圧延実績が受け付けられると、ロール圧延実績が「圧延実績情報」としてロール管理ＤＢ３５０の圧延関連情報３６０などに設定される。
【０３４５】
ステップＳ４２７の「実パレット回収処理」にて圧延済パレット２００が自動倉庫７０に回収されたのち、作業者がＰＣ５（例えば、圧延エリアＰＣ５ｅ）にて、任意の圧延済ロール１００を研磨対象として指定すると、管理サーバ３では、ロール管理ＤＢ３５０にて研磨対象のロール１００のロール管理状態３５７が「研磨待」に更新される。研磨対象として指定された旧ロール１００は、ロール研磨工程（プロセスＴ２）にて研磨処理が実行されて新ロール１００として再生される。本実施形態のロールショップ作業では、ＺＭ圧延機２にて使用済みの旧ロール１００について、ロール研磨工程（更には、ダル加工工程）により新ロール１００に再生されたのちに再びロール交換工程に使用されるというループが、後述するロール廃却工程が実行されるまで繰り返される。なお、圧延済ロール１００が自動倉庫７０に入庫すると、当該ロール１００のロール管理状態３５７が自動的に「研磨待」に更新されるようにしてもよい。
【０３４６】
［ロール廃却工程］
図３０及び図３１を参照して、ロールショップ管理システム１におけるロール廃却工程（プロセスＴ５）の運用制御を説明する。なお、本実施形態のロール廃却工程では、パレット２００「Ｗ００４」に搭載された圧延済ロール１００「ＡＢ３４９」〜「ＡＢ３４０」が、自動倉庫７０から場外エリア２０に搬出される場合を例示する。
【０３４７】
まず、図３０を参照して、ロール廃却工程において、場外エリア２０を中心に作業者や各種機器が実行する一連の動作（オペレーションＺ）について説明する。
【０３４８】
なお、ロール廃却工程が実行される前提として、作業者がＰＣ５（例えば、場外エリアＰＣ５ａ）にて、任意のロール１００（あるいは、パレット２００）を廃却対象として指定する。管理サーバ３は、ロール管理ＤＢ３５０における廃却対象のロール１００のロール管理状態３５７を「廃却待」に更新する。ここでは、作業者がロールＮｏ「ＡＢ３４９」〜「ＡＢ３４０」のロール１００を廃却対象（つまり、廃却待ロール１００）として指定したものとする。
【０３４９】
ロール廃却工程では、自動倉庫７０内にある廃却待ロール１００を搭載したパレット（廃却待パレット）２００を場外エリア２０に搬出するため、場外入出庫台車２１が「出庫モード」であることを要する。場外入出庫台車２１が「出庫モード」であれば、作業者は操作盤２８の出庫ＰＢＬを押下する。出庫ＰＢＬが押下されると、場外入出庫台車２１が荷捌き側から倉庫側に移動して「出庫モード」に切り換えられる（Ｚ１）。
【０３５０】
次に、作業者は、ＰＣ５（例えば、場外エリアＰＣ５ａ）にて、任意の廃却待ロール１００を指定して出庫（問合せ出庫）を指示する（Ｚ２）。
【０３５１】
作業者が廃却待ロール１００の問合せ出庫を指示すると、自動倉庫７０にてクレーン７１が当該ロール１００を搭載したパレット（廃却待パレット）２００を収容棚から荷取りする（Ｚ３）。
【０３５２】
次に、クレーン７１が廃却待パレット２００（ここでは、パレットＮｏ「Ｗ００４」）を倉庫側に位置する場外入出庫台車２１上に荷置きする（Ｚ４）。
【０３５３】
次に、廃却待パレット２００を搭載した場外入出庫台車２１は、倉庫側から荷捌き側に移動する（Ｚ５）。
【０３５４】
場外入出庫台車２１が荷捌き側に到着すると、場外エリア２０に設けられた完了ＰＢＬが点滅する（Ｚ６）。
【０３５５】
作業者は、場外エリア２０に配設された天井クレーンを用いて、荷捌き側に到着した場外入出庫台車２１から廃却待パレット２００を荷取りする（Ｚ７）。
【０３５６】
作業者は、荷取りされた廃却待パレット２００から複数の廃却待ロール１００を荷卸して、各廃却待ロール１００からロールエンドカバー１１０を取り外す（Ｚ８）。
【０３５７】
次に、作業者はＰＣ５（例えば、場外エリアＰＣ５ａ）にて廃却ロールリストＬＢを印刷する（Ｚ９）。詳細には、ＰＣ５から廃却ロールリストの印刷指示を受信すると、管理サーバ３にてロール管理ＤＢ３５０を参照してロール管理状態３５７「廃却待」となっているロールＮｏ３５１の一覧リスト（廃却ロールリストＬＢ）が作成され、ＰＣ５側にて廃却ロールリストＬＢが印刷される。廃却ロールリストＬＢは、廃却待ロール１００に刻印されているロールＮｏ「ＡＢ３４９」〜「ＡＢ３４０」とともに、各ロールＮｏに対応するバーコード情報が示される。
【０３５８】
次に、作業者は、無線ＨＴ６で「ロール廃却」と表記されたアクションタグ１７を読み取ったうえで（Ｚ１０）、廃却待ロール１００に刻印されているロールＮｏを確認し、廃却ロールリストＬＢにて当該ロールＮｏに対応するバーコード情報を無線ＨＴ６で読み取ることで、当該廃却待ロール１００の廃却が完了する（Ｚ１１、Ｚ１２）。
【０３５９】
以上により、パレット２００「Ｗ００４」に搭載されたロール１００「ＡＢ３４９」〜「ＡＢ３４０」が、自動倉庫７０から場外エリア２０から自動倉庫７０に入庫されて、ロールショップＰからの廃却が実現される。
【０３６０】
次に、図３１を参照して、ロール廃却工程（プロセスＴ５）において管理サーバ３が実行する一連の内部的処理として、廃却待ロール１００を場外エリア２０に出庫させるための「廃却出庫処理」を説明する。
【０３６１】
図３１に示す「廃却出庫処理」では、まず場外入出庫台車２１が「出庫モード」であるか否かが、操作盤２８と接続されるクレーン制御盤７８からの情報に基づいて判定される（Ｓ５０１）。
【０３６２】
場外入出庫台車２１が「出庫モード」である場合（Ｓ５０１：ＹＥＳ）、場外入出庫台車２１上にパレット２００が在席していないか否かが判定される（Ｓ５０３）。先述のように、場外入出庫台車２１上にパレット２００が荷置されていなければ、管理サーバ３はクレーン制御盤７８からの情報に基づいてパレット在席が「ＯＦＦ」であることを特定することができる。
【０３６３】
場外入出庫台車２１が「出庫モード」ではなく、「搬送中」又は「入庫モード」である場合（Ｓ５０１：ＮＯ）、及び、場外入出庫台車２１上にパレット２００が在席している場合（Ｓ５０３：ＮＯ）は、ステップＳ５０１に戻る。
【０３６４】
場外入出庫台車２１上にパレット２００が在席していない場合（Ｓ５０３：ＹＥＳ）、廃却待ロール１００の「問合せ出庫」の指示を受け付けたか否かが判定される（Ｓ５０５）。
【０３６５】
作業者がＰＣ５にて問合せ出庫を指示した場合（Ｓ５０５：ＹＥＳ）、「研磨待リフタ出庫処理」における「出庫引当処理」（Ｓ２０３）などと同様に、出庫指示された廃却待パレット２００の「出庫引当処理」が実行される（Ｓ５０７）。
【０３６６】
廃却待パレット２００の「出庫引当処理」が完了すると、クレーン７１の制御指示がクレーン制御盤７８に対して発行される（Ｓ５０９）。
【０３６７】
クレーン７１の搬送動作が完了すると、場外入出庫台車２１の制御指示がクレーン制御盤７８に対して発行される（Ｓ５１１）。制御指示に応じて各搬送機器が連動して、自動倉庫７０内に収容された廃却待パレット２００を場外入出庫台車２１に搭載して場外エリア２０まで搬送する（Ｚ３〜Ｚ６）。
【０３６８】
場外入出庫台車２１が荷捌き側に到着すると、廃却出庫完了設定として各種ＤＢが更新される（Ｓ５１３）。例えば、パレット管理ＤＢ３３０では、廃却待パレット２００「Ｗ００４」の在籍位置３３７「場外」に更新される。また、ロール管理ＤＢ３５０では、廃却待ロール１００「ＡＢ３４９」〜「ＡＢ３４０」の在籍位置３５５「場外」に更新される。更に、パレット管理ＤＢ３３０及びロール管理ＤＢ３５０では、場外入出庫台車２１に荷捌き側に到着した時点で廃却待パレット２００「Ｗ００４」及び廃却待ロール１００「ＡＢ３４９」〜「ＡＢ３４０」の紐付けが解除され、ロールＮｏ３４０やパレットＮｏ３５８などが空欄に設定される。
【０３６９】
このように、「廃却出庫処理」（図３１）では、作業者が廃却待ロール１００（あるいは、廃却待パレット２００）を指定して問合せ出庫を指示するだけで、廃却待ロール１００を搭載した廃却待パレット２００が自動搬送されて自動倉庫７０から場外エリア２０に出庫される。そのため、ロール廃却工程における作業者の負担を極力低減しつつ、廃却待ロール１００をロールショップＰから迅速且つ正確に廃却することができる。
【０３７０】
なお、「廃却出庫処理」が完了したのちに、作業者が廃却待パレット２００を場外入出庫台車２１から荷卸してロールエンドカバー１１０を取り外す作業を行うが（Ｚ７、Ｚ８）、この時点ではロール管理ＤＢ３５０における廃却待ロール１００とロールタグ１５の紐付けは解除されていない。作業者は廃却ロールリストＬＢを印刷したうえで、無線ＨＴ６で「ロール廃却」アクションタグ１７を読み込んで、廃却待ロール１００の刻印に対応するバーコード情報を読み取る（Ｚ９〜Ｚ１１）。管理サーバ３のロール管理ＤＢ３５０では、廃却待ロール１００（ここでは、ロールＮｏ「ＡＢ３４９」〜「ＡＢ３４０」）のロール加工状態３５６及びロール管理状態３５７が「廃却待」から「廃却済」に更新されるとともに、ロールタグＩＤ３５２に空欄が設定される。これにより、廃却待ロール１００とロールタグ１５の紐付けが解除されて、当該ロールタグ１５を他のロール１００に紐付けて再利用することが可能となる。
【０３７１】
［セカンドロールのロール交換］
図３２は、セカンドロール１００ｃのロール交換を説明するためのロールショップＰの部分的な構成図である。
【０３７２】
図３に示すように、ＺＭ圧延機２の圧延機上部２ａに組み込まれるセカンドロール１００ｃのうち、ストリップ最上流側の組込位置に組み込まれるセカンドロール１００ｃをＳＵ１と称し、ストリップ最下流側の組込位置に組み込まれるセカンドロール１００ｃをＳＵ３と称し、ＳＵ１とＳＵ３との間の組込位置に組み込まれるセカンドロール１００ｃをＳＵ２と称する。圧延機下部２ｂに組み込まれるセカンドロール１００ｃのうち、ストリップ最上流側の組込位置に組み込まれるセカンドロール１００ｃをＳＬ１と称し、ストリップ最下流側の組込位置に組み込まれるセカンドロール１００ｃをＳＬ３と称し、ＳＬ１とＳＬ３との間の組込位置に組み込まれるセカンドロール１００ｃをＳＬ２と称する。
【０３７３】
セカンドロール１００ｃは、ＳＵ１ロール、ＳＵ２ロール、ＳＵ３ロール、ＳＬ１ロール、ＳＬ２ロール及びＳＬ３ロールで一のグループを構成してＺＭ圧延機２に組み込まれる。
【０３７４】
一のグループを構成する複数のセカンドロール１００ｃは、所定の組込順序でＺＭ圧延機２に組み込まれる。本実施形態では、ＳＬ３ロール、ＳＬ１ロール、ＳＬ２ロール、ＳＵ２ロール、ＳＵ３ロール、ＳＵ１ロールの順でＺＭ圧延機２に組み込まれる。
【０３７５】
一のグループを構成する複数のセカンドロール１００ｃは、所定の回収順序でＺＭ圧延機２から取り外される。本実施形態では、ＳＵ１ロール、ＳＵ３ロール、ＳＵ２ロール、ＳＬ２ロール、ＳＬ１ロール、ＳＬ３ロールの順でＺＭ圧延機２から取り外される。
【０３７６】
外部記憶装置３００には、図３３に示すような複数のセカンドロールペアテーブル３８１が記憶されている。セカンドロールペアテーブル３８１には、セカンドペア番号４１０に対応付けて、ＳＬ１ロール４１１、ＳＬ３ロール４１２、ＳＵ２ロール４１３、ＳＬ２ロール４１４、ＳＵ１ロール４１５及びＳＵ３ロール４１６のロールＮｏが記憶されている。更に、セカンドロールペアテーブル３８１には、セカンドペア番号４１０に対応付けて、ＳＬ１ロール及びＳＬ３ロールを搭載したパレットを示すＳＬ１＆ＳＬ３搭載パレットＮｏ４１７、ＳＵ２ロール及びＳＬ２ロールを搭載したパレットを示すＳＵ２＆ＳＬ２搭載パレットＮｏ４１８、及び、ＳＵ１ロール及びＳＵ３ロールを搭載したパレットを示すＳＵ１＆ＳＵ３搭載パレットＮｏ４１９が記憶されている。セカンドペア番号４１０は、ＺＭ圧延機２において使用されるセカンドロール１００ｃのグループを識別する番号である。セカンドロールペアテーブル３８１は、グループ毎に作成される。ＳＬ１ロール４１１、ＳＬ３ロール４１２、ＳＵ２ロール４１３、ＳＬ２ロール４１４、ＳＵ１ロール４１５、ＳＵ３ロール４１６には、それぞれ、セカンドペア番号４１０で示されるグループを構成するＳＬ１ロール、ＳＬ３ロール、ＳＵ２ロール、ＳＬ２ロール、ＳＵ１ロール、ＳＵ３ロールのロールＮｏが記憶されている。
【０３７７】
図３２に示すように、自動倉庫７０には、第１〜６のパレット２００ａ〜ｆが収容されている。図３２では、第１〜６のパレット２００ａ〜ｆをＤＳ面側から見たときのロール１００の搭載位置が模式的に示されている。一のグループを構成する６本のセカンドロール１００ｃは、２本ずつ一のパレット２００に搭載されてロールショップＰ内を搬送される。パレット２００におけるセカンドロール１００ｃの搭載位置は、組込順序に応じて規定されている。
【０３７８】
第１のパレット２００ａには、ＤＳ面左側からＳＬ１ロール、ＳＬ３ロールが順に搭載されている。第２のパレット２００ｂには、ＤＳ面左側からＳＵ２ロール、ＳＬ２ロールが順に搭載されている。第３のパレット２００ｃには、ＤＳ面左側からＳＵ１ロール、ＳＵ３ロールが順に搭載されている。第４のパレット２００ｄは、ＳＵ１ロール及びＳＵ３ロールを回収するための空パレット２００である。第５のパレット２００ｅは、ＳＵ２ロール及びＳＬ２ロールを回収するための空パレットである。第６のパレット２００ｆは、ＳＬ１ロール及びＳＬ３ロールを回収するための空パレット２００である。
【０３７９】
一のグループを構成するセカンドロール１００ｃを搭載した第１〜第３のパレット２００ａ〜２００ｃの出庫順序は、当該パレット２００に搭載されたセカンドロール１００ｃの組込順序によって定められている。最初に、１番目及び２番目に組み込まれるＳＬ３ロール及びＳＬ１ロールを搭載した第１のパレット２００ａが出庫される。次に、３番目及び４番目に組み込まれるＳＬ２ロール及びＳＵ２ロールを搭載した第２のパレット２００ｂが出庫される。次に、５番目及び６番目に組み込まれるＳＵ３ロール及びＳＵ１ロールを搭載した第３のパレット２００ｃが出庫される。
【０３８０】
ＺＭ圧延機２にセカンドロール１００ｃを組み込む際に、作業者が圧延エリアＰＣ５ｅを操作してセカンドペア番号４１０を選択すると、管理サーバ３は、当該セカンドペア番号４１０に対応付けて記憶されたセカンドロール１００ｃを搭載したパレット２００を順に出庫するようにロールショップＰを制御する。例えば、セカンドペア番号「５」に第１〜第３のパレット２００ａ〜２００ｃが対応付けられている場合、セカンドペア番号「５」が選択されると第１〜第３のパレット２００ａ〜２００ｃが順に出庫される。
【０３８１】
一のグループを構成するセカンドロール１００ｃを回収するための第４〜第６のパレット２００ｄ〜２００ｆの出庫順序は、当該パレット２００に搭載されたセカンドロール１００ｃの回収順序によって定められている。最初に、５番目及び６番目に組み込まれるＳＵ１ロール及びＳＵ３ロールを回収するための第４のパレット２００ｄが出庫される。次に、３番目及び４番目に組み込まれるＳＵ２ロール及びＳＬ２ロールを回収するための第５のパレット２００ｅが出庫される。次に、１番目及び２番目に組み込まれるＳＬ１ロール及びＳＬ３ロールを回収するための第６のパレット２００ｆが出庫される。
【０３８２】
本実施形態のロールショップＰは、ロール回収トラバーサ６８に空パレット２００を供給して、チェンジャー６９から当該空パレット２００にロール１００を回収するとともに、ロール回収トラバーサ６８に実パレット２００を供給して、当該実パレット２００からチェンジャー６９にロール１００を供給することができる構成となっている。更に、ロールショップＰは、ロール供給トラバーサ６５に実パレット２００を供給して、当該実パレット２００からチェンジャー６９にロール１００を供給するとともに、ロール供給トラバーサ６５に空パレット２００を供給して、チェンジャー６９から当該から空パレット２００にロール１００を回収することができる構成となっている。
【０３８３】
自動倉庫７０からロール供給トラバーサ６５の上段位置６５ａにパレット２００を供給する場合、パレット２００は、出庫コンベア５１、メイントラバーサ９０の供給部９１、ＺＭ供給エリア６１の受渡リフタ６４ａ、実ストックコンベア６３の中段位置６３ｃ及び受渡リフタ６４ｂを介してロール供給トラバーサ６５の上段位置６５ａへ供給される。自動倉庫７０からロール回収トラバーサ６８にパレット２００を供給する場合、パレット２００は、出庫コンベア５１、メイントラバーサ９０の回収部９２、ＺＭ回収エリア６２の受渡リフタ６７ａ、空ストックコンベア６６の中段位置６６ｃ及び受渡リフタ６７ｂを介してロール回収トラバーサ６８へ供給される。
【０３８４】
ロール供給トラバーサ６５の上段位置６５ａから自動倉庫７０にパレット２００を回収する場合、パレット２００は、受渡リフタ６４ｂ、実ストックコンベア６３の中段位置６３ｃ、受渡リフタ６４ａ、メイントラバーサ９０の供給部９１及び入庫コンベア５２を介して自動倉庫７０へ回収される。ロール回収トラバーサ６８から自動倉庫７０にパレット２００を回収する場合、パレット２００は、受渡リフタ６７ｂ、空ストックコンベア６６の中段位置６６ｃ、受渡リフタ６７ａ、メイントラバーサ９０の回収部９２及び入庫コンベア５２を介して自動倉庫７０へ回収される。
【０３８５】
管理サーバ３は、先に出庫されたパレット２００をロール回収トラバーサ６８に搬送し、後に出庫されたパレット２００をロール供給トラバーサ６５に搬送する。具体的には、第１のパレット２００ａはロール回収トラバーサ６８に搬送され、第２のパレット２００ｂはロール供給トラバーサ６５に搬送される。ロール回収トラバーサ６８から空の第１のパレット２００ａが回収された後、第３のパレット２００ｃがロール回収トラバーサ６８に搬送される。第４のパレット２００ｄはロール供給トラバーサ６５に搬送され、第５のパレット２００ｅはロール回収トラバーサ６８に搬送される。ロール供給トラバーサ６５から第４のパレット２００ｄが回収された後、第６のパレット２００ｆがロール供給トラバーサ６５に搬送される。
【０３８６】
ロール組込装置３９０は、管理サーバ３の指示に従って、ロール回収トラバーサ６８及びロール供給トラバーサ６５のいずれかから１本のセカンドロール１００ｃを取り出し、当該セカンドロール１００ｃをＺＭ圧延機２に組み込む。ロール組込装置３９０は、パレット２００の出庫順序及びパレット２００上の搭載位置に対応して定められた所定の順序で、パレット２００からセカンドロール１００ｃを取り出す。更に、当該出庫順序及び当該搭載位置に対応して定められた組込位置にセカンドロール１００ｃを組み込む。なお、ロール組込装置３９０は、全自動で管理サーバ３により制御される搬送台のようなものであってもよく、作業者が管理サーバ３の指示及びロールショップＰ内の規定に従って動作させるクレーンなどの搬送装置であってもよい。
【０３８７】
本実施形態では、ロール回収トラバーサ６８に第１のパレット２００ａが搬送されたとき、ロール組込装置３９０は、まず、ＤＳ面右側のセカンドロール１００ｃを取り出して圧延機下部２ｂの最下流の組込位置に組み込み、次に、ＤＳ面左側のセカンドロール１００ｃを取り出して圧延機下部２ｂの最上流の組込位置に組み込む。即ち、ＳＬ３ロール、ＳＬ１ロールの順にＺＭ圧延機２に組み込まれる。セカンドロール１００ｃが全て取り出された第１のパレット２００ａは、自動倉庫７０に搬送される。
【０３８８】
次に、ロール供給トラバーサ６５に第２のパレット２００ｂが搬送されたとき、ロール組込装置３９０は、まず、ＤＳ面右側のセカンドロール１００ｃを取り出して圧延機下部２ｂの中央の組込位置に組み込み、次に、ＤＳ面左側のセカンドロール１００ｃを取り出して圧延機上部２ａの中央の組込位置に組み込む。即ち、ＳＬ２ロール、ＳＵ２ロールの順にＺＭ圧延機２に組み込まれる。セカンドロール１００ｃが全て取り出された第２のパレット２００ｂは、自動倉庫７０に搬送される。
【０３８９】
次に、ロール回収トラバーサ６８に第３のパレット２００ｃが搬送されたとき、ロール組込装置３９０は、まず、ＤＳ面右側のセカンドロール１００ｃを取り出して圧延機上部２ａの最下流の組込位置に組み込み、次に、ＤＳ面左側のセカンドロール１００ｃを取り出して圧延機上部２ａの最上流の組込位置に組み込む。即ち、ＳＵ３ロール、ＳＵ１ロールの順にＺＭ圧延機２に組み込まれる。セカンドロール１００ｃが全て取り出された第３のパレット２００ｃは、自動倉庫７０に搬送される。
【０３９０】
管理サーバ３は、パレット２００の出庫順序及びパレット２００上のセカンドロール１００ｃの搭載位置に対応付けて組込順序及び組込位置を規定しているため、パレット２００からセカンドロール１００ｃを取り出す際、及び、ＺＭ圧延機２にセカンドロール１００ｃを組み込む際に、セカンドロール１００ｃを識別して組込位置を確認する必要がない。ＺＭ圧延機２の組込位置と、当該組込位置に組み込まれたセカンドロール１００ｃのロールＮｏとの対応関係は、選択されたセカンドロールペアテーブル３８１を参照することにより知ることができる。
【０３９１】
ロール回収トラバーサ６８及びロール供給トラバーサ６５からロール組込装置３９０にセカンドロール１００ｃを移載する際に、作業者がセカンドロール１００ｃのロールタグＩＤを読み取る。管理サーバ３は、読み取られたロールタグＩＤと、当該ロールタグＩＤに対応付けられたロールＮｏとの対応関係を解除する。
【０３９２】
ロール組込装置３９０は、管理サーバ３の指示に従って、ＺＭ圧延機２のいずれかの組込位置からセカンドロール１００ｃを取り出し、ロール回収トラバーサ６８及びロール供給トラバーサ６５のいずれかのパレット２００のいずれかの搭載位置に当該セカンドロール１００ｃを移載する。ロール組込装置３９０は、所定の回収順序でＺＭ圧延機２からセカンドロール１００ｃを回収する。更に、いずれのパレット２００のいずれの搭載位置にセカンドロール１００ｃを移載するかは、セカンドロールの組込位置に応じて規定されている。
【０３９３】
本実施形態では、ロール供給トラバーサ６５に第４のパレット２００ｄが搬送されたとき、ロール組込装置３９０は、まず、圧延機上部２ａの最上流の組込位置からセカンドロール１００ｃを回収して第４のパレット２００ｄのＤＳ面左側に移載し、次に、圧延機上部２ａの最下流の組込位置からセカンドロール１００ｃを回収して第４のパレット２００ｄのＤＳ面右側に移載する。即ち、ＳＵ１ロール、ＳＵ３ロールの順にＺＭ圧延機２から第４のパレット２００ｄにセカンドロール１００ｃが回収される。セカンドロール１００ｃを搭載した第４のパレット２００ｄは、自動倉庫７０に搬送される。
【０３９４】
次に、ロール回収トラバーサ６８に第５のパレット２００ｅが搬送されたとき、ロール組込装置３９０は、まず、圧延機上部２ａの中央の組込位置からセカンドロール１００ｃを回収して第５のパレット２００ｅのＤＳ面左側に移載し、次に、圧延機下部２ｂの最上流の組込位置からセカンドロール１００ｃを回収して第５のパレット２００ｅのＤＳ面右側に移載する。即ち、ＳＵ２ロール、ＳＬ２ロールの順にＺＭ圧延機２から第５のパレット２００ｅにセカンドロール１００ｃが回収される。セカンドロール１００ｃを搭載した第５のパレット２００ｅは、自動倉庫７０に搬送される。
【０３９５】
次に、ロール供給トラバーサ６５に第６のパレット２００ｆが搬送されたとき、ロール組込装置３９０は、まず、圧延機下部２ｂの最上流の組込位置からセカンドロール１００ｃを回収して第６のパレット２００ｆのＤＳ面左側に移載し、次に、圧延機下部２ｂの最下流の組込位置からセカンドロール１００ｃを回収して第６のパレット２００ｆのＤＳ面右側に移載する。即ち、ＳＬ１ロール、ＳＬ３ロールの順にＺＭ圧延機２から第６のパレット２００ｆにセカンドロール１００ｃが回収される。セカンドロール１００ｃを搭載した第６のパレット２００ｆは、自動倉庫７０に搬送される。
【０３９６】
管理サーバ３は、回収順序及び組込位置に対応付けて空パレット２００の出庫順序及びパレット２００上のセカンドロール１００ｃの搭載位置を規定しているため、ＺＭ圧延機２からセカンドロール１００ｃを取り出す際、及び、パレット２００にセカンドロール１００ｃを移載する際に、セカンドロール１００ｃを識別する必要がない。ＺＭ圧延機２の組込位置と、当該組込位置に組み込まれたセカンドロール１００ｃのロールＮｏとの対応関係は、選択されたセカンドロールペアテーブル３８１を参照することにより知ることができる。従って、回収時に各パレット２００の各搭載位置に搭載されたセカンドロール１００ｃは、組込位置に基づいてセカンドロールペアテーブル３８１を参照して識別することができる。
【０３９７】
ロール組込装置３９０からロール回収トラバーサ６８及びロール供給トラバーサ６５にセカンドロール１００ｃを移載する際に、作業者がセカンドロール１００ｃにロールタグを付けロールタグＩＤを読み取る。管理サーバ３は、ロールエンドカバー１１０が取り付けられたセカンドロール１００ｃのロールＮｏを回収順序を使用してセカンドロールペアテーブル３８１から検索し、当該ロールＮｏを読み取られたロールタグＩＤに対応付ける。
【０３９８】
［ロールショップ管理システムの特長について］
本実施形態のロールショップ管理システム１の代表的な特長を以下に列記する。
【０３９９】
本実施形態のロールショップ管理システム１は、ＺＭ圧延機２における所定の組込位置に所定の組込順序で組み込まれる複数のロール１００が導入されるロールショップＰを管理サーバ３によって管理する。ロールショップ管理システム１は、ロール１００を搭載するためのパレット２００と、パレット２００を収容するための自動倉庫７０と、ＺＭ圧延機２に供給するロール１００を搭載したパレット２００を一時的に載置するためのロール供給トラバーサ６５及びロール回収トラバーサ６８と、ロール供給トラバーサ６５及びロール回収トラバーサ６８と自動倉庫７０との間でパレット２００を搬送する搬送装置とを備える。更に、ロール１００は、ＺＭ圧延機２において同時に使用される複数のセカンドロール１００ｃを含む。管理サーバ３は、ＺＭ圧延機２に先に組み込まれるセカンドロール１００ｃを搭載したパレット２００が、ＺＭ圧延機２に後に組み込まれるセカンドロール１００ｃを搭載したパレット２００よりも先にロール供給トラバーサ６５及びロール回収トラバーサ６８のいずれかに搬送されるように搬送装置を制御する。
【０４００】
組込順序が定められたロール１００をＺＭ圧延機２に迅速に搬送することができるため、ＺＭ圧延機２へのロール１００の組み込みを迅速に行うことができる。
【０４０１】
ＺＭ圧延機２に組み込む前のセカンドロール１００ｃを搭載したパレット２００上における当該セカンドロール１００ｃの搭載位置は、組込順序に対応付けられている。
【０４０２】
組込順序に応じた搭載位置にロール１００を搭載することにより、パレット２００の搬送順序と搭載位置から組込順序を認識することができるため、仮置領域からＺＭ圧延機２にロール１００を組み込む際に、パレット２００から取り出したロール１００がいずれのロール１００であるかを外部から入力する必要がなくなり、組込処理を迅速に実行することができる。組込順序と組込位置とを対応させておくことにより搭載位置から組込位置を一意に対応させることができるため、ロール１００の判別処理を省略して組込処理を迅速に実行することができる。
【０４０３】
ＺＭ圧延機２から回収したセカンドロール１００ｃを搭載したパレット２００において、当該セカンドロール１００ｃの搭載位置が当該セカンドロール１００ｃの組込位置に対応付けられている。
【０４０４】
セカンドロール１００ｃを識別せずにパレット２００上のセカンドロール１００ｃの組込位置を認識できるため、セカンドロール１００ｃの組込時に当該セカンドロール１００ｃの組込位置を記録しておくことにより、搭載位置からセカンドロール１００ｃを識別することができる。
【０４０５】
なお、本実施形態において、ＺＭ圧延機２及びＺＭプロコン４が本発明の「圧延装置」に相当し、協働して動作する管理サーバ３、ＺＭプロコン４、クレーン制御盤７８及び周辺制御盤７９が本発明の「管理装置」に相当する。自動倉庫７０が本発明の「倉庫装置」に相当する。ロール供給トラバーサ６５及びロール回収トラバーサ６８が本発明の「仮置領域」に相当する。ＳＬ１ロール、ＳＬ２ロール、ＳＬ３ロール、ＳＵ１ロール、ＳＵ２ロール及びＳＵ３ロールが本発明の「要素ロール」に相当する。
【０４０６】
なお、本発明は、上記の好ましい実施形態に記載されているが、本発明はそれだけに制限されない。本発明の精神と範囲から逸脱することのない様々な実施形態が可能である。
【０４０７】
例えば、本実施形態のロールショップ管理システム１では、作業者による人介作業を最低限度に留めるためにロールショップ作業の運用制御の大部分を自動化した場合を例示したが、ロールショップ作業の運用制御を自動化する割合（逆に言えば、作業者が手動で運用する割合）は任意に設定することができる。例えば、本実施形態では先述のロール供給パターンに基づいて自動的にロール１００の「スムース」又は「ダル」への割り振りが決定されていたが、作業者が任意のロール１００について「スムース」又は「ダル」を手動設定してもよい。
【０４０８】
また、本実施形態では、研磨エリア３０、ダルエリア４０及び圧延エリア６０に対するロール１００の供給及び回収が自動化されているが、かかる態様に限定されない。例えば、各エリアにて作業者がＰＣ５を用いて任意のロール１００の問合せ出庫を行なって、当該ロール１００について研磨処理や圧延処理などを行なってもよい。また、先述の各種パレット入庫条件を満たしていない場合であっても（例えば、パレット２００が空でない場合や、パレット２００が満載でない場合等）、端数パレット２００を作業者が各種ＰＢＬを押下して強制的に入庫させるようにしてもよい。
【０４０９】
また、本実施形態では、作業者による人介作業（すなわち、作業者が入力可能なコマンド）に応じて、「ロール購入」、「入庫設定（場外）」、「ロール移動（ＴＯ研磨済リフタ）」、「圧延使用前ロール移動」、「圧延使用済ロール移動」、「ロール廃却」のアクションタグ１７が設けられているが、かかる態様に限定されない。作業者が入力可能なコマンドを増加させる（つまり、アクションタグ１７を増加させる）ことにより、作業者がより多くの作業を任意に実行することが可能となるようにしてもよい。また、作業者によるコマンド入力は、無線ＨＴ６でアクションタグ１７を読み取る態様に限定されず、無線ＨＴ６の画面上で任意のコマンドを選択したり、無線ＨＴ６にて音声入力できるようにしたりしてもよい。
【０４１０】
また、本実施形態では、ロール１００にロールエンドカバー１１０を取り付けることで当該ロール１００にロールタグ１５を物理的に関連付けているが、かかる態様に限定されない。例えば、ロール１００に対して、ロールタグ１５を直接取り付けたり、他の取付部材（粘着シールなど）を介してロールタグ１５を取り付けたりしてもよい。
【符号の説明】
【０４１１】
１  ロールショップ管理システム
２  ＺＭ圧延機
２ａ  圧延機上部
２ｂ  圧延機下部
３  管理サーバ
４  ＺＭプロコン
５  ＰＣ
５ａ  場外エリアＰＣ
５ｂ  研磨エリアＰＣ
５ｃ  研磨エリアＰＣ
５ｄ  ダルエリアＰＣ
５ｅ  圧延エリアＰＣ
６  無線ＨＴ
７  無線ＡＰ
１５  ロールタグ
１６  パレットタグ
１７  アクションタグ
２０  場外エリア
２１  場外入出庫台車
２８  操作盤
３０  研磨エリア
３１  第一研磨機
３２  第二研磨機
３３  研磨入出庫トラバーサ
３４  第一研磨コンベア
３５  第二研磨コンベア
３６  中央研磨コンベア
３７  研磨待リフタ
３７ａ  下段位置
３７ｂ  上段位置
３８  研磨済リフタ
３８ａ  下段位置
３８ｂ  上段位置
３９  仮置きスペース
４０  ダルエリア
４１  ダル加工機
４２  ダル供給台車
４３  ダル回収台車
４４  ダルロール移載機
５０  入出庫エリア
５１  出庫コンベア
５２  入庫コンベア
６０  圧延エリア
６１  ＺＭ供給エリア
６２  ＺＭ回収エリア
６３  実ストックコンベア
６３ａ  上段位置
６３ｂ  下段位置
６３ｃ  中段位置
６４ａ  受渡リフタ
６４ｂ  受渡リフタ
６５  ロール供給トラバーサ
６５ａ  上段位置
６５ｂ  下段位置
６６  空ストックコンベア
６６ａ  上段位置
６６ｂ  下段位置
６６ｃ  中段位置
６７ａ  受渡リフタ
６７ｂ  受渡リフタ
６８  ロール回収トラバーサ
６９  チェンジャー
６９ａ  供給側上段
６９ｂ  供給側下段
６９ｃ  回収側
６９ｄ  再利用部
６９ｅ  組込部
７０  自動倉庫
７０ａ  第一倉庫列
７０ｂ  第二倉庫列
７１  クレーン
７８  クレーン制御盤
７９  周辺制御盤
８０  定置式タグリーダ
８５  測定器
８６  トランスミッタ
８７  レシーバ
８９  ＨＵＢ装置
９０  メイントラバーサ
９１  供給部
９２  回収部
１００  ロール
１００ａ  ワークロール
１００ｂ  ファーストロール
１００ｃ  セカンドロール
１００ｄ  バッキングロール
１０１  胴部
１０２  首部
１０３  連結部
１１０  ロールエンドカバー
１１１  本体部
１１１ａ  一方の端面
１１１ｂ  他方の端面
１１２  嵌着部
１１２ａ  突起
１１３  保持部
１１３ａ  第１の部位
１１３ｂ  第２の部位
１１４  封止栓
１１５  空気逃げ孔
２００  パレット
２００ａ〜２００ｆ  第１〜第６のパレット
２０１  台座
２０２  ロールストッパ
３００  外部記憶装置
３１０  倉庫管理ＤＢ
３１１  ロケーション
３１２  棚状態
３１３  予約状態
３１４  禁止状態
３１５  パレットＮｏ
３３０  パレット管理ＤＢ
３３１  パレットＮｏ
３３２  パレットタグＩＤ
３３３  パレット区分
３３４  パレット状態
３３５  パレット種類
３３６  使用禁止区分
３３７  在籍位置
３３８  ロール径区分
３３９  ロール本数
３４０  ロールＮｏ
３５０  ロール管理ＤＢ
３５１  ロールＮｏ
３５２  ロールタグＩＤ
３５３  ロール区分
３５４  ロール径区分
３５５  在籍位置
３５６  ロール加工状態
３５７  ロール管理状態
３５８  パレットＮｏ
３５９  パレット内位置
３６０  圧延関連情報
３６１  研磨関連情報
３６２  ダル関連情報
３８１  セカンドロールペアテーブル
３９０  ロール組込装置
４１０  セカンドペア番号
４１１  ＳＬ１ロール
４１２  ＳＬ３ロール
４１３  ＳＵ２ロール
４１４  ＳＬ２ロール
４１５  ＳＵ１ロール
４１６  ＳＵ３ロール
４１７  ＳＬ１＆ＳＬ３搭載パレットＮｏ
４１８  ＳＵ２＆ＳＬ２搭載パレットＮｏ
４１９  ＳＵ１＆ＳＵ３搭載パレットＮｏ
【図１】
0005637696.tif 000002
【図２】
0005637696.tif 000003
【図３】
0005637696.tif 000004
【図４】
0005637696.tif 000005
【図５】
0005637696.tif 000006
【図６】
0005637696.tif 000007
【図７】
0005637696.tif 000008
【図８】
0005637696.tif 000009
【図９】
0005637696.tif 000010
【図１０】
0005637696.tif 000011
【図１１】
0005637696.tif 000012
【図１２】
0005637696.tif 000013
【図１３】
0005637696.tif 000014
【図１４】
0005637696.tif 000015
【図１５】
0005637696.tif 000016
【図１６】
0005637696.tif 000017
【図１７】
0005637696.tif 000018
【図１８】
0005637696.tif 000019
【図１９】
0005637696.tif 000020
【図２０】
0005637696.tif 000021
【図２１】
0005637696.tif 000022
【図２２】
0005637696.tif 000023
【図２３】
0005637696.tif 000024
【図２４】
0005637696.tif 000025
【図２５】
0005637696.tif 000026
【図２６】
0005637696.tif 000027
【図２７】
0005637696.tif 000028
【図２８】
0005637696.tif 000029
【図２９】
0005637696.tif 000030
【図３０】
0005637696.tif 000031
【図３１】
0005637696.tif 000032
【図３２】
0005637696.tif 000033
【図３３】
0005637696.tif 000034